(57)【要約】      （修正有）【課題】事前決定手段の決定結果を示す試験信号を用いて１ゲームの最低時間が確保されているか否かを試験装置側で特定することができるスロットマシンを提供する。【解決手段】前のゲームにおける内部抽選後１回目の内部当選フラグ信号の出力開始から、所定の規制時間が経過するまでゲームの進行を規制するとともに、前のゲームにおける１回目の内部当選フラグ信号の出力開始から所定の規制時間が経過するまで内部抽選後１回目の内部当選フラグ信号の出力を開始させるタイミングを遅延させる。また、メイン制御部４１が、ストップスイッチの操作が遊技の進行に関与する状態においては、試験装置１３００において第１〜３リールストップ可能ランプ信号を受信可能に制御し、フリーズ状態に制御し、ストップスイッチの操作が遊技の進行に関与しない状態においては、試験装置１３００において第１〜３リールストップ可能ランプ信号を受信不能に制御する。【選択図】図２９
2015150098.tif 000002
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果を導出させるために操作される導出操作手段を含む操作手段と、
前記操作手段による操作に基づき遊技を進行させる遊技進行制御手段と、
を備え、
遊技の試験を行う際に接続される試験装置からの試験用信号の入力に基づき自動的に遊技を行うことが可能であり、
前記スロットマシンは、
前記表示結果が導出される前に入賞の発生を許容するか否かを決定する事前決定手段と、
前記事前決定手段が前記入賞の発生を許容するか否かを決定したときに、前記試験装置に対して前記事前決定手段の決定結果を特定可能な事前決定信号を出力するための出力制御を行う事前決定信号出力制御手段と、
１ゲームに要する最短時間が所定の規制時間以上となるように遊技の進行を規制する進行規制手段と、
前回のゲームにおいて前記事前決定信号の出力制御を開始してから前記所定の規制時間が経過せずに今回のゲームにおける前記事前決定信号の出力制御が開始可能となったときに、前回のゲームにおいて前記事前決定信号の出力制御を開始してから前記所定の規制時間が経過するまで前記事前決定信号の出力制御の開始を遅延させる出力制御遅延手段と、
前記導出操作手段が遊技の進行に関与する第１の状態において、前記試験用信号として前記導出操作手段の操作を示す特定信号が試験装置から入力されたことに基づいて表示結果を導出する制御を行う導出制御手段と、
前記導出操作手段が遊技の進行に関与しない第２の状態において、特定演出を実行する特定演出実行手段と、
前記導出操作手段の操作が可能である旨を示す導出操作可能信号を前記試験装置に対して出力するための制御を行う導出操作可能信号出力制御手段と、
をさらに備え、
前記第１の状態中は前記試験装置において前記導出操作可能信号を受信可能に制御し、前記第２の状態中は前記試験装置において前記導出操作可能信号を受信不能に制御する
ことを特徴とするスロットマシン。
【請求項２】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果を導出させるために操作される導出操作手段を含む操作手段と、
前記操作手段による操作に基づき遊技を進行させる遊技進行制御手段と、
を備え、
遊技の試験を行う際に接続される試験装置からの試験用信号の入力に基づき自動的に遊技を行うことが可能であり、
前記スロットマシンは、
前記表示結果が導出される前に入賞の発生を許容するか否かを決定する事前決定手段と、
前記事前決定手段が前記入賞の発生を許容するか否かを決定したときに、前記試験装置に対して前記事前決定手段の決定結果を特定可能な事前決定信号を出力するための出力制御を行う事前決定信号出力制御手段と、
１ゲームに要する最短時間が所定の規制時間以上となるように遊技の進行を規制する進行規制手段と、
前回のゲームにおいて前記事前決定信号の出力制御を開始してから前記所定の規制時間が経過せずに今回のゲームにおける前記事前決定信号の出力制御が開始可能となったときに、前回のゲームにおいて前記事前決定信号の出力制御を開始してから前記所定の規制時間が経過するまで前記事前決定信号の出力制御の開始を遅延させる出力制御遅延手段と、
前記導出操作手段が遊技の進行に関与する第１の状態において、前記試験用信号として前記導出操作手段の操作を示す特定信号が試験装置から入力されたことに基づいて表示結果を導出する制御を行う導出制御手段と、
前記導出操作手段が遊技の進行に関与しない第２の状態において、特定演出を実行する特定演出実行手段と、
前記導出操作手段の推奨操作態様を示す推奨操作態様信号を前記試験装置に対して出力するための制御を行う推奨操作態様信号出力制御手段と、
をさらに備え、
前記第１の状態中は前記試験装置において前記推奨操作態様信号を受信可能に制御し、前記第２の状態中は前記試験装置において前記推奨操作態様信号を受信不能に制御する
ことを特徴とするスロットマシン。
【発明の詳細な説明】
【技術分野】
【０００１】
本発明は、各々が識別可能な複数種類の識別情報を変動表示可能な可変表示部の表示結果に応じて入賞が発生可能なスロットマシンに関する。
【背景技術】
【０００２】
スロットマシンは、一般に、外周部に識別情報としての複数種類の図柄が描かれた複数（通常は３つ）のリールを備えており、まず遊技者のＢＥＴ操作により賭数を設定し、規定の賭数が設定された状態でスタート操作することによりリールの回転が開始し、各リールに対応して設けられた停止ボタンを操作することにより回転を停止する。そして、全てのリールの回転を停止したときに入賞ライン上に予め定められた入賞図柄の組み合わせ（例えば、７−７−７、以下図柄の組み合わせを役とも呼ぶ）が揃ったことによって入賞が発生する。入賞は、スタート操作と同時に行われる内部抽選に当選したことを条件に入賞が可能となる。
【０００３】
また、この種のスロットマシンにおいては、例えば、内部抽選の抽選結果を特定可能な信号等、スロットマシンの動作状況を特定可能な試験信号を出力することにより、試験機にて遊技機の出玉性能等の遊技機の動作状況を特定することができるようにしたものが提案されている（例えば、特許文献１参照）。
【先行技術文献】
【特許文献】
【０００４】
【特許文献１】特開２００５−１７６９４２号公報
【発明の概要】
【発明が解決しようとする課題】
【０００５】
また、この種のスロットマシンでは、ゲームの進行速度が速くなりすぎないように１ゲームに要する最低時間を設定し、前回のゲームにおいてリールの変動が開始してから最低時間が経過するまではリールの変動が規制されることにより１ゲームの最低時間を確保する機能を備えたものが一般的であり、このような１ゲームの最低時間が確保されているか否かについても試験機にて特定する必要がある。
【０００６】
特許文献１に記載のスロットマシンのように内部抽選の抽選結果を試験信号として出力する構成においては、このような既存の試験信号を利用して１ゲームの最低時間が確保されているか否かを特定する方法が考えられるが、内部抽選自体は、スタート操作がされることで前のゲームの内部抽選から１ゲームの最低時間が経過していなくとも実行されることからそのまま利用したのでは、試験機側で１ゲームの最低時間が確保されているか否かを正確に把握することができない虞がある。
【０００７】
本発明は、このような問題点に着目してなされたものであり、事前決定手段の決定結果を示す試験信号を用いて１ゲームの最低時間が確保されているか否かを試験装置側で特定することができるスロットマシンを提供することを目的とする。
【課題を解決するための手段】
【０００８】
上記課題を解決するために、本発明の手段１のスロットマシンは、
各々が識別可能な複数種類の識別情報を変動表示可能な可変表示部（リール２Ｌ、２Ｃ、２Ｒ）を備え、
前記可変表示部（リール２Ｌ、２Ｃ、２Ｒ）を変動表示した後、前記可変表示部（リール２Ｌ、２Ｃ、２Ｒ）の変動表示を停止することで表示結果を導出し、該表示結果に応じて入賞が発生可能なスロットマシン（スロットマシン１）において、
表示結果を導出させるために操作される導出操作手段（ストップスイッチ８Ｌ、８Ｃ、８Ｒ）を含む操作手段と、
前記操作手段による操作に基づき遊技を進行させる遊技進行制御手段（メイン制御部４１）と、
を備え、
遊技の試験を行う際に接続される試験装置（試験装置１３００）からの試験用信号（試験用信号）の入力に基づき自動的に遊技を行うことが可能であり、
前記スロットマシンは、
前記表示結果が導出される前に入賞の発生を許容するか否かを決定する事前決定手段（内部抽選）と、
前記事前決定手段（内部抽選）が前記入賞の発生を許容するか否かを決定したときに、性能試験を行う際に接続される試験装置（試験装置１３００）に対して該事前決定手段の決定結果（内部抽選の結果）を特定可能な事前決定信号（特別下位、一般下位、特別上位、一般上位）を出力するための出力制御を行う事前決定信号出力制御手段（内部当選フラグ１〜８信号の出力制御）と、
１ゲームに要する最短時間が所定の規制時間（４．１秒）以上となるように遊技の進行を規制する進行規制手段（メイン制御部４１がゲームの進行を規制する制御）と、
前回のゲームにおいて前記事前決定信号（特別下位、一般下位、特別上位、一般上位）の出力制御を開始してから前記所定の規制時間（４．１秒）が経過せずに今回のゲームにおける前記事前決定信号（特別下位、一般下位、特別上位、一般上位）の出力制御が開始可能となったときに、前回のゲームにおいて前記事前決定信号（特別下位、一般下位、特別上位、一般上位）の出力制御を開始してから前記所定の規制時間（４．１秒）が経過するまで前記事前決定信号（特別下位、一般下位、特別上位、一般上位）の出力制御の開始を遅延させる出力制御遅延手段（特別下位、一般下位、特別上位、一般上位の出力遅延制御）と、
前記導出操作手段（ストップスイッチ８Ｌ、８Ｃ、８Ｒ）が遊技の進行に関与する第１の状態（遊技を進行させるための停止操作が有効な状態）において、前記試験用信号として前記導出操作手段（ストップスイッチ８Ｌ、８Ｃ、８Ｒ）の操作を示す特定信号（第１〜３リールストップスイッチ信号）が試験装置（試験装置１３００）から入力されたことに基づいて表示結果を導出する制御を行う導出制御手段（メイン制御部４１）と、
前記導出操作手段（ストップスイッチ８Ｌ、８Ｃ、８Ｒ）が遊技の進行に関与しない第２の状態（フリーズ状態）において、特定演出（擬似遊技演出）を実行する特定演出実行手段（メイン制御部４１）と、
前記導出操作手段（ストップスイッチ８Ｌ、８Ｃ、８Ｒ）の操作が可能である旨を示す導出操作可能信号（第１〜３リールストップ可能ランプ信号）を前記試験装置（試験装置１３００）に対して出力するための制御を行う導出操作可能信号出力制御手段（メイン制御部４１）と、
をさらに備え、
前記第１の状態（遊技を進行させるための停止操作が有効な状態）中は前記試験装置（試験装置１３００）において前記導出操作可能信号（第１〜３リールストップ可能ランプ信号）を受信可能に制御し、前記第２の状態（フリーズ状態）中は前記試験装置（試験装置１３００）において前記導出操作可能信号（第１〜３リールストップ可能ランプ信号）を受信不能に制御する（第１〜３リールストップ可能ランプ信号とともに出力規制信号（メイン）を出力する）
ことを特徴としている。
この特徴によれば、前回のゲームにおいて事前決定信号の出力制御を開始してから所定の規制時間が経過せずに今回のゲームにおける事前決定信号の出力制御が開始可能となったときに、前回のゲームにおいて事前決定信号の出力制御を開始してから所定の規制時間が経過するまで事前決定信号の出力制御の開始を遅延させることにより、前回のゲームにおいて事前決定信号の出力制御を開始してから所定の規制時間が経過せずに今回のゲームにおける事前決定信号の出力制御が開始可能となっても、必ず事前決定信号が出力される間隔が所定の規制時間以上となるので、事前決定信号の間隔を検査することで、１ゲームに要する最短時間が所定の規制時間以上確保されているか否かを正確に特定することができる。
また、導出操作手段が遊技の進行に関与しない第２の状態において特定演出が実行される構成において、第２の状態中は、試験装置において導出操作可能信号を受信不能に制御することで、試験装置側で導出操作可能信号を受信したときに、遊技を進行させるための導出操作手段の操作が可能な状態か否かを判断する機能を設けずとも、試験装置側で正常に動作試験を行うことが可能となる。
【０００９】
本発明の手段２のスロットマシンは、
各々が識別可能な複数種類の識別情報を変動表示可能な可変表示部（リール２Ｌ、２Ｃ、２Ｒ）を備え、
前記可変表示部（リール２Ｌ、２Ｃ、２Ｒ）を変動表示した後、前記可変表示部（リール２Ｌ、２Ｃ、２Ｒ）の変動表示を停止することで表示結果を導出し、該表示結果に応じて入賞が発生可能なスロットマシン（スロットマシン１）において、
表示結果を導出させるために操作される導出操作手段（ストップスイッチ８Ｌ、８Ｃ、８Ｒ）を含む操作手段と、
前記操作手段による操作に基づき遊技を進行させる遊技進行制御手段（メイン制御部４１）と、
を備え、
遊技の試験を行う際に接続される試験装置（試験装置１３００）からの試験用信号（試験用信号）の入力に基づき自動的に遊技を行うことが可能であり、
前記スロットマシンは、
前記表示結果が導出される前に入賞の発生を許容するか否かを決定する事前決定手段（内部抽選）と、
前記事前決定手段（内部抽選）が前記入賞の発生を許容するか否かを決定したときに、性能試験を行う際に接続される試験装置（試験装置１３００）に対して該事前決定手段の決定結果（内部抽選の結果）を特定可能な事前決定信号（特別下位、一般下位、特別上位、一般上位）を出力するための出力制御を行う事前決定信号出力制御手段（内部当選フラグ１〜８信号の出力制御）と、
１ゲームに要する最短時間が所定の規制時間（４．１秒）以上となるように遊技の進行を規制する進行規制手段（メイン制御部４１がゲームの進行を規制する制御）と、
前回のゲームにおいて前記事前決定信号（特別下位、一般下位、特別上位、一般上位）の出力制御を開始してから前記所定の規制時間（４．１秒）が経過せずに今回のゲームにおける前記事前決定信号（特別下位、一般下位、特別上位、一般上位）の出力制御が開始可能となったときに、前回のゲームにおいて前記事前決定信号（特別下位、一般下位、特別上位、一般上位）の出力制御を開始してから前記所定の規制時間（４．１秒）が経過するまで前記事前決定信号（特別下位、一般下位、特別上位、一般上位）の出力制御の開始を遅延させる出力制御遅延手段（特別下位、一般下位、特別上位、一般上位の出力遅延制御）と、
前記導出操作手段（ストップスイッチ８Ｌ、８Ｃ、８Ｒ）が遊技の進行に関与する第１の状態（遊技を進行させるための停止操作が有効な状態）において、前記試験用信号として前記導出操作手段（ストップスイッチ８Ｌ、８Ｃ、８Ｒ）の操作を示す特定信号（第１〜３リールストップスイッチ信号）が試験装置（試験装置１３００）から入力されたことに基づいて表示結果を導出する制御を行う導出制御手段（メイン制御部４１）と、
前記導出操作手段（ストップスイッチ８Ｌ、８Ｃ、８Ｒ）が遊技の進行に関与しない第２の状態（フリーズ状態）において、特定演出（擬似遊技演出）を実行する特定演出実行手段（メイン制御部４１）と、
前記導出操作手段（ストップスイッチ８Ｌ、８Ｃ、８Ｒ）の推奨操作態様を示す推奨操作態様信号（停止実行位置信号、停止リール指定信号）を前記試験装置（試験装置１３００）に対して出力するための制御を行う推奨操作態様信号出力制御手段（サブ制御部９１）と、
をさらに備え、
前記第１の状態（遊技を進行させるための停止操作が有効な状態）中は前記試験装置（試験装置１３００）において前記推奨操作態様信号（停止実行位置信号、停止リール指定信号）を受信可能に制御し、前記第２の状態（フリーズ状態）中は前記試験装置（試験装置１３００）において前記推奨操作態様信号（停止実行位置信号、停止リール指定信号）を受信不能に制御する（停止実行位置信号、停止リール指定信号とともに出力規制信号（サブ）を出力する）
ことを特徴としている。
この特徴によれば、前回のゲームにおいて事前決定信号の出力制御を開始してから所定の規制時間が経過せずに今回のゲームにおける事前決定信号の出力制御が開始可能となったときに、前回のゲームにおいて事前決定信号の出力制御を開始してから所定の規制時間が経過するまで事前決定信号の出力制御の開始を遅延させることにより、前回のゲームにおいて事前決定信号の出力制御を開始してから所定の規制時間が経過せずに今回のゲームにおける事前決定信号の出力制御が開始可能となっても、必ず事前決定信号が出力される間隔が所定の規制時間以上となるので、事前決定信号の間隔を検査することで、１ゲームに要する最短時間が所定の規制時間以上確保されているか否かを正確に特定することができる。
また、導出操作手段が遊技の進行に関与しない第２の状態において特定演出が実行される構成において、第２の状態中は、試験装置において推奨操作態様信号を受信不能に制御することで、試験装置側で推奨操作態様信号を受信したときに、遊技を進行させるための試験用信号の推奨操作態様として通知されたのか否かを判断する機能を設けずとも、試験装置側で正常に動作試験を行うことが可能となる。
【００１０】
尚、手段１、２のスロットマシンは、試験装置に対して出力される試験信号を出力するための出力制御を行うものであれば良く、試験信号の信号線やこれら信号線を試験装置に接続するためのコネクタ、試験信号を伝達するための配線パターン、試験装置と接続するための中継基板等を備えていない構成であっても良い。
また、手段１、２において試験装置が行う性能試験とは、スロットマシンが適切に動作するか否か、遊技用価値の付与率が適正な範囲となるか否か等の性能を確認するための試験である。
また、手段１において前記第２の状態中は前記試験装置において前記導出操作可能信号を受信不能に制御するとは、例えば、前記導出操作可能信号出力制御手段が、前記第２の状態中において前記導出操作可能信号を出力しない制御を行うことにより、前記第２の状態中において前記試験装置において前記導出操作可能信号を受信不能に制御する構成でも良いし、前記導出操作可能信号出力制御手段が、前記第２の状態中において前記導出操作可能信号を出力するが、同時に前記試験装置において導出操作可能信号の受信を阻害する信号を同時に出力する制御を行ったり、前記試験装置との間を中継する中継手段に対して該中継部から前記試験装置への導出操作可能信号の出力を阻害する信号を同時に出力する制御を行ったりすることにより、前記第２の状態中において前記試験装置において前記導出操作可能信号を受信不能に制御する構成でも良い。
また、手段２において前記第２の状態中は前記試験装置において前記推奨操作態様信号を受信不能に制御するとは、例えば、前記推奨操作態様信号出力制御手段が、前記第２の状態中において前記推奨操作態様信号を出力しない制御を行うことにより、前記第２の状態中において前記試験装置において前記推奨操作態様信号を受信不能に制御する構成でも良いし、前記推奨操作態様信号出力制御手段が、前記第２の状態中において前記推奨操作態様信号を出力するが、同時に前記試験装置において推奨操作態様信号の受信を阻害する信号を同時に出力する制御を行ったり、前記試験装置との間を中継する中継手段に対して該中継部から前記試験装置への推奨操作態様信号の出力を阻害する信号を同時に出力する制御を行ったりすることにより、前記第２の状態中において前記試験装置において前記推奨操作態様信号を受信不能に制御する構成でも良い。
【００１１】
本発明の手段３のスロットマシンは、手段１または２に記載のスロットマシンであって、
前記事前決定手段（内部抽選）は、特別遊技状態（ボーナス）への移行を伴う特別入賞（特別役）及び該特別入賞以外の一般入賞（一般役）を含む複数種類の入賞について発生を許容するか否かを決定することが可能であり、
前記事前決定信号出力制御手段は、前記特別入賞（特別役）の発生が許容されているか否かを示す２ビット以上の特別事前決定信号（ビット０〜１１）について出力期間を複数回（特別下位、特別上位）に分けて特定の出力ポート（内部当選フラグ１〜６）から出力するための出力制御を行い、かつ前記一般入賞（一般役）の発生が許容されているか否かを示す２ビット以上の一般事前決定信号（ビット０〜１１）について出力時間を複数回（一般下位、一般上位）に分けて前記特定の出力ポート（内部当選フラグ１〜６）から出力するための出力制御を行う
ことを特徴としている。
この特徴によれば、特別入賞の種類及び一般入賞の種類が多くなっても、これら全ての種類の入賞についての事前決定信号を限られた数の出力ポートから出力させる出力制御を行うことが可能となる。
【００１２】
本発明の手段４のスロットマシンは、手段１〜３のいずれかに記載のスロットマシンであって、
前記事前決定信号出力制御手段は、Ｘ（試験装置１３００側で特別下位、一般下位、特別上位、一般上位の値を検出するのに必要な時間）以上でかつ２Ｘ未満の時間（２５ｍｓ）にわたり前記事前決定信号（特別下位、一般下位、特別上位、一般上位）を出力するための出力制御を行う
ことを特徴としている。
この特徴によれば、事前決定信号を試験装置側で確実に検出することができ、かつ事前決定信号の出力時間が長すぎることで次ゲームの事前決定信号と干渉してしまうことにより、１ゲームに要する最短時間が所定の規制時間以上確保されているか否かを正確に特定できなくなってしまうことを防止できる。
【００１３】
本発明の手段５に記載のスロットマシンは、手段１〜４のいずれかに記載のスロットマシンであって、
前記事前決定信号出力制御手段は、事前決定信号の出力時間をＸ（試験装置１３００側で内部抽選の結果を示す信号の値を検出するのに必要な時間）とし、前記所定の規制時間（４．１秒）をＹとしたときに、Ｙ−Ｘ＞Ｘの関係が成立する時間にわたり前記事前決定信号（内部抽選の結果を示す信号）を出力するための出力制御を行う
ことを特徴としている。
この特徴によれば、事前決定信号を試験装置側で確実に検出することができ、かつ事前決定信号の出力時間が長すぎることで次ゲームの事前決定信号と干渉してしまうことにより、１ゲームに要する最短時間が所定の規制時間以上確保されているか否かを正確に特定できなくなってしまうことを防止できる。
尚、事前決定信号が出力時間をｎ回に分けて出力される構成（特別下位、一般下位、特別上位、一般上位）においては、各事前決定信号（特別下位、一般下位、特別上位、一般上位）の出力時間をＸ（試験装置１３００側で特別下位、一般下位、特別上位、一般上位の値を検出するのに必要な時間）とし、前記所定の規制時間（４．１秒）をＹとしたときに、Ｙ−ｎＸ＞ｎＸの関係が成立する時間にわたり出力するための出力制御を行う構成とすることで上記と同様の効果が得られる。
【００１４】
本発明の手段６に記載のスロットマシンは、手段１〜５のいずれかに記載のスロットマシンであって、
前記事前決定手段（内部抽選）は、特別遊技状態（ボーナス）への移行を伴う特別入賞（特別役）及び該特別入賞以外の一般入賞（一般役）を含む複数種類の入賞について発生を許容するか否かを決定することが可能であり、
前記事前決定信号出力制御手段は、
前記特別入賞（特別役）の発生が許容されているか否かを示す特別事前決定信号（特別下位、特別上位）と前記一般入賞（一般役）の発生が許容されているか否かを示す一般事前決定信号（一般下位、一般上位）とを出力時間を分けて同一の出力ポート（内部当選フラグ１〜６信号）から出力するための出力制御を行い、
前記出力ポート（内部当選フラグ１〜６信号）から出力される信号が前記特別事前決定信号（特別下位、特別上位）であるか前記一般事前決定信号（一般下位、一般上位）であるかを特定可能な入賞種別特定信号（内部当選フラグ８信号、内部当選フラグ７信号）を出力するための出力制御を行う入賞種別特定信号出力制御手段（内部当選フラグ８信号、内部当選フラグ７信号の出力制御）を含み、
前記入賞種別特定信号出力手段は、前記特別事前決定信号（特別下位、特別上位）または前記一般事前決定信号（一般下位、一般上位）の出力制御を行うタイミングと同じタイミングで前記入賞種別特定信号（内部当選フラグ８信号、内部当選フラグ７信号）を出力するための出力制御を行う
ことを特徴としている。
この特徴によれば、限られた数の出力ポートから特別入賞及び一般入賞についての事前決定信号を出力させる出力制御を行うことができるとともに、出力ポートから出力されている信号が特別入賞についての事前決定信号なのか一般入賞についての事前決定信号なのかを試験装置側で正確に特定することができる。
【００１５】
本発明の手段７に記載のスロットマシンは、手段１〜６のいずれかに記載のスロットマシンであって、
前記出力制御遅延手段が前記事前決定信号（特別下位、一般下位、特別上位、一般上位）の出力制御を遅延させる旨を示す特別信号（信号遅延中信号）を出力するための出力制御を行う特別信号出力制御手段（信号遅延中信号の出力制御）を備え、
前記特別決定信号出力制御手段は、前記事前決定信号特別下位、一般下位、特別上位、一般上位）の出力制御を待たずに前記特別信号（信号遅延中信号）を出力するための出力制御を行う
ことを特徴としている。
この特徴によれば、試験装置側で事前決定信号の出力制御が遅延されていることを特定できるので、事前決定信号の出力が検出されない場合でも試験装置側で異常ではないことを特定できる。
【００１６】
本発明の手段８に記載のスロットマシンは、手段１〜７のいずれかに記載のスロットマシンであって、
前記特定演出実行手段は、前記第２の状態（フリーズ状態）において前記可変表示部（リール２Ｌ、２Ｃ、２Ｒ）を用いた特定演出（擬似遊技演出）を実行し、
前記スロットマシンは、前記特定演出（擬似遊技演出）の実行中に前記導出操作手段（ストップスイッチ８Ｌ、８Ｃ、８Ｒ）が操作されたときに前記可変表示部（リール２Ｌ、２Ｃ、２Ｒ）の変動態様を変化させる変動態様変更手段（メイン制御部４１）をさらに備える
ことを特徴としている。
この特徴によれば、導出操作手段が遊技の進行に関与しない第２の状態において可変表示部を用いた特定演出が実行されるとともに、特定演出の実行中には、導出操作手段が操作されたときに可変表示部の変動態様を変化させることができる。
【００１７】
本発明の手段９に記載のスロットマシンは、手段１〜８のいずれかに記載のスロットマシンであって、
前記遊技進行制御手段を含む遊技制御手段（メイン制御部４１）と、
演出の制御を行う演出制御手段（サブ制御部９１）と、
を含み、
前記遊技制御手段は、前記演出制御手段（サブ制御部９１）に対して前記第２の状態（フリーズ状態）の期間を特定可能な第２状態情報（フリーズ開始コマンド、継続抽選結果コマンド、フリーズ終了コマンド）を出力する第２状態情報出力手段を含み、
前記演出制御手段（サブ制御部９１）は、前記第２状態情報（フリーズ開始コマンド、継続抽選結果コマンド、フリーズ終了コマンド）から特定される前記第２の状態（フリーズ状態）の期間に応じた制御を実行する第２状態時制御手段を含む
ことを特徴としている。
この特徴によれば、演出制御手段は、遊技制御手段から送信された第２状態情報から特定される第２の状態の期間に応じて適切な制御を行うことができるとともに、第２の状態中は、試験装置により導出操作可能信号または導出操作態様信号が受信されないことから、試験装置が、動作試験中のスロットマシンの遊技制御手段において第２状態に制御されていること、演出制御手段において第２状態に応じた制御が行われていることを特定することが可能となる。
【００１８】
尚、本発明は、本発明の請求項に記載された発明特定事項のみを有するものであって良いし、本発明の請求項に記載された発明特定事項とともに該発明特定事項以外の構成を有するものであっても良い。
【図面の簡単な説明】
【００１９】
【図１】本発明が適用された実施例のスロットマシンの正面図である。
【図２】スロットマシンの内部構造を示す斜視図である。
【図３】リールの図柄配列を示す図である。
【図４】スロットマシンの構成を示すブロック図である。
【図５】メイン制御部の構成を示すブロック図である。
【図６】特別役の種類、特別役の図柄組み合わせ、及び特別役に関連する技術事項について説明するための図である。
【図７】小役の種類、小役の図柄組み合わせ、及び小役に関連する技術事項について説明するための図である。
【図８】再遊技役の種類、再遊技役の図柄組み合わせ、及び再遊技役に関連する技術事項について説明するための図である。
【図９】移行出目の図柄組み合わせ、及び移行出目に関連する技術事項について説明するための図である。
【図１０】遊技状態の遷移を説明するための図である。
【図１１】遊技状態の概要を示す図である。
【図１２】遊技状態毎に抽選対象役として読み出される抽選対象役の組み合わせについて説明するための図である。
【図１３】遊技状態毎に抽選対象役として読み出される抽選対象役の組み合わせについて説明するための図である。
【図１４】遊技状態毎に抽選対象役として読み出される抽選対象役の組み合わせについて説明するための図である。
【図１５】遊技状態毎に抽選対象役として読み出される抽選対象役の組み合わせについて説明するための図である。
【図１６】抽選対象役により入賞が許容される役の組み合わせについて説明するための図である。
【図１７】複数の再遊技役当選時のリール制御を説明するための図である。
【図１８】複数の小役当選時のリール制御を説明するための図である。
【図１９】擬似遊技演出に伴うメイン制御部とサブ制御部の制御状況を示す図である。
【図２０】擬似遊技演出の流れを示す図である。
【図２１】スロットマシンと試験装置との間で入出力される信号を示す図である。
【図２２】スロットマシンと試験装置との間での信号の入出力状況を示すタイミングチャートである。
【図２３】内部当選フラグ信号（ＲＴ種別信号）及び信号遅延中信号の出力状況を示すタイミングチャートである。
【図２４】内部当選フラグ信号１〜６が示す信号の構成を示す図である。
【図２５】当選役（特別役）と内部当選フラグ信号１〜８が示す信号との関係を示す図である。
【図２６】当選役（一般役）と内部当選フラグ信号１〜８が示す信号との関係を示す図である。
【図２７】ＲＴの状態と内部当選フラグ信号１〜４が示す信号との関係を示す図である。
【図２８】停止実行位置信号、停止リール指定信号、停止ストローブ信号の出力状況を示すタイミングチャートである。
【図２９】インターフェイス基板の構成を示すブロック図である。
【図３０】停止実行位置信号、停止リール指定信号、停止ストローブ信号の出力状況を示すタイミングチャートである。
【図３１】リールストップ可能ランプ信号の出力状況を示すタイミングチャートである。
【図３２】インターフェイス基板の構成を示すブロック図である。
【図３３】インターフェイス基板の構成の変形例を示すブロック図である。
【発明を実施するための形態】
【００２０】
本発明に係るスロットマシンを実施するための形態を実施例に基づいて以下に説明する。
【実施例】
【００２１】
本発明が適用されたスロットマシンの実施例を図面を用いて説明すると、本実施例のスロットマシン１は、図１に示すように、前面が開口する筐体１ａと、この筐体１ａの側端に回動自在に枢支された前面扉１ｂと、から構成されている。
【００２２】
本実施例のスロットマシン１の筐体１ａの内部には、図２に示すように、外周に複数種の図柄が配列されたリール２Ｌ、２Ｃ、２Ｒ（以下、左リール、中リール、右リール）が水平方向に並設されており、図１に示すように、これらリール２Ｌ、２Ｃ、２Ｒに配列された図柄のうち連続する３つの図柄が前面扉１ｂに設けられた透視窓３から見えるように配置されている。
【００２３】
リール２Ｌ、２Ｃ、２Ｒの外周部には、図３に示すように、それぞれ「黒７」、「網７（図中網掛け７）」、「白７」、「ＢＡＲ」、「リプレイ」、「プラム」、「スイカ」、「チェリー」、「ベル」、「オレンジ」といった互いに識別可能な複数種類の図柄が所定の順序で、それぞれ２１個ずつ描かれている。リール２Ｌ、２Ｃ、２Ｒの外周部に描かれた図柄は、前面扉１ｂの略中央に設けられた透視窓３において各々上中下三段に表示される。
【００２４】
各リール２Ｌ、２Ｃ、２Ｒは、各々対応して設けられリールモータ３２Ｌ、３２Ｃ、３２Ｒ（図４参照）によって回転させることで、各リール２Ｌ、２Ｃ、２Ｒの図柄が透視窓３に連続的に変化しつつ表示されるとともに、各リール２Ｌ、２Ｃ、２Ｒの回転を停止させることで、透視窓３に３つの連続する図柄が表示結果として導出表示されるようになっている。
【００２５】
リール２Ｌ、２Ｃ、２Ｒの内側には、リール２Ｌ、２Ｃ、２Ｒそれぞれに対して、基準位置を検出するリールセンサ３３Ｌ、３３Ｃ、３３Ｒと、リール２Ｌ、２Ｃ、２Ｒを背面から照射するリールＬＥＤ５５と、が設けられている。また、リールＬＥＤ５５は、リール２Ｌ、２Ｃ、２Ｒの連続する３つの図柄に対応する１２のＬＥＤからなり、各図柄をそれぞれ独立して照射可能とされている。
【００２６】
前面扉１ｂにおける各リール２Ｌ、２Ｃ、２Ｒに対応する位置には、リール２Ｌ、２Ｃ、２Ｒを前面側から透視可能とする横長長方形状の透視窓３が設けられており、該透視窓３を介して遊技者側から各リール２Ｌ、２Ｃ、２Ｒが視認できるようになっている。
【００２７】
前面扉１ｂには、図１に示すように、メダルを投入可能なメダル投入部４、メダルが払い出されるメダル払出口９、クレジット（遊技者所有の遊技用価値として記憶されているメダル数）を用いて、その範囲内において遊技状態に応じて定められた規定数の賭数のうち最大の賭数（本実施例ではいずれの遊技状態においても３）を設定する際に操作されるＭＡＸＢＥＴスイッチ６、クレジットとして記憶されているメダル及び賭数の設定に用いたメダルを精算する（クレジット及び賭数の設定に用いた分のメダルを返却させる）際に操作される精算スイッチ１０、ゲームを開始する際に操作されるスタートスイッチ７、リール２Ｌ、２Ｃ、２Ｒの回転を各々停止する際に操作されるストップスイッチ８Ｌ、８Ｃ、８Ｒ、演出に用いるための演出用スイッチ５６が遊技者により操作可能にそれぞれ設けられている。
【００２８】
尚、本実施例では、回転を開始した３つのリール２Ｌ、２Ｃ、２Ｒのうち、最初に停止するリールを第１停止リールと称し、また、その停止を第１停止と称する。同様に、２番目に停止するリールを第２停止リールと称し、また、その停止を第２停止と称し、３番目に停止するリールを第３停止リールと称し、また、その停止を第３停止あるいは最終停止と称する。
【００２９】
また、前面扉１ｂには、図１に示すように、クレジットとして記憶されているメダル枚数が表示されるクレジット表示器１１、入賞の発生により払い出されたメダル枚数やエラー発生時にその内容を示すエラーコード等が表示される遊技補助表示器１２、賭数が１設定されている旨を点灯により報知する１ＢＥＴＬＥＤ１４、賭数が２設定されている旨を点灯により報知する２ＢＥＴＬＥＤ１５、賭数が３設定されている旨を点灯により報知する３ＢＥＴＬＥＤ１６、メダルの投入が可能な状態を点灯により報知する投入要求ＬＥＤ１７、スタートスイッチ７の操作によるゲームのスタート操作が有効である旨を点灯により報知するスタート有効ＬＥＤ１８、ウェイト（前回のゲーム開始から一定期間経過していないためにリールの回転開始を待機している状態）中である旨を点灯により報知するウェイト中ＬＥＤ１９、後述するリプレイゲーム中である旨を点灯により報知するリプレイ中ＬＥＤ２０が設けられた遊技用表示部１３が設けられている。
【００３０】
ＭＡＸＢＥＴスイッチ６の内部には、ＭＡＸＢＥＴスイッチ６の操作による賭数の設定操作が有効である旨を点灯により報知するＢＥＴスイッチ有効ＬＥＤ２１（図４参照）が設けられており、ストップスイッチ８Ｌ、８Ｃ、８Ｒの内部には、該当するストップスイッチ８Ｌ、８Ｃ、８Ｒによるリールの停止操作が有効である旨を点灯により報知する左、中、右停止有効ＬＥＤ２２Ｌ、２２Ｃ、２２Ｒ（図４参照）がそれぞれ設けられている。
【００３１】
また、前面扉１ｂにおけるストップスイッチ８Ｌ、８Ｃ、８Ｒの下方には、スロットマシン１のタイトルや後述する配当表１などが印刷された下部パネルが設けられている。
【００３２】
前面扉１ｂの内側には、図２に示すように、所定のキー操作により後述するエラー状態及び後述する打止状態を解除するためのリセット操作を検出するリセットスイッチ２３（図４参照）、後述する設定値の変更中や設定値の確認中にその時点の設定値が表示される設定値表示器２４、後述のＢＢ終了時に打止状態（リセット操作がなされるまでゲームの進行が規制される状態）に制御する打止機能の有効／無効を選択するための打止スイッチ３６ａ、後述のＢＢ終了時に自動精算処理（クレジットとして記憶されているメダルを遊技者の操作によらず精算（返却）する処理）に制御する自動精算機能の有効／無効を選択するための自動精算スイッチ３６ｂ、メダル投入部４から投入されたメダルの流路を、筐体１ａ内部に設けられた後述のホッパータンク３４ａ側またはメダル払出口９側のいずれか一方に選択的に切り替えるための流路切替ソレノイド３０（図４参照）、メダル投入部４から投入され、ホッパータンク３４ａ側に流下したメダルを検出する投入メダルセンサ３１（図４参照）を有するメダルセレクタ２９、前面扉１ｂの開放状態を検出するドア開放検出スイッチ２５（図４参照）が設けられている。
【００３３】
筐体１ａ内部には、図２に示すように、前述したリール２Ｌ、２Ｃ、２Ｒ、リールモータ３２Ｌ、３２Ｃ、３２Ｒ（図４参照）、各リール２Ｌ、２Ｃ、２Ｒのリール基準位置をそれぞれ検出可能なリールセンサ３３Ｌ、３３Ｃ、３３Ｒ（図４参照）からなるリールユニット２、外部出力信号を出力するための外部出力基板１０００（図４参照）、メダル投入部４から投入されたメダルを貯留するホッパータンク３４ａ、ホッパータンク３４ａに貯留されたメダルをメダル払出口９より払い出すためのホッパーモータ３４ｂ（図４参照）、ホッパーモータ３４ｂの駆動により払い出されたメダルを検出する払出センサ３４ｃ（図４参照）からなるホッパーユニット３４、電源ボックス１００が設けられている。
【００３４】
ホッパーユニット３４の側部には、ホッパータンク３４ａから溢れたメダルが貯留されるオーバーフロータンク３５が設けられている。オーバーフロータンク３５の内部には、メダルの貯留量が所定量以上となったこと、すなわちオーバーフロータンク３５が満タン状態となったことを検出する満タンセンサ３５ａが設けられている。
【００３５】
電源ボックス１００の前面には、図２に示すように、設定変更状態または設定確認状態に切り替えるための設定キースイッチ３７、通常時においてはエラー状態や打止状態を解除するためのリセットスイッチとして機能し、設定変更状態においては後述する内部抽選の当選確率（出玉率）の設定値を変更するための設定スイッチとして機能するリセット／設定スイッチ３８、電源をｏｎ／ｏｆｆする際に操作される電源スイッチ３９が設けられている。
【００３６】
尚、電源ボックス１００は、筐体１ａの内部に設けられており、さらに前面扉１ｂは、店員等が所持する所定のキー操作により開放可能な構成であるため、これら電源ボックス１００の前面に設けられた設定キースイッチ３７、リセット／設定スイッチ３８、電源スイッチ３９は、キーを所持する店員等の者のみが操作可能とされ、遊技者による操作ができないようになっている。また、所定のキー操作により検出されるリセットスイッチ２３も同様である。特に、設定キースイッチ３７は、キー操作により前面扉１ｂを開放したうえで、さらにキー操作を要することから、遊技場の店員のなかでも、設定キースイッチ３７の操作を行うキーを所持する店員のみ操作が可能とされている。
【００３７】
本実施例のスロットマシン１においてゲームを行う場合には、まず、メダルをメダル投入部４から投入するか、あるいはクレジットを使用して賭数を設定する。クレジットを使用するにはＭＡＸＢＥＴスイッチ６を操作すれば良い。遊技状態に応じて定められた規定数の賭数が設定されると、入賞ラインＬＮ（図１参照）が有効となり、スタートスイッチ７の操作が有効な状態、すなわち、ゲームが開始可能な状態となる。本実施例では、規定数の賭数として遊技状態に関わらず３枚が定められて規定数の賭数が設定されると入賞ラインＬＮが有効となる。尚、遊技状態に対応する規定数のうち最大数を超えてメダルが投入された場合には、その分はクレジットに加算される。
【００３８】
入賞ラインとは、各リール２Ｌ、２Ｃ、２Ｒの透視窓３に表示された図柄の組み合わせが入賞図柄の組み合わせであるかを判定するために設定されるラインである。本実施例では、図１に示すように、リール２Ｌの中段、リール２Ｃの中段、リール２Ｒの中段、すなわち中段に水平方向に並んだ図柄に跨って設定された入賞ラインＬＮのみが入賞ラインとして定められている。尚、本実施例では、１本の入賞ラインのみを適用しているが、複数の入賞ラインを適用しても良い。
【００３９】
また、本実施例では、入賞ラインＬＮに入賞を構成する図柄の組み合わせが揃ったことを認識しやすくするために、入賞ラインＬＮとは別に、無効ラインＬＭ１〜４を設定している。無効ラインＬＭ１〜４は、これら無効ラインＬＭ１〜４に揃った図柄の組み合わせによって入賞が判定されるものではなく、入賞ラインＬＮに特定の入賞を構成する図柄の組み合わせが揃った際に、無効ラインＬＭ１〜４のいずれかに入賞ラインＬＮに揃った場合に入賞となる図柄の組み合わせ（例えば、ベル−ベル−ベル）が揃う構成とすることで、入賞ラインＬＮに特定の入賞を構成する図柄の組み合わせが揃ったことを認識しやすくするものである。本実施例では、図１に示すように、リール２Ｌの上段、リール２Ｃの上段、リール２Ｒの上段、すなわち上段に水平方向に並んだ図柄に跨って設定された無効ラインＬＭ１、リール２Ｌの下段、リール２Ｃの下段、リール２Ｒの下段、すなわち下段に水平方向に並んだ図柄に跨って設定された無効ラインＬＭ２、リール２Ｌの上段、リール２Ｃの中段、リール２Ｒの下段、すなわち右下がりに並んだ図柄に跨って設定された無効ラインＬＭ３、リール２Ｌの下段、リール２Ｃの中段、リール２Ｒの上段、すなわち右上がりに並んだ図柄に跨って設定された無効ラインＬＭ４の４種類が無効ラインＬＭとして定められている。
【００４０】
ゲームが開始可能な状態でスタートスイッチ７を操作すると、各リール２Ｌ、２Ｃ、２Ｒが回転し、各リール２Ｌ、２Ｃ、２Ｒの図柄が連続的に変動する。この状態でいずれかのストップスイッチ８Ｌ、８Ｃ、８Ｒを操作すると、対応するリール２Ｌ、２Ｃ、２Ｒの回転が停止し、透視窓３に表示結果が導出表示される。
【００４１】
そして全てのリール２Ｌ、２Ｃ、２Ｒが停止されることで１ゲームが終了し、入賞ラインＬＮ上に予め定められた図柄の組み合わせ（以下、役とも呼ぶ）が各リール２Ｌ、２Ｃ、２Ｒの表示結果として停止した場合には入賞が発生し、その入賞に応じて定められた枚数のメダルが遊技者に対して付与され、クレジットに加算される。また、クレジットが上限数（本実施例では５０）に達した場合には、メダルが直接メダル払出口９（図１参照）から払い出されるようになっている。また、入賞ラインＬＮ上に、遊技状態の移行を伴う図柄の組み合わせが各リール２Ｌ、２Ｃ、２Ｒの表示結果として停止した場合には図柄の組み合わせに応じた遊技状態に移行するようになっている。
【００４２】
尚、本実施例では、スタートスイッチ７の操作が有効な状態でスタートスイッチ７の操作が検出されたときにゲームが開始し、全てのリールが停止したときにゲームが終了する。また、ゲームを実行するための１単位の制御（ゲーム制御）は、前回のゲームの終了に伴う全ての制御が完了したときに開始し、当該ゲームの終了に伴う全ての制御が完了したときに終了する。
【００４３】
また、本実施例では、３つのリールを用いた構成を例示しているが、リールを１つのみ用いた構成、２つのリールを用いた構成、４つ以上のリールを用いた構成としても良く、２以上のリールを用いた構成においては、２以上の全てのリールに導出された表示結果の組み合わせに基づいて入賞を判定する構成とすれば良い。また、本実施例では、物理的なリールにて可変表示装置が構成されているが、液晶表示器などの画像表示装置にて可変表示装置が構成されていても良い。
【００４４】
また、本実施例におけるスロットマシン１にあっては、ゲームが開始されて各リール２Ｌ、２Ｃ、２Ｒが回転して図柄の変動が開始した後、いずれかのストップスイッチ８Ｌ、８Ｃ、８Ｒが操作されたときに、当該ストップスイッチ８Ｌ、８Ｃ、８Ｒに対応するリールの回転が停止して図柄が停止表示される。ストップスイッチ８Ｌ、８Ｃ、８Ｒの操作から対応するリール２Ｌ、２Ｃ、２Ｒの回転を停止するまでの最大停止遅延時間は１９０ｍｓ（ミリ秒）である。
【００４５】
リール２Ｌ、２Ｃ、２Ｒは、１分間に８０回転し、８０×２１（１リール当たりの図柄コマ数）＝１６８０コマ分の図柄を変動させるので、１９０ｍｓの間では最大で４コマの図柄を引き込むことができることとなる。つまり、停止図柄として選択可能なのは、ストップスイッチ８Ｌ、８Ｃ、８Ｒが操作されたときに表示されている図柄と、そこから４コマ先までにある図柄、合計５コマ分の図柄である。
【００４６】
このため、例えば、ストップスイッチ８Ｌ、８Ｃ、８Ｒのいずれかが操作されたときに当該ストップスイッチに対応するリールの下段に表示されている図柄を基準とした場合、当該図柄から４コマ先までの図柄を下段に表示させることができるため、リール２Ｌ、２Ｃ、２Ｒ各々において、ストップスイッチ８Ｌ、８Ｒのうちいずれかが操作されたときに当該ストップスイッチに対応するリールの中段に表示されている図柄を含めて５コマ以内に配置されている図柄を入賞ライン上に表示させることができる。
【００４７】
図４は、スロットマシン１の構成を示すブロック図である。スロットマシン１には、図４に示すように、遊技制御基板４０、演出制御基板９０、電源基板１０１が設けられており、遊技制御基板４０によって遊技状態が制御され、演出制御基板９０によって遊技状態に応じた演出が制御され、電源基板１０１によってスロットマシン１を構成する電気部品の駆動電源が生成され、各部に供給される。
【００４８】
電源基板１０１には、外部からＡＣ１００Ｖの電源が供給されるとともに、このＡＣ１００Ｖの電源からスロットマシン１を構成する電気部品の駆動に必要な直流電圧が生成され、遊技制御基板４０及び遊技制御基板４０を介して接続された演出制御基板９０に供給されるようになっている。尚、演出制御基板に対して電源を供給する電源供給ラインが遊技制御基板４０を介さず、電源基板１０１から演出制御基板９０に直接接続され、電源基板１０１から演出制御基板９０に対して直接電源が供給される構成としても良い。
【００４９】
また、電源基板１０１には、前述したホッパーモータ３４ｂ、払出センサ３４ｃ、満タンセンサ３５ａ、設定キースイッチ３７、リセット／設定スイッチ３８、電源スイッチ３９が接続されている。
【００５０】
遊技制御基板４０には、前述したＭＡＸＢＥＴスイッチ６、スタートスイッチ７、ストップスイッチ８Ｌ、８Ｃ、８Ｒ、精算スイッチ１０、リセットスイッチ２３、打止スイッチ３６ａ、自動精算スイッチ３６ｂ、投入メダルセンサ３１、ドア開放検出スイッチ２５、リールセンサ３３Ｌ、３３Ｃ、３３Ｒが接続されているとともに、電源基板１０１を介して前述した払出センサ３４ｃ、満タンセンサ３５ａ、設定キースイッチ３７、リセット／設定スイッチ３８が接続されており、これら接続されたスイッチ類の検出信号が入力されるようになっている。
【００５１】
また、遊技制御基板４０には、前述したクレジット表示器１１、遊技補助表示器１２、１〜３ＢＥＴＬＥＤ１４〜１６、投入要求ＬＥＤ１７、スタート有効ＬＥＤ１８、ウェイト中ＬＥＤ１９、リプレイ中ＬＥＤ２０、ＢＥＴスイッチ有効ＬＥＤ２１、左、中、右停止有効ＬＥＤ２２Ｌ、２２Ｃ、２２Ｒ、設定値表示器２４、流路切替ソレノイド３０、リールモータ３２Ｌ、３２Ｃ、３２Ｒが接続されているとともに、電源基板１０１を介して前述したホッパーモータ３４ｂが接続されており、これら電気部品は、遊技制御基板４０に搭載された後述のメイン制御部４１の制御に基づいて駆動されるようになっている。
【００５２】
遊技制御基板４０には、メイン制御部４１、制御用クロック生成回路４２、乱数用クロック生成回路４３、スイッチ検出回路４４、モータ駆動回路４５、ソレノイド駆動回路４６、ＬＥＤ駆動回路４７、電断検出回路４８、リセット回路４９が搭載されている。
【００５３】
メイン制御部４１は、遊技の進行に関する処理を行うととともに、遊技制御基板４０に搭載された制御回路の各部を直接的または間接的に制御する。
【００５４】
制御用クロック生成回路４２は、メイン制御部４１の外部にて、所定周波数の発振信号となる制御用クロックＣＣＬＫを生成する。制御用クロック生成回路４２により生成された制御用クロックＣＣＬＫは、図５に示すクロック回路５０２に供給される。乱数用クロック生成回路４３は、メイン制御部４１の外部にて、制御用クロックＣＣＬＫの発振周波数とは異なる所定周波数の発振信号となる乱数用クロックＲＣＬＫを生成する。乱数用クロック生成回路４３により生成された乱数用クロックＲＣＬＫは、図５に示す乱数回路５０８ａ、５０８ｂに供給される。
【００５５】
スイッチ検出回路４４は、遊技制御基板４０に直接または電源基板１０１を介して接続されたスイッチ類から入力された検出信号を取り込んでメイン制御部４１に伝送する。モータ駆動回路４５は、メイン制御部４１から出力されたモータ駆動信号（ステッピングモータの位相信号）をリールモータ３２Ｌ、３２Ｃ、３２Ｒに伝送する。ソレノイド駆動回路４６は、メイン制御部４１から出力されたソレノイド駆動信号を流路切替ソレノイド３０に伝送する。ＬＥＤ駆動回路９３は、メイン制御部４１から出力されたＬＥＤ駆動信号を遊技制御基板４０に接続された各種表示器やＬＥＤに伝送する。電断検出回路４８は、スロットマシン１に供給される電源電圧を監視し、電圧低下を検出したときに、その旨を示す電圧低下信号をメイン制御部４１に対して出力する。リセット回路４９は、電源投入時または電源遮断時などの電源が不安定な状態においてメイン制御部４１にシステムリセット信号を与える。
【００５６】
図５は、遊技制御基板４０に搭載されたメイン制御部４１の構成例を示している。図５に示すメイン制御部４１は、１チップマイクロコンピュータであり、外部バスインターフェイス５０１と、クロック回路５０２と、照合用ブロック５０３と、固有情報記憶回路５０４と、演算回路５０５と、リセット／割込コントローラ５０６と、ＣＰＵ（Central  Processing  Unit）４１ａと、ＲＯＭ（Read  Only  Memory）４１ｂと、ＲＡＭ（Random  Access  Memory）４１ｃと、フリーランカウンタ回路５０７と、乱数回路５０８ａ、５０８ｂと、タイマ回路５０９と、割込コントローラ５１０と、パラレル入力ポート５１１と、シリアル通信回路５１２と、パラレル出力ポート５１３と、アドレスデコード回路５１４と、を備えて構成される。
【００５７】
リセット／割込コントローラ５０６は、メイン制御部４１の内部や外部にて発生する各種リセット、割込み要求を制御するためのものである。
【００５８】
リセット／割込コントローラ５０６は、指定エリア外走行禁止（ＩＡＴ）回路５０６ａとウォッチドッグタイマ（ＷＤＴ）５０６ｂとを備える。ＩＡＴ回路５０６ａは、ユーザプログラムが指定エリア内で正しく実行されているか否かを監視する回路であり、指定エリア外でユーザプログラムが実行されたことを検出するとＩＡＴ発生信号を出力する機能を備える。また、ウォッチドッグタイマ５０６ｂは、設定期間ごとにタイムアウト信号を発生させる機能を備える。
【００５９】
外部バスインターフェイス５０１は、メイン制御部４１を構成するチップの外部バスと内部バスとのインターフェイス機能や、アドレスバス、データバス及び各制御信号の方向制御機能などを有するバスインターフェイスである。
【００６０】
クロック回路５０２は、制御用クロックＣＣＬＫを２分周することなどにより、内部システムクロックＳＣＬＫを生成する回路である。
【００６１】
照合用ブロック５０３は、外部の照合機と接続し、チップの照合を行う機能を備える。固有情報記憶回路５０４は、メイン制御部４１の内部情報となる複数種類の固有情報を記憶する回路である。演算回路５０５は、乗算及び除算を行う回路である。
【００６２】
ＣＰＵ４１ａは、ＲＯＭ４１ｂから読み出した制御コードに基づいてユーザプログラム（ゲーム制御用の遊技制御処理プログラム）を実行することにより、スロットマシン１における遊技制御を実行する制御用ＣＰＵである。こうした遊技制御が実行されるときには、ＣＰＵ４１ａがＲＯＭ４１ｂから固定データを読み出す固定データ読出動作や、ＣＰＵ４１ａがＲＡＭ４１ｃに各種の変動データを書き込んで一時記憶させる変動データ書込動作、ＣＰＵ４１ａがＲＡＭ４１ｃに一時記憶されている各種の変動データを読み出す変動データ読出動作、ＣＰＵ４１ａが外部バスインターフェイス５０１やパラレル入力ポート５１１、シリアル通信回路５１２などを介してメイン制御部４１の外部から各種信号の入力を受け付ける受信動作、ＣＰＵ４１ａが外部バスインターフェイス５０１やシリアル通信回路５１２、パラレル出力ポート５１３などを介してメイン制御部４１の外部へと各種信号を出力する送信動作等も行われる。
【００６３】
ＲＯＭ４１ｂには、ユーザプログラム（ゲーム制御用の遊技制御処理プログラム）を示す制御コードや固定データ等が記憶されている。
【００６４】
ＲＡＭ４１ｃは、ゲーム制御用のワークエリアを提供する。ここで、ＲＡＭ４１ｃの少なくとも一部は、バックアップ電源によってバックアップされているバックアップＲＡＭであれば良い。すなわち、スロットマシン１への電力供給が停止しても、所定期間はＲＡＭ４１ｃの少なくとも一部の内容が保存される。
【００６５】
フリーランカウンタ回路５０７として、８ビットのフリーランカウンタを４チャネル搭載している。
【００６６】
乱数回路５０８ａ、５０８ｂは、８ビット乱数や１６ビット乱数といった、所定の更新範囲を有する乱数値となる数値データを生成する回路である。本実施例では、乱数回路５０８ａ、５０８ｂのうち１６ビット乱数回路５０８ｂが生成するハードウェア乱数は、後述する内部抽選用の乱数として用いられる。
【００６７】
タイマ回路５０９は、８ビットプログラマブルタイマであり、メイン制御部４１は、タイマ回路５０９として、８ビットのカウンタを３チャネル備える。本実施例では、タイマ回路５０９を用いてユーザプログラムによる設定により、リアルタイム割込要求や時間計測を行うことが可能である。
【００６８】
割込コントローラ５１０は、ＰＩ５／ＸＩＮＴ端子からの外部割込要求や、内蔵の周辺回路（例えば、シリアル通信回路５１２、乱数回路５０８ａ、５０８ｂ、タイマ回路５０９）からの割込要求を制御する回路である。
【００６９】
パラレル入力ポート５１１は、８ビット幅の入力専用ポート（ＰＩＰ）を内蔵する。また、図５に示すメイン制御部４１が備えるパラレル出力ポート５１３は、１１ビット幅の出力専用ポート（ＰＯＰ）を内蔵する。
【００７０】
シリアル通信回路５１２は、外部に対する入出力において非同期シリアル通信を行う回路である。尚、メイン制御部４１は、シリアル通信回路５１２として、送受信両用の１チャネルの回路と、送信用のみの３チャネルの回路と、を備える。
【００７１】
アドレスデコード回路５１４は、メイン制御部４１の内部における各機能ブロックのデコードや、外部装置用のデコード信号であるチップセレクト信号のデコードを行うための回路である。チップセレクト信号により、メイン制御部４１の内部回路、あるいは、周辺デバイスとなる外部装置を、選択的に有効動作させて、ＣＰＵ４１ａからのアクセスが可能となる。
【００７２】
本実施例においてメイン制御部４１は、パラレル出力ポート５１３を介してサブ制御部９１に各種のコマンドを送信する。メイン制御部４１からサブ制御部９１へ送信されるコマンドは一方向のみで送られ、サブ制御部９１からメイン制御部４１へ向けてコマンドが送られることはない。また、本実施例では、パラレル出力ポート５１３を介してサブ制御部９１に対してコマンドが送信される構成、すなわちコマンドがパラレル信号にて送信される構成であるが、シリアル通信回路５１２を介してサブ制御部９１に対してコマンドを送信する構成、すなわちコマンドをシリアル信号にて送信する構成としても良い。
【００７３】
また、メイン制御部４１は、遊技制御基板４０に接続された各種スイッチ類の検出状態がパラレル入力ポート５１１から入力される。そしてメイン制御部４１は、これらパラレル入力ポート５１１から入力される各種スイッチ類の検出状態に応じて段階的に移行する基本処理を実行する。
【００７４】
また、メイン制御部４１は、割込の発生により基本処理に割り込んで割込処理を実行できるようになっている。本実施例では、タイマ回路５０９にてタイムアウトが発生したこと、すなわち一定時間間隔（本実施例では、約０．５６ｍｓ）毎に後述するタイマ割込処理（メイン）を実行する。
【００７５】
また、メイン制御部４１は、割込処理の実行中に他の割込を禁止するように設定されているとともに、複数の割込が同時に発生した場合には、予め定められた順位によって優先して実行する割込が設定されている。尚、割込処理の実行中に他の割込要因が発生し、割込処理が終了してもその割込要因が継続している状態であれば、その時点で新たな割込が発生することとなる。
【００７６】
メイン制御部４１は、基本処理として遊技制御基板４０に接続された各種スイッチ類の検出状態が変化するまでは制御状態に応じた処理を繰り返しループし、各種スイッチ類の検出状態の変化に応じて段階的に移行する処理を実行する。また、メイン制御部４１は、一定時間間隔（本実施例では、約０．５６ｍｓ）毎にタイマ割込処理（メイン）を実行する。尚、タイマ割込処理（メイン）の実行間隔は、基本処理において制御状態に応じて繰り返す処理が一巡する時間とタイマ割込処理（メイン）の実行時間とを合わせた時間よりも長い時間に設定されており、今回と次回のタイマ割込処理（メイン）との間で必ず制御状態に応じて繰り返す処理が最低でも一巡することとなる。
【００７７】
演出制御基板９０には、演出用スイッチ５６が接続されており、この演出用スイッチ５６の検出信号が入力されるようになっている。
【００７８】
演出制御基板９０には、スロットマシン１の前面扉１ｂに配置された液晶表示器５１（図１参照）、演出効果ＬＥＤ５２、スピーカ５３、５４、前述したリールＬＥＤ５５等の演出装置が接続されており、これら演出装置は、演出制御基板９０に搭載された後述のサブ制御部９１による制御に基づいて駆動されるようになっている。
【００７９】
尚、本実施例では、演出制御基板９０に搭載されたサブ制御部９１により、液晶表示器５１、演出効果ＬＥＤ５２、スピーカ５３、５４、リールＬＥＤ５５等の演出装置の出力制御が行われる構成であるが、サブ制御部９１とは別に演出装置の出力制御を直接的に行う出力制御部を演出制御基板９０または他の基板に搭載し、サブ制御部９１がメイン制御部４１からのコマンドに基づいて演出装置の出力パターンを決定し、サブ制御部９１が決定した出力パターンに基づいて出力制御部が演出装置の出力制御を行う構成としても良く、このような構成では、サブ制御部９１及び出力制御部の双方によって演出装置の出力制御が行われることとなる。
【００８０】
また、本実施例では、演出装置として液晶表示器５１、演出効果ＬＥＤ５２、スピーカ５３、５４、リールＬＥＤ５５を例示しているが、演出装置は、これらに限られず、例えば、機械的に駆動する表示装置や機械的に駆動する役モノなどを演出装置として適用しても良い。
【００８１】
演出制御基板９０には、サブＣＰＵ９１ａ、ＲＯＭ９１ｂ、ＲＡＭ９１ｃ、Ｉ／Ｏポート９１ｄを備えたマイクロコンピュータにて構成され、演出の制御を行うサブ制御部９１、演出制御基板９０に接続された液晶表示器５１の表示制御を行う表示制御回路９２、演出効果ＬＥＤ５２、リールＬＥＤ５５の駆動制御を行うＬＥＤ駆動回路９３、スピーカ５３、５４からの音声出力制御を行う音声出力回路９４、電源投入時またはサブＣＰＵ９１ａからの初期化命令が一定時間入力されないときにサブＣＰＵ９１ａにリセット信号を与えるリセット回路９５、演出制御基板９０に接続された演出用スイッチ５６から入力された検出信号を検出するスイッチ検出回路９６、日付情報及び時刻情報を含む時間情報を出力する時計装置９７、スロットマシン１に供給される電源電圧を監視し、電圧低下を検出したときに、その旨を示す電圧低下信号をサブＣＰＵ９１ａに対して出力する電断検出回路９８、その他の回路等、が搭載されており、サブＣＰＵ９１ａは、遊技制御基板４０から送信されるコマンドを受けて、演出を行うための各種の制御を行うとともに、演出制御基板９０に搭載された制御回路の各部を直接的または間接的に制御する。
【００８２】
リセット回路９５は、遊技制御基板４０においてメイン制御部４１にシステムリセット信号を与えるリセット回路４９よりもリセット信号を解除する電圧が低く定められており、電源投入時においてサブ制御部９１は、メイン制御部４１よりも早い段階で起動するようになっている。一方で、電断検出回路９８は、遊技制御基板４０においてメイン制御部４１に電圧低下信号を出力する電断検出回路４８よりも電圧低下信号を出力する電圧が低く定められており、電断時においてサブ制御部９１は、メイン制御部４１よりも遅い段階で停電を検知し、後述する電断処理（サブ）を行うこととなる。
【００８３】
サブ制御部９１は、メイン制御部４１と同様に、割込機能を備えており、メイン制御部４１からのコマンド受信時に割込を発生させて、メイン制御部４１から送信されたコマンドを取得し、バッファに格納するコマンド受信割込処理を実行する。また、サブ制御部９１は、システムクロックの入力数が一定数に到達する毎、すなわち一定時間間隔（約２ｍｓ）毎に割込を発生させて後述するタイマ割込処理（サブ）を実行する。
【００８４】
また、サブ制御部９１は、メイン制御部４１とは異なり、コマンドの受信に基づいて割込が発生した場合には、タイマ割込処理（サブ）の実行中であっても、当該処理に割り込んでコマンド受信割込処理を実行し、タイマ割込処理（サブ）の契機となる割込が同時に発生してもコマンド受信割込処理を最優先で実行するようになっている。
【００８５】
また、サブ制御部９１にも、停電時においてバックアップ電源が供給されており、バックアップ電源が供給されている間は、ＲＡＭ９１ｃに記憶されているデータが保持されるようになっている。
【００８６】
本実施例のスロットマシン１は、設定値に応じてメダルの払出率が変わるものである。詳しくは、後述する内部抽選、ナビストック抽選等において設定値に応じた当選確率を用いることにより、メダルの払出率が変わるようになっている。設定値は１〜６の６段階からなり、６が最も払出率が高く、５、４、３、２、１の順に値が小さくなるほど払出率が低くなる。すなわち設定値として６が設定されている場合には、遊技者にとって最も有利度が高く、５、４、３、２、１の順に値が小さくなるほど有利度が段階的に低くなる。
【００８７】
設定値を変更するためには、設定キースイッチ３７をｏｎ状態としてからスロットマシン１の電源をｏｎする必要がある。設定キースイッチ３７をｏｎ状態として電源をｏｎすると、設定値表示器２４にＲＡＭ４１ｃから読み出された設定値が表示値として表示され、リセット／設定スイッチ３８の操作による設定値の変更操作が可能な設定変更状態に移行する。設定変更状態において、リセット／設定スイッチ３８が操作されると、設定値表示器２４に表示された表示値が１ずつ更新されていく（設定値６からさらに操作されたときは、設定値１に戻る）。そして、スタートスイッチ７が操作されると表示値を設定値として確定する。そして、設定キースイッチ３７がｏｆｆされると、確定した表示値（設定値）がメイン制御部４１のＲＡＭ４１ｃに格納され、遊技の進行が可能な状態に移行する。
【００８８】
また、設定値を確認するためには、ゲーム終了後、賭数が設定されていない状態で設定キースイッチ３７をｏｎ状態とすれば良い。このような状況で設定キースイッチ３７をｏｎ状態とすると、設定値表示器２４にＲＡＭ４１ｃから読み出された設定値が表示されることで設定値を確認可能な設定確認状態に移行する。設定確認状態においては、ゲームの進行が不能であり、設定キースイッチ３７をｏｆｆ状態とすることで、設定確認状態が終了し、ゲームの進行が可能な状態に復帰することとなる。
【００８９】
本実施例のスロットマシン１においては、メイン制御部４１は、タイマ割込処理（メイン）を実行する毎に、電断検出回路４８からの電圧低下信号が検出されているか否かを判定する停電判定処理を行い、停電判定処理において電圧低下信号が検出されていると判定した場合に、次回復帰時にＲＡＭ４１ｃのデータが正常か否かを判定するためのデータを設定する電断処理（メイン）を実行する。
【００９０】
そして、メイン制御部４１は、その起動時においてＲＡＭ４１ｃのデータが正常であることを条件に、ＲＡＭ４１ｃに記憶されているデータに基づいてメイン制御部４１の処理状態を電断前の状態に復帰させるが、ＲＡＭ４１ｃデータが正常でない場合には、ＲＡＭ異常と判定し、ＲＡＭ異常エラーコードをレジスタにセットしてＲＡＭ異常エラー状態に制御し、遊技の進行を不能化させるようになっている。
【００９１】
また、サブ制御部９１もタイマ割込処理（サブ）において電断検出回路９８からの電圧低下信号が検出されているか否かを判定し、電圧低下信号が検出されていると判定した場合に、次回復帰時にＲＡＭ９１ｃのデータが正常か否かを判定するためのデータを設定する電断処理（サブ）を実行する。
【００９２】
そして、サブ制御部９１は、その起動時においてＲＡＭ９１ｃのデータが正常であることを条件に、ＲＡＭ９１ｃに記憶されているデータに基づいてサブ制御部９１の処理状態を電断前の状態に復帰させるが、ＲＡＭ９１ｃのデータが正常でない場合には、ＲＡＭ異常と判定し、ＲＡＭ９１ｃを初期化するようになっている。この場合、メイン制御部４１と異なり、ＲＡＭ９１ｃが初期化されるのみで演出の実行が不能化されることはない。
【００９３】
また、サブ制御部９１は、その起動時においてＲＡＭ９１ｃのデータが正常であると判断された場合でも、メイン制御部４１から設定変更状態に移行した旨を示す後述の設定コマンドを受信した場合、起動後一定時間が経過してもメイン制御部４１の制御状態が復帰した旨を示す後述の復帰コマンドも設定コマンドも受信しない場合にも、ＲＡＭ９１ｃを初期化するようになっている。この場合も、ＲＡＭ９１ｃが初期化されるのみで演出の実行が不能化されることはない。
【００９４】
次に、メイン制御部４１のＲＡＭ４１ｃの初期化について説明する。メイン制御部４１のＲＡＭ４１ｃの格納領域は、重要ワーク、非保存ワーク、一般ワーク、特別ワーク、未使用領域、スタック領域に区分されている。
【００９５】
本実施例においてメイン制御部４１は、ＲＡＭ異常エラー発生時、設定キースイッチ３７がｏｎの状態での起動時、ＢＢ終了時、設定キースイッチ３７がｏｆｆの状態での起動時でＲＡＭ４１ｃのデータが破壊されていないとき、１ゲーム終了時の５つからなる初期化条件が成立した際に、各初期化条件に応じて初期化される領域の異なる４種類の初期化を行う。
【００９６】
初期化０は、ＲＡＭ異常エラー時に行う初期化であり、初期化０では、ＲＡＭ４１ｃの全ての領域が初期化される。初期化１は、起動時において設定キースイッチ３７がｏｎの状態であり、設定変更状態へ移行する場合において、その前に行う初期化であり、初期化１では、ＲＡＭ４１ｃの格納領域のうち重要ワーク及び特別ワーク以外の領域が初期化される。初期化２は、ＢＢ終了時に行う初期化であり、初期化２では、ＲＡＭ４１ｃの格納領域のうち一般ワーク、未使用領域及び未使用スタック領域が初期化される。初期化３は、起動時において設定キースイッチ３７がｏｆｆの状態であり、かつＲＡＭ４１ｃのデータが破壊されていない場合において行う初期化であり、初期化３では、非保存ワーク、未使用領域及び未使用スタック領域が初期化される。初期化４は、１ゲーム終了時に行う初期化であり、初期化４では、ＲＡＭ４１ｃの格納領域のうち、未使用領域及び未使用スタック領域が初期化される。
【００９７】
尚、本実施例では、初期化１を設定変更状態の移行前に行っているが、設定変更状態の終了時に行ったり、設定変更状態移行前、設定変更状態終了時の双方で行ったりするようにしても良い。
【００９８】
本実施例のスロットマシン１は、前述のように遊技状態（ＲＴ０〜５、ＲＢ、ＢＢ（ＲＢ））に応じて設定可能な賭数の規定数が定められており、遊技状態に応じて定められた規定数の賭数が設定されたことを条件にゲームを開始させることが可能となる。尚、本実施例では、遊技状態に応じた規定数の賭数が設定された時点で、入賞ラインＬＮが有効化される。
【００９９】
そして、全てのリール２Ｌ、２Ｃ、２Ｒが停止した際に、有効化された入賞ライン（本実施例の場合、常に全ての入賞ラインが有効化されるため、以下では、有効化された入賞ラインを単に入賞ラインと呼ぶ）上に役と呼ばれる図柄の組み合わせが揃うと入賞となる。役は、同一図柄の組み合わせであっても良いし、異なる図柄を含む組み合わせであっても良い。
【０１００】
入賞となる役の種類は、遊技状態に応じて定められているが、大きく分けて、メダルの払い出しを伴う小役と、賭数の設定を必要とせずに次のゲームを開始可能となる再遊技役と、遊技者にとって有利な遊技状態への移行を伴う特別役と、がある。以下では、小役と再遊技役をまとめて一般役とも呼ぶ。
【０１０１】
遊技状態に応じて定められた各役の入賞が発生するためには、後述する内部抽選に当選して、当該役の当選フラグがＲＡＭ４１ｃに設定されている必要がある。
【０１０２】
尚、これら各役の当選フラグのうち、小役及び再遊技役の当選フラグは、当該フラグが設定されたゲームにおいてのみ有効とされ、次のゲームでは無効となるが、特別役の当選フラグは、当該フラグにより許容された役の組み合わせが揃うまで有効とされ、許容された役の組み合わせが揃ったゲームにおいて無効となる。すなわち特別役の当選フラグが一度当選すると、例え、当該フラグにより許容された役の組み合わせを揃えることができなかった場合にも、その当選フラグは無効とされずに、次のゲームへ持ち越されることとなる。
【０１０３】
以下、本実施例の内部抽選について説明する。内部抽選は、メイン制御部４１が、上記した各役への入賞を許容するか否かを、全てのリール２Ｌ、２Ｃ、２Ｒの表示結果が導出表示される以前に（実際には、スタートスイッチ７の検出時）決定するものである。内部抽選では、まず、スタートスイッチ７の検出時に内部抽選用の乱数値（０〜６５５３５の整数）を取得する。詳しくは、乱数回路５０８ｂにより生成され、乱数回路５０８ｂの乱数値レジスタに格納されている値をＲＡＭ４１ｃに割り当てられた抽選用ワークに設定する。そして、遊技状態等に応じて定められた各役について、抽選用ワークに格納された数値データと、現在の遊技状態等、賭数及び設定値に応じて定められた各役の判定値数に応じて行われる。
【０１０４】
内部抽選では、内部抽選の対象となる役、現在の遊技状態等及び設定値に対応して定められた判定値数を、内部抽選用の乱数値（抽選用ワークに格納された数値データ）に順次加算し、加算の結果がオーバーフローしたときに、当該役に当選したものと判定される。このため、判定値数の大小に応じた確率（判定値数／６５５３６）で役が当選することとなる。
【０１０５】
そして、いずれかの役の当選が判定された場合には、当選が判定された役に対応する当選フラグをＣＰＵ４１ａに割り当てられた内部当選フラグ格納ワークに設定する。内部当選フラグ格納ワークは、２バイトの格納領域にて構成されており、そのうちの上位バイトが、特別役の当選フラグが設定される特別役格納ワークとして割り当てられ、下位バイトが、一般役の当選フラグが設定される一般役格納ワークとして割り当てられている。詳しくは、特別役が当選した場合には、当該特別役が当選した旨を示す特別役の当選フラグを特別役格納ワークに設定し、一般役格納ワークに設定されている当選フラグをクリアする。また、一般役が当選した場合には、当該一般役が当選した旨を示す一般役の当選フラグを一般役格納ワークに設定する。尚、いずれの役及び役の組み合わせにも当選しなかった場合には、一般役格納ワークのみクリアする。
【０１０６】
次に、リール２Ｌ、２Ｃ、２Ｒの停止制御について説明する。
【０１０７】
メイン制御部４１は、リールの回転が開始したとき、及びリールが停止し、かつ未だ回転中のリールが残っているときに、ＲＯＭ４１ｂに格納されているテーブルインデックス及びテーブル作成用データを参照して、回転中のリール別に停止制御テーブルを作成する。そして、ストップスイッチ８Ｌ、８Ｃ、８Ｒのうち、回転中のリールに対応するいずれかの操作が有効に検出されたときに、該当するリールの停止制御テーブルを参照し、参照した停止制御テーブルの滑りコマ数に基づいて、操作されたストップスイッチ８Ｌ、８Ｃ、８Ｒに対応するリール２Ｌ、２Ｃ、２Ｒの回転を停止させる制御を行う。
【０１０８】
テーブルインデックスには、内部抽選による当選フラグの設定状態（以下、内部当選状態と呼ぶ）別に、テーブルインデックスを参照する際の基準アドレスから、テーブル作成用データが格納された領域の先頭アドレスを示すインデックスデータが格納されているアドレスまでの差分が登録されている。これにより内部当選状態に応じた差分を取得し、基準アドレスに対してその差分を加算することで該当するインデックスデータを取得することが可能となる。尚、役の当選状況が異なる場合でも、同一の制御が適用される場合においては、インデックスデータとして同一のアドレスが格納されており、このような場合には、同一のテーブル作成用データを参照して、停止制御テーブルが作成されることとなる。
【０１０９】
テーブル作成用データは、停止操作位置に応じた滑りコマ数を示す停止制御テーブルと、リールの停止状況に応じて参照すべき停止制御テーブルのアドレスと、からなる。
【０１１０】
リールの停止状況に応じて参照される停止制御テーブルは、全てのリールが回転しているか、左リールのみ停止しているか、中リールのみ停止しているか、右リールのみ停止しているか、左、中リールが停止しているか、左、右リールが停止しているか、中、右リールが停止しているか、によって異なる場合があり、更に、いずれかのリールが停止している状況においては、停止済みのリールの停止位置によっても異なる場合があるので、それぞれの状況について、参照すべき停止制御テーブルのアドレスが回転中のリール別に登録されており、テーブル作成用データの先頭アドレスに基づいて、それぞれの状況に応じて参照すべき停止制御テーブルのアドレスが特定可能とされ、この特定されたアドレスから、それぞれの状況に応じて必要な停止制御テーブルを特定できるようになっている。尚、リールの停止状況や停止済みのリールの停止位置が異なる場合でも、同一の停止制御テーブルが適用される場合においては、停止制御テーブルのアドレスとして同一のアドレスが登録されているものもあり、このような場合には、同一の停止制御テーブルが参照されることとなる。
【０１１１】
停止制御テーブルは、停止操作が行われたタイミング別の滑りコマ数を特定可能なデータである。本実施例では、リールモータ３２Ｌ、３２Ｃ、３２Ｒに、３３６ステップ（０〜３３５）の周期で１周するステッピングモータを用いている。すなわちリールモータ３２Ｌ、３２Ｃ、３２Ｒを３３６ステップ駆動させることでリール２Ｌ、２Ｃ、２Ｒが１周することとなる。そして、リール１周に対して１６ステップ（１図柄が移動するステップ数）毎に分割した２１の領域（コマ）が定められており、これらの領域には、リール基準位置から０〜２０の領域番号が割り当てられている。一方、１リールに配列された図柄数も２１であり、各リールの図柄に対して、リール基準位置から０〜２０の図柄番号が割り当てられているので、０番図柄から２０番図柄に対して、それぞれ０〜２０の領域番号が順に割り当てられていることとなる。そして、停止制御テーブルには、領域番号別の滑りコマ数が所定のルールで圧縮して格納されており、停止制御テーブルを展開することによって領域番号別の滑りコマ数を取得できるようになっている。
【０１１２】
前述のようにテーブルインデックス及びテーブル作成用データを参照して作成される停止制御テーブルは、領域番号に対応して、各領域番号に対応する領域が停止基準位置（本実施例では、透視窓３の下段図柄の領域）に位置するタイミング（リール基準位置からのステップ数が各領域番号のステップ数の範囲に含まれるタイミング）でストップスイッチ８Ｌ、８Ｃ、８Ｒの操作が検出された場合の滑りコマ数がそれぞれ設定されたテーブルである。
【０１１３】
次に、停止制御テーブルの作成手順について説明すると、まず、リール回転開始時においては、そのゲームの内部当選状態に応じたテーブル作成用データの先頭アドレスを取得する。具体的には、まずテーブルインデックスを参照し、内部当選状態に対応するインデックスデータを取得し、そして取得したインデックスデータに基づいてテーブル作成用データを特定し、特定したテーブル作成用データから全てのリールが回転中の状態に対応する各リールの停止制御テーブルのアドレスを取得し、取得したアドレスに格納されている各リールの停止制御テーブルを展開して全てのリールについて停止制御テーブルを作成する。
【０１１４】
また、いずれか１つのリールが停止したとき、またはいずれか２つのリールが停止したときには、リール回転開始時に取得したインデックスデータ、すなわちそのゲームの内部当選状態に応じたテーブル作成用データの先頭アドレスに基づいてテーブル作成用データを特定し、特定したテーブル作成用データから停止済みのリール及び当該リールの停止位置の領域番号に対応する未停止リールの停止制御テーブルのアドレスを取得し、取得したアドレスに格納されている各リールの停止制御テーブルを展開して未停止のリールについて停止制御テーブルを作成する。
【０１１５】
次に、メイン制御部４１がストップスイッチ８Ｌ、８Ｃ、８Ｒのうち、回転中のリールに対応するいずれかの操作を有効に検出したときに、該当するリールに表示結果を導出させる際の制御について説明すると、ストップスイッチ８Ｌ、８Ｃ、８Ｒのうち、回転中のリールに対応するいずれかの操作を有効に検出すると、停止操作を検出した時点のリール基準位置からのステップ数に基づいて停止操作位置の領域番号を特定し、停止操作が検出されたリールの停止制御テーブルを参照し、特定した停止操作位置の領域番号に対応する滑りコマ数を取得する。そして、取得した滑りコマ数分リールを回転させて停止させる制御を行う。具体的には、停止操作を検出した時点のリール基準位置からのステップ数から、取得した滑りコマ数引き込んで停止させるまでのステップ数を算出し、算出したステップ数分リールを回転させて停止させる制御を行う。これにより、停止操作が検出された停止操作位置の領域番号に対応する領域から滑りコマ数分先の停止位置となる領域番号に対応する領域が停止基準位置（本実施例では、透視窓３の下段図柄の領域）に停止することとなる。
【０１１６】
本実施例のテーブルインデックスには、一の遊技状態における一の内部当選状態に対応するインデックスデータとして１つのアドレスのみが格納されており、更に、一のテーブル作成用データには、一のリールの停止状況（及び停止済みのリールの停止位置）に対応する停止制御テーブルの格納領域のアドレスとして１つのアドレスのみが格納されている。すなわち一の遊技状態における一の内部当選状態に対応するテーブル作成用データ、及びリールの停止状況（及び停止済みのリールの停止位置）に対応する停止制御テーブルが一意的に定められており、これらを参照して作成される停止制御テーブルも、一の遊技状態における一の内部当選状態、及びリールの停止状況（及び停止済みのリールの停止位置）に対して一意となる。このため、遊技状態、内部当選状態、リールの停止状況（及び停止済みのリールの停止位置）の全てが同一条件となった際に、同一の停止制御テーブル、すなわち同一の制御パターンに基づいてリールの停止制御が行われることとなる。
【０１１７】
また、本実施例では、滑りコマ数として０〜４の値が定められており、停止操作を検出してから最大４コマ図柄を引き込んでリールを停止させることが可能である。すなわち停止操作を検出した停止操作位置を含め、最大５コマの範囲から図柄の停止位置を指定できるようになっている。また、１図柄分リールを移動させるのに１コマの移動が必要であるので、停止操作を検出してから最大４図柄を引き込んでリールを停止させることが可能であり、停止操作を検出した停止操作位置を含め、最大５図柄の範囲から図柄の停止位置を指定できることとなる。
【０１１８】
本実施例では、いずれかの役に当選している場合には、当選役を入賞ライン上に４コマの範囲で最大限引き込み、当選していない役が入賞ライン上に揃わないように引き込む滑りコマ数が定められた停止制御テーブルを作成し、リールの停止制御を行う一方、いずれの役にも当選していない場合には、いずれの役も揃わない滑りコマ数が定められた停止制御テーブルを作成し、リールの停止制御を行う。これにより、停止操作が行われた際に、入賞ライン上に最大４コマの引込範囲で当選している役を揃えて停止させることができれば、これを揃えて停止させる制御が行われ、当選していない役は、最大４コマの引込範囲で揃えずに停止させる制御が行われることとなる。
【０１１９】
特別役が前ゲーム以前から持ち越されている状態で小役が当選した場合など、特別役と小役が同時に当選している場合には、当選した小役を入賞ラインに４コマの範囲で最大限に引き込むように滑りコマ数が定められているとともに、当選した小役を入賞ラインに最大４コマの範囲で引き込めない停止操作位置については、当選した特別役を入賞ラインに４コマの範囲で最大限に引き込むように滑りコマ数が定められた停止制御テーブルを作成し、リールの停止制御を行う。これにより、停止操作が行われた際に、入賞ライン上に最大４コマの引込範囲で当選している小役を揃えて停止させることができれば、これを揃えて停止させる制御が行われ、入賞ライン上に最大４コマの引込範囲で当選している小役を引き込めない場合には、入賞ライン上に最大４コマの引込範囲で当選している特別役を揃えて停止させることができれば、これを揃えて停止させる制御が行われ、当選していない役は、４コマの引込範囲で揃えずに停止させる制御が行われることとなる。すなわちこのような場合には、特別役よりも小役を入賞ライン上に揃える制御が優先され、小役を引き込めない場合にのみ、特別役を入賞させることが可能となる。尚、特別役と小役を同時に引き込める場合には、小役のみを引き込み、特別役と同時に小役が入賞ライン上に揃わないようになる。
【０１２０】
尚、本実施例では、特別役が前ゲーム以前から持ち越されている状態で小役が当選した場合や新たに特別役と小役が同時に当選した場合など、特別役と小役が同時に当選している場合には、当選した特別役よりも当選した小役が優先され、小役が引き込めない場合のみ、特別役を入賞ライン上に揃える制御を行っているが、特別役と小役が同時に当選している場合に、小役よりも特別役を入賞ライン上に揃える制御が優先され、特別役を引き込めない場合にのみ、小役を入賞ライン上に揃える制御を行っても良い。
【０１２１】
特別役が前ゲーム以前から持ち越されている状態で再遊技役が当選した場合など、特別役と再遊技役が同時に当選している場合には、停止操作が行われた際に、入賞ライン上に最大４コマの引込範囲で再遊技役の図柄を揃えて停止させる制御が行われる。尚、この場合、再遊技役を構成する図柄または同時当選する再遊技役を構成する図柄は、リール２Ｌ、２Ｃ、２Ｒのいずれについても５図柄以内、すなわち４コマ以内の間隔で配置されており、４コマの引込範囲で必ず任意の位置に停止させることができるので、特別役と再遊技役が同時に当選している場合には、遊技者によるストップスイッチ８Ｌ、８Ｃ、８Ｒの操作タイミングに関わらずに、必ず再遊技役が揃って入賞することとなる。すなわちこのような場合には、特別役よりも再遊技役を入賞ライン上に揃える制御が優先され、必ず再遊技役が入賞することとなる。尚、特別役と再遊技役を同時に引き込める場合には、再遊技役のみを引き込み、再遊技役と同時に特別役が入賞ライン上に揃わないようになっている。
【０１２２】
また、本実施例では、停止操作が行われたタイミング別の滑りコマ数を特定可能な停止制御テーブルを用いてリールの停止制御を行う構成であるが、停止可能な位置を特定可能な停止位置テーブルから停止位置を特定し、特定した停止位置にリールを停止させる停止制御を行う構成、停止制御テーブルや停止位置テーブルを用いずに、停止操作がされたタイミングで停止可能な停止位置を検索・特定し、特定した停止位置にリールを停止させる停止制御を行う構成、停止制御テーブルを用いた停止制御、停止位置テーブルを用いた停止制御、停止制御テーブルや停止位置テーブルを用いずに停止可能な停止位置を検索・特定することによる停止制御を併用する構成、停止制御テーブルや停止位置テーブルを一部変更して停止制御を行う構成としても良い。
【０１２３】
本実施例においてメイン制御部４１は、リール２Ｌ、２Ｃ、２Ｒの回転が開始した後、ストップスイッチ８Ｌ、８Ｃ、８Ｒの操作が検出されるまで、停止操作が未だ検出されていないリールの回転を継続し、ストップスイッチ８Ｌ、８Ｃ、８Ｒの操作が検出されたことを条件に、対応するリールに表示結果を停止させる制御を行うようになっている。尚、リール回転エラーの発生により、一時的にリールの回転が停止した場合でも、その後リール回転が再開した後、ストップスイッチ８Ｌ、８Ｃ、８Ｒの操作が検出されるまで、停止操作が未だ検出されていないリールの回転を継続し、ストップスイッチ８Ｌ、８Ｃ、８Ｒの操作が検出されたことを条件に、対応するリールに表示結果を停止させる制御を行うようになっている。
【０１２４】
尚、本実施例では、ストップスイッチ８Ｌ、８Ｃ、８Ｒの操作が検出されたことを条件に、対応するリールに表示結果を停止させる制御を行うようになっているが、リールの回転が開始してから、予め定められた自動停止時間が経過した場合に、リールの停止操作がなされない場合でも、停止操作がなされたものとみなして自動的に各リールを停止させる自動停止制御を行うようにしても良い。この場合には、遊技者の操作を介さずにリールが停止することとなるため、例え、いずれかの役が当選している場合でもいずれの役も構成しない表示結果を導出させることが好ましい。
【０１２５】
本実施例においてメイン制御部４１は、前のゲームにおいて後述する１回目の内部当選フラグ８信号の出力を開始させる毎にその時点、すなわち１回目の内部当選フラグ８信号の出力を開始させた時点から経過した時間であるゲーム時間を計時するようになっており、１ゲームの終了後、メダルの投入等により規定数の賭数が設定され、ゲームの開始操作が有効となった状態でゲームの開始操作がされたときに、前のゲームにおいて後述する１回目の内部当選フラグ８信号の出力開始時点から計時を開始したゲーム時間が所定の規制時間（本実施例では４．１秒）以上であれば、すなわち前のゲームの１回目の内部当選フラグ８信号の出力開始時点から所定の規制時間が経過していれば、その時点で当該ゲームにおける１回目の内部当選フラグ８信号の出力を開始させるとともに、その後リールの回転を開始させる。
【０１２６】
一方、１ゲームの終了後、メダルの投入等により規定数の賭数が設定され、ゲームの開始操作が有効となった状態でゲームの開始操作がされたときに、前のゲームの１回目の内部当選フラグ８信号の出力開始時点から計時を開始したゲーム時間が所定の規制時間未満であれば、すなわち前のゲームの１回目の内部当選フラグ８信号の出力開始時点から所定の規制時間が経過していなければ、その時点では１回目の内部当選フラグ８信号の出力を開始させず、前のゲームの１回目の内部当選フラグ８信号の出力開始時点から計時を開始したゲーム時間が所定の規制時間に到達するまで待機し、所定の規制時間に到達した時点で当該ゲームにおける１回目の内部当選フラグ８信号の出力を開始させるとともに、その後リールの回転を開始させる。
【０１２７】
すなわちメイン制御部４１は、前のゲームにおける１回目の内部当選フラグ８信号の出力開始から所定の規制時間が経過していない場合には、この所定の規制時間が経過するまで当該ゲームの１回目の内部当選フラグ８信号の出力開始を遅延させることにより、その後のリールの回転開始、すなわちゲームの進行を規制することで、１ゲームの最短時間が所定の規制時間以上となるようにゲームの進行を規制するようになっている。
【０１２８】
尚、本実施例では、前のゲームにおける１回目の内部当選フラグ８信号の出力開始から所定の規制時間が経過していない場合には、この所定の規制時間が経過するまで当該ゲームの１回目の内部当選フラグ８信号の出力開始を遅延させることにより、その後のリールの回転開始を規制することで、１ゲームの最短時間が所定の規制時間以上となるようにゲームの進行を規制する構成であるが、少なくとも１ゲームの最短時間が所定の規制時間以上となるようにゲームの進行を規制する構成であれば良く、１ゲームにおける１回目の内部当選フラグ８信号の出力開始以外の一のタイミング（例えば、リールの回転開始時、ゲーム終了時など）からゲーム時間の計時を開始し、次のゲームにおける同じ一のタイミングまでに所定の規制時間が経過していれば遊技を進行可能とする一方、次のゲームにおける同じ一のタイミングまでに所定の規制時間が経過していなければ遊技を進行させず所定の規制時間が経過するまで待機し、所定の規制時間が経過した時点で遊技を進行可能とすることで、１ゲームの最短時間が所定の規制時間以上となるようにゲームの進行を規制する構成としても良い。
【０１２９】
次に、メイン制御部４１がサブ制御部９１に対して送信するコマンドについて説明する。
【０１３０】
本実施例では、メイン制御部４１がサブ制御部９１に対して、投入枚数コマンド、クレジットコマンド、内部当選コマンド、フリーズ抽選結果コマンド、フリーズ開始コマンド、継続抽選結果コマンド、仮停止コマンド、フリーズ終了コマンド、リール遅延コマンド、リール回転開始コマンド、リール停止コマンド、入賞番号コマンド、払出開始コマンド、払出終了コマンド、遊技状態コマンド、ＲＴ情報コマンド、待機コマンド、打止コマンド、エラーコマンド、復帰コマンド、設定コマンド、設定確認コマンド、ドアコマンド、操作検出コマンドを含む複数種類のコマンドを送信する。
【０１３１】
これらコマンドは、コマンドの種類を示す１バイトの種類データとコマンドの内容を示す１バイトの拡張データとからなり、サブ制御部９１は、種類データからコマンドの種類を判別できるようになっている。
【０１３２】
投入枚数コマンドは、メダルの投入枚数、すなわち賭数の設定に使用されたメダル枚数を特定可能なコマンドであり、ゲーム終了後（設定変更後）からゲーム開始までの状態であり、電断復帰時、または規定数の賭数が設定されていない状態においてメダルが投入されるか、ＭＡＸＢＥＴスイッチ６が操作されて賭数が設定されたときに送信される。また、投入枚数コマンドは、賭数の設定操作がなされたときに送信されるので、投入枚数コマンドを受信することで賭数の設定操作がなされたことを特定可能である。
【０１３３】
クレジットコマンドは、クレジットとして記憶されているメダル枚数を特定可能なコマンドであり、ゲーム終了後（設定変更後）からゲーム開始までの状態であり、規定数の賭数が設定されている状態において、メダルが投入されてクレジットが加算されたときに送信される。
【０１３４】
内部当選コマンドは、内部抽選結果を特定可能なコマンドであり、スタートスイッチ７が操作されてゲームが開始したときに送信される。また、内部当選コマンドは、スタートスイッチ７が操作されたときに送信されるので、内部当選コマンドを受信することでスタートスイッチ７が操作されたことを特定可能である。
【０１３５】
フリーズ抽選結果コマンドは、後述するフリーズ抽選の結果を特定可能なコマンドであり、内部当選コマンドの送信後に送信される。
【０１３６】
フリーズ開始コマンドは、後述するフリーズ状態が開始する旨を特定可能なコマンドであり、フリーズ状態の開始時に送信される。
【０１３７】
継続抽選結果コマンドは、後述する継続抽選の結果、すなわちフリーズ状態が継続するか否かを特定可能なコマンドであり、継続抽選の実行後に送信される。
【０１３８】
仮停止コマンドは、後述する擬似遊技演出において、仮停止するリールが左リール、中リール、右リールのいずれかであるか、該当するリールの停止操作位置の領域番号、該当するリールの停止位置の領域番号、を特定可能なコマンドであり、擬似遊技演出中の停止操作に伴いリールを仮停止させる毎に送信される。
【０１３９】
フリーズ終了コマンドは、後述するフリーズ状態が終了する旨を特定可能なコマンドであり、フリーズ状態の終了時に送信される。
【０１４０】
リール遅延コマンドは、後述のフリーズ状態において実行される擬似遊技演出後、各リールが回転を開始するタイミング、定速回転となるタイミング及び停止操作が有効となるタイミングを特定可能なコマンドであり、擬似遊技演出後、最初に回転を開始する左リールの回転開始前に送信される。
【０１４１】
リール回転開始コマンドは、後述のフリーズ状態に制御されないゲームにおいてリールの回転の開始を通知するコマンドであり、リール２Ｌ、２Ｃ、２Ｒの回転が開始されたときに送信される。
【０１４２】
リール停止コマンドは、停止するリールが左リール、中リール、右リールのいずれかであるか、該当するリールの停止操作位置の領域番号、該当するリールの停止位置の領域番号、を特定可能なコマンドであり、各リールの停止操作に伴う停止制御が行われる毎に送信される。また、リール停止コマンドは、ストップスイッチ８Ｌ、８Ｃ、８Ｒが操作されたときに送信されるので、リール停止コマンドを受信することでストップスイッチ８Ｌ、８Ｃ、８Ｒが操作されたことを特定可能である。
【０１４３】
入賞番号コマンドは、入賞ラインＬＮに揃った図柄の組み合わせ、入賞の有無、並びに入賞の種類、入賞時のメダルの払出枚数を特定可能なコマンドであり、全リールが停止して入賞判定が行われた後に送信される。
【０１４４】
払出開始コマンドは、メダルの払出開始を通知するコマンドであり、入賞やクレジット（賭数の設定に用いられたメダルを含む）の精算によるメダルの払出が開始されたときに送信される。また、払出終了コマンドは、メダルの払出終了を通知するコマンドであり、入賞及びクレジットの精算によるメダルの払出が終了したときに送信される。
【０１４５】
遊技状態コマンドは、現在の遊技状態（ＢＢ中、ＲＢ中、再遊技）を特定可能なコマンドであり、ゲームの終了時に送信される。
【０１４６】
ＲＴ情報コマンドは、次ゲームの遊技状態（ＲＴ０〜５のいずれか）を特定可能なコマンドであり、ゲームの終了時に送信される。
【０１４７】
待機コマンドは、待機状態へ移行する旨を示すコマンドであり、１ゲーム終了後、賭数が設定されずに一定時間経過して待機状態に移行するとき、クレジット（賭数の設定に用いられたメダルを含む）の精算によるメダルの払出が終了し、払出終了コマンドが送信された後に送信される。
【０１４８】
打止コマンドは、打止状態の発生または解除を示すコマンドであり、ＢＢ終了後、エンディング演出待ち時間が経過した時点で打止状態の発生を示す打止コマンドが送信され、リセット操作がなされて打止状態が解除された時点で、打止状態の解除を示す打止コマンドが送信される。
【０１４９】
エラーコマンドは、エラー状態の発生または解除、エラー状態の種類を示すコマンドであり、エラーが判定され、エラー状態に制御された時点でエラー状態の発生及びその種類を示すエラーコマンドが送信され、リセット操作がなされてエラー状態が解除された時点で、エラー状態の解除を示すエラーコマンドが送信される。
【０１５０】
復帰コマンドは、メイン制御部４１が電断前の制御状態に復帰した旨を示すコマンドであり、メイン制御部４１の起動時において電断前の制御状態に復帰した際に送信される。
【０１５１】
設定コマンドは、設定変更状態の開始または終了、設定変更後設定値を示すコマンドであり、設定変更状態に移行する時点で設定変更状態の開始を示す設定コマンドが送信され、設定変更状態の終了時に設定変更状態の終了及び設定変更後の設定値を示す設定コマンドが送信される。また、設定変更状態への移行に伴ってメイン制御部４１の制御状態が初期化されるため、設定開始を示す設定コマンドによりメイン制御部４１の制御状態が初期化されたことを特定可能である。
【０１５２】
設定確認コマンドは、設定確認状態の開始または終了を示すコマンドであり、設定確認状態に移行する際に設定確認開始を示す設定確認コマンドが送信され、設定確認状態の終了時に設定確認終了を示す設定確認コマンドが送信される。
【０１５３】
ドアコマンドは、ドア開放検出スイッチ２５の検出状態、すなわちｏｎ（開放状態）／ｏｆｆ（閉状態）を示すコマンドであり、電源投入時、１ゲーム終了時（ゲーム終了後、次のゲームの賭数の設定が開始可能となる前までの時点）、ドア開放検出スイッチ２５の検出状態が変化（ｏｎからｏｆｆ、ｏｆｆからｏｎ）した時に送信される。
【０１５４】
操作検出コマンドは、操作スイッチ類（ＭＡＸＢＥＴスイッチ６、スタートスイッチ７、ストップスイッチ８Ｌ、８Ｃ、８Ｒ）の検出状態（ｏｎ／ｏｆｆ）を示すコマンドであり、一定時間毎に送信される。
【０１５５】
これらコマンドのうちドアコマンド及び操作検出コマンド以外のコマンドは、基本処理において生成され、ＲＡＭ４１ｃに設けられたコマンドキューに一時格納され、その後のタイマ割込処理（メイン）のコマンド送信処理おいて送信される。
【０１５６】
一方、ドアコマンドは、タイマ割込処理（メイン）のドア監視処理においてに生成され、ＲＡＭ４１ｃに設けられたコマンドキューに一時格納され、その後のタイマ割込処理（メイン）のコマンド送信処理おいて送信される。
【０１５７】
また、操作検出コマンドは、タイマ割込処理（メイン）のコマンド送信処理が１０回実行される毎に、スイッチの検出状態に基づいて生成されるとともに、ＲＡＭ４１ｃに設けられたコマンドキューに一時格納され、その後のタイマ割込処理（メイン）のコマンド送信処理おいて送信される。
【０１５８】
次に、メイン制御部４１が演出制御基板９０に対して送信するコマンドに基づいてサブ制御部９１が実行する演出の制御について説明する。
【０１５９】
サブ制御部９１は、メイン制御部４１からのコマンドを受信した際に、コマンド受信割込処理を実行する。コマンド受信割込処理では、ＲＡＭ９１ｃに設けられた受信用バッファに、コマンド伝送ラインから取得したコマンドを格納する。
【０１６０】
受信用バッファには、最大で１６個のコマンドを格納可能な領域が設けられており、複数のコマンドを蓄積できるようになっている。
【０１６１】
サブ制御部９１は、タイマ割込処理（サブ）において、受信用バッファに未処理のコマンドが格納されているか否かを判定し、未処理のコマンドが格納されている場合には、そのうち最も早い段階で受信したコマンドに基づいてＲＯＭ９１ｂに格納された制御パターンテーブルを参照し、制御パターンテーブルに登録された制御内容に基づいて液晶表示器５１、演出効果ＬＥＤ５２、スピーカ５３、５４、リールＬＥＤ５５等の各種演出装置の出力制御を行う。
【０１６２】
制御パターンテーブルには、複数種類の演出パターン毎に、コマンドの種類に対応する液晶表示器５１の表示パターン、演出効果ＬＥＤ５２の点灯態様、スピーカ５３、５４の出力態様、リールＬＥＤ５５の点灯態様等、これら演出装置の制御パターンが登録されており、サブ制御部９１は、コマンドを受信した際に、制御パターンテーブルの当該ゲームにおいてＲＡＭ９１ｃに設定されている演出パターンに対応して登録された制御パターンのうち、受信したコマンドの種類に対応する制御パターンを参照し、当該制御パターンに基づいて演出装置の出力制御を行う。これにより演出パターン及び遊技の進行状況に応じた演出が実行されることとなる。
【０１６３】
尚、サブ制御部９１は、あるコマンドの受信を契機とする演出の実行中に、新たにコマンドを受信した場合には、実行中の制御パターンに基づく演出を中止し、新たに受信したコマンドに対応する制御パターンに基づく演出を実行するようになっている。すなわち演出が最後まで終了していない状態でも、新たにコマンドを受信すると、受信した新たなコマンドが新たな演出の契機となるコマンドではない場合を除いて実行していた演出はキャンセルされて新たなコマンドに基づく演出が実行されることとなる。
【０１６４】
図６〜図９は、入賞役の種類、入賞役の図柄組み合わせ、及び入賞役に関連する技術事項について説明するための図である。また、図１０は、メイン制御部４１により制御される遊技状態の遷移を説明するための図であり、図１１は、遊技状態及びＲＴの概要を示す図である。
【０１６５】
本実施例におけるスロットマシンは、図１０に示すように、ＲＴ０〜５、ＲＢ、ＢＢ（ＲＢ）のいずれかに制御される。
【０１６６】
図６を参照して、入賞役のうち特別役について説明する。入賞役のうち特別役には、ビッグボーナス１〜４（以下、各々のビッグボーナスをＢＢと称する）、レギュラーボーナス１、２（以下、各々のレギュラーボーナスをＲＢと称する）の６種類のボーナスが含まれる。
【０１６７】
ＢＢ１は、入賞ラインに「網７−網７−網７」の組み合わせが揃ったときに入賞となる。ＢＢ２は、入賞ラインに「白７−白７−白７」の組み合わせが揃ったときに入賞となる。ＢＢ１、ＢＢ２のいずれかに入賞すると、ＢＢ中レギュラーボーナス（以下、ＢＢＲＢと称する）に毎ゲーム制御されるビッグボーナスに移行する。ＢＢ１、ＢＢ２のいずれかの入賞に起因して発生したビッグボーナスは、３１６枚以上メダルが払い出されたことを条件として終了する。
【０１６８】
ＲＢ１は、入賞ラインに「網７−網７−黒７」の組み合わせが揃ったときに入賞となる。ＲＢ２は、入賞ラインに「白７−白７−黒７」の組み合わせが揃ったときに入賞となる。ＲＢ１、ＲＢ２のいずれかに入賞すると、レギュラーボーナス（以下、ＲＢと称する）に移行される。ＲＢ１、ＲＢ２のいずれかの入賞に起因して発生したレギュラーボーナスは、いずれかの役が６回入賞するか、１２ゲーム消化したことを条件として終了する。
【０１６９】
図１０に示すように、ＢＢ１、ＲＢ２のいずれかに内部当選してから入賞するまでは、ＲＴ４に制御され、ＢＢ２、ＲＢ１のいずれかに内部当選してから入賞するまでは、ＲＴ５に制御される。また、図１０に示すように、ビッグボーナスまたはレギュラーボーナス（まとめてボーナスと呼ぶ）が終了した後は、ＲＴ３に制御される。
【０１７０】
ＢＢ１、ＢＢ２、ＲＢ１、ＲＢ２を構成する図柄（左リール及び中リールの「黒７」、「白７」、右リールの「黒７」、「白７」、「網７」））は、各々、左リール２Ｌ、中リール２Ｃ、右リール２Ｒ各々において５コマ以内に配置されていないため、後述する内部抽選においてＢＢ１、ＢＢ２、ＲＢ１、ＲＢ２のうちいずれかに当選していても、ストップスイッチ８Ｌ、８Ｃ、８Ｒをこれらの役に入賞可能とする適正なタイミングで操作しなければ、これらの役に入賞することはない。
【０１７１】
次に、図７を参照して、入賞役のうち小役について説明する。入賞役のうち小役には、中段ベル、右下がりベル、上段ベル１〜８、下段チェリー、１枚役、右上がりベルが含まれる。
【０１７２】
中段ベルは、入賞ラインＬＮに「ベル−ベル−ベル」の組み合わせが揃ったときに入賞となり、８枚のメダルが払い出される。ベルは、左リール２Ｌ、中リール２Ｃ、右リール２Ｒ各々において５コマ以内に配置されている。このため、後述する内部抽選において中段ベルに当選しているときには、原則として、ストップスイッチ８Ｌ、８Ｃ、８Ｒの操作タイミングに関わらず入賞させることができる役といえる。
【０１７３】
右下がりベルは、入賞ラインＬＮに「リプレイ−ベル−リプレイ」、「リプレイ−ベル−プラム」、「プラム−ベル−リプレイ」、「プラム−ベル−プラム」のいずれかの組み合わせが揃ったときに入賞となり、８枚のメダルが払い出される。左リール２Ｌのリプレイ及びプラムは、ベルの１つ下の位置に配置されており、右リール２Ｒのリプレイ及びプラムは、ベルの１つ上の位置に配置されているので、「リプレイ−ベル−リプレイ」、「リプレイ−ベル−プラム」、「プラム−ベル−リプレイ」、「プラム−ベル−プラム」のいずれかの組み合わせが揃うと、「ベル−ベル−ベル」の組み合わせが右下がり、すなわち無効ラインＬＭ３に揃うこととなる。また、プラム、リプレイのいずれか一方は、左リール２Ｌ、右リール２Ｒ各々において５コマ以内に配置されており、ベルは、中リール２Ｃにおいて５コマ以内に配置されている。このため、後述する内部抽選において右下がりベルに当選しているときには、原則として、ストップスイッチ８Ｌ、８Ｃ、８Ｒの操作タイミングに関わらず入賞させることができる役といえる。
【０１７４】
次に、上段ベル１〜８について説明する。上段ベル１は、入賞ラインＬＮに「リプレイ−オレンジ−オレンジ」の組み合わせが揃ったときに入賞となる。上段ベル２は、入賞ラインＬＮに「リプレイ−オレンジ−ＢＡＲ」の組み合わせが揃ったときに入賞となる。上段ベル３は、入賞ラインＬＮに「リプレイ−ＢＡＲ−オレンジ」の組み合わせが揃ったときに入賞となる。上段ベル４は、入賞ラインＬＮに「リプレイ−ＢＡＲ−ＢＡＲ」の組み合わせが揃ったときに入賞となる。上段ベル５は、入賞ラインＬＮに「プラム−オレンジ−オレンジ」の組み合わせが揃ったときに入賞となる。上段ベル６は、入賞ラインＬＮに「プラム−オレンジ−ＢＡＲ」の組み合わせが揃ったときに入賞となる。上段ベル７は、入賞ラインＬＮに「プラム−ＢＡＲ−オレンジ」の組み合わせが揃ったときに入賞となる。上段ベル８は、入賞ラインＬＮに「プラム−ＢＡＲ−ＢＡＲ」の組み合わせが揃ったときに入賞となる。上段ベル１〜８が入賞すると８枚のメダルが払い出される。
【０１７５】
左リール２Ｌのリプレイ及びプラム、中リールのＢＡＲ及びオレンジ、右リール２ＲのＢＡＲ及びオレンジは、ベルの１つ下の位置に配置されているので、「リプレイ−オレンジ−オレンジ」、「リプレイ−オレンジ−ＢＡＲ」、「リプレイ−ＢＡＲ−オレンジ」、「リプレイ−ＢＡＲ−ＢＡＲ」、「プラム−オレンジ−オレンジ」、「プラム−オレンジ−ＢＡＲ」、「プラム−ＢＡＲ−オレンジ」、「プラム−ＢＡＲ−ＢＡＲ」のいずれかの組み合わせが揃うと、「ベル−ベル−ベル」の組み合わせが上段、すなわち無効ラインＬＭ１に揃うこととなる。また、左リール２Ｌにおいて、リプレイ及びプラムは、５コマ以内に配置されておらず、中リール２Ｃ、右リール２Ｒの各々について、オレンジ及びＢＡＲは、５コマ以内に配置されていない。このため、後述する内部抽選において上段ベル１〜８のいずれかに当選していても、当選している上段ベルの構成図柄に対応するストップスイッチ８Ｌ、８Ｃ、８Ｒを適正なタイミングで操作しなければ、当選している上段ベルに入賞することはない。
【０１７６】
下段チェリーは、入賞ラインＬＮに「ＢＡＲ−オレンジ−ＡＮＹ（ＡＮＹはいずれの図柄でも可）」、「ＢＡＲ−ＢＡＲ−ＡＮＹ」、「ＢＡＲ−ベル−ＡＮＹ」の組み合わせが揃ったときに入賞となる。下段チェリーが入賞すると２枚メダルが払い出される。左リール２ＬのＢＡＲは、チェリーの１つ上の位置に配置されているので、「ＢＡＲ−オレンジ−ＡＮＹ（ＡＮＹはいずれの図柄でも可）」、「ＢＡＲ−ＢＡＲ−ＡＮＹ」、「ＢＡＲ−ベル−ＡＮＹ」のいずれかの組み合わせが揃うと、左リールの「チェリー」が下段に停止することとなり、「チェリー−ＡＮＹ−ＡＮＹ」の組み合わせが下段及び右上がり、すなわち無効ラインＬＭ２及びＬＭ４に揃うこととなる。また、中リール２Ｃにおいてオレンジ、ＢＡＲ、ベルのいずれかは、５コマ以内に配置されているが、左リール２Ｌにおいて、ＢＡＲは、５コマ以内に配置されていない。このため、後述する内部抽選において下段チェリーに当選していても、左リール２Ｌに対応するストップスイッチ８Ｌを適正なタイミングで操作しなければ、下段チェリーに入賞することはない。
【０１７７】
１枚役は、入賞ラインＬＮに「黒７−チェリー−網７」の組み合わせが揃ったときに入賞となる。１枚役が入賞すると１枚メダルが払い出される。左リール２Ｌの黒７、中リールのチェリー、右リールの網７は、５コマ以内に配置されていない。このため、後述する内部抽選において１枚役に当選していても、左リール２Ｌ、中リール２Ｃ、右リール２Ｒに対応するストップスイッチ８Ｌ、８Ｃ、８Ｒを適正なタイミングで操作しなければ、１枚役に入賞することはない。
【０１７８】
右上がりベルは、入賞ラインＬＮに「黒７−ベル−オレンジ」、「白７−ベル−オレンジ」、「スイカ−ベル−オレンジ」、「黒７−ベル−ＢＡＲ」、「白７−ベル−ＢＡＲ」、「スイカ−ベル−ＢＡＲ」のいずれかの組み合わせが揃ったときに入賞となり、１０枚のメダルが払い出される。左リール２Ｌの黒７、白７、スイカは、ベルの１つ上の位置に配置されており、右リール２Ｒのオレンジ、ＢＡＲは、ベルの１つ下の位置に配置されているので「黒７−ベル−オレンジ」、「白７−ベル−オレンジ」、「スイカ−ベル−オレンジ」、「黒７−ベル−ＢＡＲ」、「白７−ベル−ＢＡＲ」、「スイカ−ベル−ＢＡＲ」のいずれかの組み合わせが揃うと、「ベル−ベル−ベル」の組み合わせが右上がり、すなわち無効ラインＬＭ４に揃うこととなる。また、左リール２Ｌにおいて黒７、白７、スイカの１つは、５コマ以内に配置されており、中リール２Ｃにおいてベルは、５コマ以内に配置されており、右リール２Ｒにおいてオレンジ、ＢＡＲの１つは、５コマ以内に配置されている。このため、後述する内部抽選において右上がりベルに当選しているときには、原則として、ストップスイッチ８Ｌ、８Ｃ、８Ｒの操作タイミングに関わらず入賞させることができる役といえる。
【０１７９】
次に、図８を参照して、入賞役のうち再遊技役について説明する。入賞役のうち再遊技役には、通常リプレイ、下段リプレイ、転落リプレイ、昇格リプレイ１、２、特殊リプレイが含まれる。
【０１８０】
通常リプレイは、入賞ラインＬＮに「リプレイ−リプレイ−リプレイ」、「リプレイ−リプレイ−プラム」、「プラム−リプレイ−リプレイ」、「プラム−リプレイ−プラム」の組み合わせが揃ったときに入賞となり、再遊技が付与される。リプレイ、プラムは、左リール２Ｌ、中リール２Ｃ、右リール２Ｒ各々において５コマ以内に配置されている。よって、通常リプレイについては、原則として、当選していれば、ストップスイッチ８Ｌ、８Ｃ、８Ｒの操作タイミングに関わらず入賞させることができる役といえる。
【０１８１】
下段リプレイは、入賞ラインＬＮに「ベル−オレンジ−オレンジ」、「ベル−オレンジ−チェリー」、「ベル−オレンジ−スイカ」、「ベル−オレンジ−黒７」、「ベル−オレンジ−網７」、「ベル−オレンジ−白７」、「ベル−ＢＡＲ−オレンジ」、「ベル−ＢＡＲ−チェリー」、「ベル−ＢＡＲ−スイカ」、「ベル−ＢＡＲ−黒７」、「ベル−ＢＡＲ−網７」、「ベル−ＢＡＲ−白７」の組み合わせが揃ったときに入賞となり、再遊技が付与される。左リール２Ｌのベルは、リプレイまたはプラムの１つ上の位置に配置されており、中リール２Ｃのオレンジ、ＢＡＲは、リプレイの１つ上の位置に配置されているので「ベル−オレンジ−オレンジ」、「ベル−オレンジ−チェリー」、「ベル−オレンジ−スイカ」、「ベル−オレンジ−黒７」、「ベル−オレンジ−網７」、「ベル−オレンジ−白７」、「ベル−ＢＡＲ−オレンジ」、「ベル−ＢＡＲ−チェリー」、「ベル−ＢＡＲ−スイカ」、「ベル−ＢＡＲ−黒７」、「ベル−ＢＡＲ−網７」、「ベル−ＢＡＲ−白７」のいずれかの組み合わせが揃うと、「リプレイ−リプレイ−スイカ／リプレイ／プラム／チェリー／網７／白７」、「リプレイ−プラム−リプレイ−リプレイ−スイカ／リプレイ／プラム／チェリー／網７／白７」、「プラム−リプレイ−リプレイ−リプレイ−スイカ／リプレイ／プラム／チェリー／網７／白７」、「プラム−プラム−リプレイ−リプレイ−スイカ／リプレイ／プラム／チェリー／網７／白７」の組み合わせが下段、すなわち無効ラインＬＭ２に揃うこととなる。また、左リール２Ｌにおいてベルは、５コマ以内に配置されており、中リールにおいてオレンジ、ＢＡＲは、５コマ以内に配置されており、右リール２Ｒにおいてオレンジ、チェリー、スイカ、黒７、網７、白７の１つは、５コマ以内に配置されている。このため、後述する内部抽選において下段リプレイに当選しているときには、原則として、ストップスイッチ８Ｌ、８Ｃ、８Ｒの操作タイミングに関わらず入賞させることができる役といえる。
【０１８２】
転落リプレイは、入賞ラインＬＮに「ベル−リプレイ−ベル」の組み合わせが揃ったときに入賞となり、再遊技が付与される。左リール２Ｌのベルは、リプレイまたはプラムの１つ上の位置に配置されており、右リール２Ｒのベルは、リプレイの１つ下の位置に配置されているので「ベル−リプレイ−ベル」の組み合わせが揃うと、「リプレイ−リプレイ−リプレイ」、「リプレイ−リプレイ−プラム」、「プラム−リプレイ−リプレイ」、「プラム−リプレイ−プラム」の組み合わせが右上がり、すなわち無効ラインＬＭ４に揃うこととなる。また、左リール２Ｌにおいてベルは、５コマ以内に配置されており、中リールにおいてリプレイは、５コマ以内に配置されており、右リール２Ｒにおいてベルは、５コマ以内に配置されている。このため、後述する内部抽選において転落リプレイに当選しているときには、原則として、ストップスイッチ８Ｌ、８Ｃ、８Ｒの操作タイミングに関わらず入賞させることができる役といえる。図１０に示すように、ＲＴ０において転落リプレイに入賞した後は、ＲＴ１に制御される。
【０１８３】
昇格リプレイ１は、入賞ラインＬＮに「リプレイ−リプレイ−ベル」、「プラム−リプレイ−ベル」の組み合わせが揃ったときに入賞となり、再遊技が付与される。左リール２Ｌにおいてリプレイ、プラムの１つは、５コマ以内に配置されており、中リール２Ｃにおいてリプレイは、５コマ以内に配置されており、右リール２Ｒにおいてベルは、５コマ以内に配置されている。よって、昇格リプレイ１については、原則として、当選していれば、ストップスイッチ８Ｌ、８Ｃ、８Ｒの操作タイミングに関わらず入賞させることができる役といえる。
【０１８４】
昇格リプレイ２は、入賞ラインＬＮに「ベル−オレンジ−リプレイ」、「ベル−オレンジ−プラム」、「ベル−ＢＡＲ−リプレイ」、「ベル−ＢＡＲ−プラム」のいずれかの組み合わせが揃ったときに入賞となり、再遊技が付与される。左リール２Ｌのベルは、リプレイまたはプラムの１つ上の位置に配置されており、中リール２Ｃのオレンジ、ＢＡＲは、リプレイの１つ上の位置に配置されており、右リール２Ｒのリプレイ、プラムは、ベルの１つ上の位置に配置されているので「ベル−オレンジ−リプレイ」、「ベル−オレンジ−プラム」、「ベル−ＢＡＲ−リプレイ」、「ベル−ＢＡＲ−プラム」の組み合わせが揃うと、「リプレイ−リプレイ−ベル」、「プラム−リプレイ−ベル」の組み合わせが下段、すなわち無効ラインＬＭ２に揃うこととなる。また、左リール２Ｌにおいてベルは、５コマ以内に配置されており、中リールにおいてオレンジ、ＢＡＲは、５コマ以内に配置されており、右リール２Ｒにおいてリプレイ、プラムは、５コマ以内に配置されている。このため、後述する内部抽選において昇格リプレイ２に当選しているときには、原則として、ストップスイッチ８Ｌ、８Ｃ、８Ｒの操作タイミングに関わらず入賞させることができる役といえる。図１０に示すように、ＲＴ１において昇格リプレイ（昇格リプレイ１または昇格リプレイ２）に入賞した後は、ＲＴ０に制御される。後述するように、昇格リプレイは、ＲＴ２、ＲＴ３における内部抽選においては単独で当選しないように設定されている。また、ＲＴ２、ＲＴ３における内部抽選において特別役と昇格リプレイが同時に当選した場合には、その時点でＲＴ４またはＲＴ５に制御される。このため、ＲＴ２、ＲＴ３においては昇格リプレイに入賞しない。その結果、ＲＴ２、ＲＴ３からＲＴ０に制御されないように構成されており、ＲＴ１であるときにのみ昇格リプレイ入賞し、当該ＲＴ１からのみＲＴ０に制御されるように構成されている。
【０１８５】
特殊リプレイは、入賞ラインＬＮに「ベル−リプレイ−リプレイ」、「ベル−リプレイ−プラム」の組み合わせが揃ったときに入賞となり、再遊技が付与される。左リール２Ｌにおいてベルは、５コマ以内に配置されており、中リール２Ｃにおいてリプレイは、５コマ以内に配置されており、右リール２Ｒにおいてリプレイ、プラムの１つは、５コマ以内に配置されている。よって、特殊リプレイについては、原則として、当選していれば、ストップスイッチ８Ｌ、８Ｃ、８Ｒの操作タイミングに関わらず入賞させることができる役といえる。図１０に示すように、ＲＴ０において特殊リプレイに入賞した後は、ＲＴ２に制御される。後述するように、特殊リプレイは、ＲＴ１、ＲＴ３における内部抽選においては単独で当選しないように設定されている。また、ＲＴ１、ＲＴ３における内部抽選において特別役と特殊リプレイが同時に当選した場合には、その時点でＲＴ４またはＲＴ５に制御される。このため、ＲＴ１、ＲＴ３においては特殊リプレイに入賞しない。その結果、ＲＴ１、ＲＴ３からＲＴ２に制御されないように構成されており、ＲＴ０であるときにのみ特殊リプレイ入賞し、当該ＲＴ０からのみＲＴ２に制御されるように構成されている。
【０１８６】
次に、図９を参照して、移行出目について説明する。移行出目は、図９に示すように、「リプレイ−オレンジ−ベル」、「リプレイ−ＢＡＲ−ベル」、「プラム−オレンジ−ベル」、「プラム−ＢＡＲ−ベル」、「リプレイ−ベル−オレンジ」、「リプレイ−ベル−ＢＡＲ」、「プラム−ベル−オレンジ」、「プラム−ベル−ＢＡＲ」、「黒７−オレンジ−オレンジ」、「黒７−オレンジ−ＢＡＲ」、「黒７−ＢＡＲ−オレンジ」、「黒７−ＢＡＲ−ＢＡＲ」、「白７−オレンジ−オレンジ」、「白７−オレンジ−ＢＡＲ」、「白７−ＢＡＲ−オレンジ」、「白７−ＢＡＲ−ＢＡＲ」、「スイカ−オレンジ−オレンジ」、「スイカ−オレンジ−ＢＡＲ」、「スイカ−ＢＡＲ−オレンジ」、「スイカ−ＢＡＲ−ＢＡＲ」からなる２０種類の組み合わせである。本実施例では、後述する左ベル１〜４、中ベル１〜４、右ベル１〜４が当選し、中段ベルの入賞条件となるリール以外を第１停止とし、かつ当選している上段ベルを取りこぼした場合に、上記の移行出目が入賞ラインＬＮに揃う。図１０に示すように、ＲＴ０、ＲＴ２、ＲＴ３において移行出目が入賞ラインＬＮに揃った後は、ＲＴ１に制御される。尚、ＲＴ１において移行出目が入賞ラインＬＮに揃った場合には、ＲＴ１が維持されることとなる。
【０１８７】
次に、図１２〜図１６を参照して、遊技状態毎に抽選対象役として読み出される抽選対象役の組み合わせについて説明する。本実施例では、遊技状態が、ＲＴ０〜３であるか、ＲＴ４であるか、ＲＴ５であるか、ＢＢ（ＲＢ）であるか、ＲＢであるか、によって内部抽選の対象となる役及びその当選確率が異なる。さらに遊技状態がＲＴ０〜３であれば、ＲＴ０〜３の種類によって、内部抽選の対象となる再遊技役及びその当選確率の少なくとも一方が異なる。尚、抽選対象役として後述するように、複数の入賞役が同時に読出されて、重複して当選し得る。図１２〜図１６においては、入賞役の間に“＋”を表記することにより、内部抽選において同時に抽選対象役として読み出されることを示す。
【０１８８】
図１２〜図１６においては、縦の欄に抽選対象役を示し、横の欄に遊技状態を示す。また、遊技状態と抽選対象役とが交差する欄の○印は、当該遊技状態であるときに当該抽選対象役が読み出されることを示し、×印は、当該遊技状態であるときに当該抽選対象役が読み出されないことを示している。
【０１８９】
また、○印の下に示す数値は、所定の設定値（例えば設定値１）の判定値数を示す。当該判定値数を用いて内部抽選が行われる。尚、判定値数の分母は、内部抽選用の乱数（０〜６５５３５の整数）に対応させて、「６５５３６」に設定されている。このため、例えば、判定値数として「３００」が設定されている抽選対象役の当選確率は、３００／６５５３６となる。
【０１９０】
また、図１２及び図１３は、遊技状態毎に抽選対象役として読み出される特別役の組み合わせを示し、図１４は、遊技状態毎に抽選対象役として読み出される小役の組み合わせを示し、図１５は、遊技状態毎に抽選対象役として読み出される再遊技役の組み合わせを示している。また、図１６は、図１２〜１５に示す同時当選役を構成する役の組み合わせを示している。
【０１９１】
ＲＴ０であるときには、ＢＢ１、ＢＢ１＋弱チェリー、ＢＢ１＋強チェリー、ＢＢ１＋通常リプレイ、ＢＢ１＋転落リプレイ、ＢＢ１＋昇格リプレイ、ＢＢ１＋特殊リプレイ、ＢＢ２、ＢＢ２＋弱チェリー、ＢＢ２＋強チェリー、ＢＢ２＋通常リプレイ、ＢＢ２＋転落リプレイ、ＢＢ２＋昇格リプレイ、ＢＢ２＋特殊リプレイ、ＲＢ１、ＲＢ１＋弱チェリー、ＲＢ１＋強チェリー、ＲＢ２、ＲＢ２＋弱チェリー、ＲＢ２＋強チェリー、ベル、左ベル１、左ベル２、左ベル３、左ベル４、中ベル１、中ベル２、中ベル３、中ベル４、右ベル１、右ベル２、右ベル３、右ベル４、弱チェリー、強チェリー、リプレイＧＲ１１、リプレイＧＲ１２、リプレイＧＲ１３、リプレイＧＲ１４、リプレイＧＲ１５が内部抽選の対象役となる。
【０１９２】
ＲＴ１であるときには、ＢＢ１、ＢＢ１＋弱チェリー、ＢＢ１＋強チェリー、ＢＢ１＋通常リプレイ、ＢＢ１＋転落リプレイ、ＢＢ１＋昇格リプレイ、ＢＢ１＋特殊リプレイ、ＢＢ２、ＢＢ２＋弱チェリー、ＢＢ２＋強チェリー、ＢＢ２＋通常リプレイ、ＢＢ２＋転落リプレイ、ＢＢ２＋昇格リプレイ、ＢＢ２＋特殊リプレイ、ＲＢ１、ＲＢ１＋弱チェリー、ＲＢ１＋強チェリー、ＲＢ２、ＲＢ２＋弱チェリー、ＲＢ２＋強チェリー、ベル、左ベル１、左ベル２、左ベル３、左ベル４、中ベル１、中ベル２、中ベル３、中ベル４、右ベル１、右ベル２、右ベル３、右ベル４、弱チェリー、強チェリー、通常リプレイ、リプレイＧＲ１、リプレイＧＲ２、リプレイＧＲ３、リプレイＧＲ４、リプレイＧＲ５、リプレイＧＲ６が内部抽選の対象役となる。
【０１９３】
ＲＴ２であるときには、ＢＢ１、ＢＢ１＋弱チェリー、ＢＢ１＋強チェリー、ＢＢ１＋通常リプレイ、ＢＢ１＋転落リプレイ、ＢＢ１＋昇格リプレイ、ＢＢ１＋特殊リプレイ、ＢＢ２、ＢＢ２＋弱チェリー、ＢＢ２＋強チェリー、ＢＢ２＋通常リプレイ、ＢＢ２＋転落リプレイ、ＢＢ２＋昇格リプレイ、ＢＢ２＋特殊リプレイ、ＲＢ１、ＲＢ１＋弱チェリー、ＲＢ１＋強チェリー、左ベル２、左ベル３、左ベル４、中ベル１、中ベル２、中ベル３、中ベル４、右ベル１、右ベル２、右ベル３、右ベル４、弱チェリー、強チェリー、通常リプレイが内部抽選の対象役となる。
【０１９４】
ＲＴ３であるときには、ＢＢ１、ＢＢ１＋弱チェリー、ＢＢ１＋強チェリー、ＢＢ１＋通常リプレイ、ＢＢ１＋転落リプレイ、ＢＢ１＋昇格リプレイ、ＢＢ１＋特殊リプレイ、ＢＢ２、ＢＢ２＋弱チェリー、ＢＢ２＋強チェリー、ＢＢ２＋通常リプレイ、ＢＢ２＋転落リプレイ、ＢＢ２＋昇格リプレイ、ＢＢ２＋特殊リプレイ、ＲＢ１、ＲＢ１＋弱チェリー、ＲＢ１＋強チェリー、ＲＢ２、ＲＢ２＋弱チェリー、ＲＢ２＋強チェリー、ベル、左ベル１、左ベル２、左ベル３、左ベル４、中ベル１、中ベル２、中ベル３、中ベル４、右ベル１、右ベル２、右ベル３、右ベル４、弱チェリー、強チェリー、通常リプレイが内部抽選の対象役となる。
【０１９５】
ＲＴ４、ＲＴ５であるときには、ベル、左ベル１、左ベル２、左ベル３、左ベル４、中ベル１、中ベル２、中ベル３、中ベル４、右ベル１、右ベル２、右ベル３、右ベル４、弱チェリー、強チェリー、通常リプレイ、下段リプレイ、転落リプレイ、昇格リプレイ、特殊リプレイが内部抽選の対象役となる。
【０１９６】
ＢＢ（ＲＢ）、ＲＢであるときには、ベル、弱チェリー、強チェリー、右上がりベルが内部抽選の対象役となる。
【０１９７】
尚、図１６に示すように、弱チェリーとは、下段チェリー単独であり、強チェリーとは、下段チェリー＋１枚役である。弱チェリー当選時、強チェリー当選は、ともに「ＢＡＲ」の引込範囲内となるタイミングで左、中リールの停止操作が行われた場合に、「ＢＡＲ−ＢＡＲ−ＡＮＹ」の組み合わせを導出可能に制御されることとなるが、弱チェリー当選時は、「ＢＡＲ」の引込範囲内となるタイミングで左、中、右リールの停止操作が行われた場合に、「ＢＡＲ−ＢＡＲ−ＢＡＲ」の組み合わせが揃わないように制御されるのに対して、強チェリー当選時は、「ＢＡＲ」の引込範囲となるタイミングで左、中、右リールの停止操作が行われた場合に、「ＢＡＲ−ＢＡＲ−ＢＡＲ」の組み合わせが揃うように制御される。
【０１９８】
このため、左、中、右リールにそれぞれ「ＢＡＲ」を狙って停止操作を行った場合において、左リール２Ｌの下段にチェリーが停止した際に、中段に「ＢＡＲ−ＢＡＲ−ＢＡＲ」の組み合わせが揃うか否かにより強チェリーであるか弱チェリーであるか、を認識できる。
【０１９９】
以下では、左リールの下段に「チェリー」が停止し、かつ中断に「ＢＡＲ−ＢＡＲ−ＢＡＲ」の組み合わせが揃う停止態様を強チェリー目と呼び、左リールの下段に「チェリー」が停止し、かつ中断に「ＢＡＲ−ＢＡＲ−ＢＡＲ」の組み合わせが揃わない停止態様を弱チェリー目と呼ぶ。
【０２００】
尚、強チェリーの当選時であっても、左リールのみ「ＢＡＲ」が引込範囲となるタイミングで停止操作がされ、右リールにおいて「ＢＡＲ」が引込範囲となるタイミングで停止操作がなされなければ、弱チェリー当選時と同様の出目、すなわち弱チェリー出目が導出されることとなる。
【０２０１】
また、本実施例では、弱チェリー、強チェリーともに特別役と同時当選し得るとともに、弱チェリーが単独で当選する確率及び弱チェリーが特別役と同時に当選する確率の合算値に占める後者の確率よりも、強チェリーが単独で当選する確率及び強チェリーが特別役と同時に当選する確率の合算値に占める後者の確率の方が高く定められているので、弱チェリー目が停止したときよりも強チェリー目が停止したときの方が、特別役の当選が期待できるようになっている。
【０２０２】
ベルとは、中段ベル＋右下がりベルである。左ベル１とは、右下がりベル＋上段ベル５＋上段ベル８であり、左ベル２とは、右下がりベル＋上段ベル６＋上段ベル７であり、左ベル３とは、右下がりベル＋上段ベル２＋上段ベル３であり、左ベル４とは、右下がりベル＋上段ベル２＋上段ベル４である。左ベル１〜４を単に左ベルとも呼ぶ。中ベル１とは、中段ベル＋上段ベル２＋上段ベル５であり、中ベル２とは、中段ベル＋上段ベル１＋上段ベル６であり、中ベル３とは、中段ベル＋上段ベル４＋上段ベル７であり、中ベル４とは、中段ベル＋上段ベル３＋上段ベル８である。中ベル１〜４を単に中ベルとも呼ぶ。右ベル１とは、中段ベル＋上段ベル３＋上段ベル５であり、右ベル２とは、中段ベル＋上段ベル１＋上段ベル７であり、右ベル３とは、中段ベル＋上段ベル４＋上段ベル６であり、右ベル４とは、中段ベル＋上段ベル２＋上段ベル８である。右ベル１〜４を単に右ベルとも呼ぶ。また、これら左ベル１〜４、中ベル１〜４、右ベル１〜４を単に押し順ベルとも呼ぶ。
【０２０３】
昇格リプレイとは、昇格リプレイ１＋昇格リプレイ２である。
【０２０４】
リプレイＧＲ１とは、通常リプレイ＋昇格リプレイ１であり、リプレイＧＲ２とは、通常リプレイ＋昇格リプレイ１＋昇格リプレイ２であり、リプレイＧＲ３とは、通常リプレイ＋昇格リプレイ１＋下段リプレイであり、リプレイＧＲ４とは、通常リプレイ＋昇格リプレイ１＋昇格リプレイ２＋下段リプレイであり、リプレイＧＲ５とは、通常リプレイ＋昇格リプレイ２であり、リプレイＧＲ６とは、通常リプレイ＋昇格リプレイ２＋下段リプレイである。
【０２０５】
リプレイＧＲ１１とは、転落リプレイ＋特殊リプレイであり、リプレイＧＲ１２とは、転落リプレイ＋特殊リプレイ＋通常リプレイであり、リプレイＧＲ１３とは、転落リプレイ＋特殊リプレイ＋下段リプレイであり、リプレイＧＲ１４とは、転落リプレイ＋特殊リプレイ＋通常リプレイ＋下段リプレイであり、リプレイＧＲ１５とは、転落リプレイ＋特殊リプレイ＋昇格リプレイ１である。
【０２０６】
リプレイＧＲ２１とは、７揃いリプレイ＋７不揃いリプレイ＋通常リプレイであり、リプレイＧＲ２２とは、７不揃いリプレイ＋通常リプレイである。
【０２０７】
また、ＲＴ０〜３などにおいて、ＢＢ１、ＢＢ２、ＲＢ１、ＲＢ２のいずれかと同時当選し得る弱チェリー、強チェリー、通常リプレイ、転落リプレイ、昇格リプレイの判定値数は、ＲＴ４、ＲＴ５においては、各々、ボーナスと別個に読み出される、弱チェリー、強チェリー、通常リプレイ、転落リプレイ、昇格リプレイに加算されているため、弱チェリー、強チェリー、通常リプレイ、転落リプレイ、昇格リプレイ各々の当選確率が一定となるように担保されている。
【０２０８】
このように、遊技状態がＲＴ０〜３であるか、ＲＴ４、５であるか、ＢＢ（ＲＢ）であるか、ＲＢであるか、によって内部抽選の対象役が異なるとともに、ＢＢ（ＲＢ）やＲＢでは、小役の当選確率がＲＴ０〜５よりも高く定められた抽選テーブルを用いて内部抽選が行われる。
【０２０９】
また、遊技状態がＲＴ４、５である場合には、ＲＴ４であるか、ＲＴ５であるか、によって内部抽選の対象役は変わらないが、ＲＴ４であるか、ＲＴ５であるか、によって対象となる再遊技役の当選確率が異なる抽選テーブルを用いて内部抽選が行われる。
【０２１０】
また、遊技状態がＲＴ０〜３である場合には、ＲＴ０〜３のいずれかであるかによって、内部抽選の対象となる再遊技役が異なるとともに、ＲＴ０〜３のいずれかであるかによって、対象となる再遊技役及びその当選確率が異なる抽選テーブルを用いて内部抽選が行われる。
【０２１１】
本実施例では、複数種類の再遊技役が同時に当選している場合には、図１７に示すように、同時当選した再遊技役の種類及び停止操作順に応じて定められた再遊技役を入賞ライン上に最大４コマの引込範囲で揃えて停止させる制御が行われる。図１７は、複数のリプレイが同時当選したときのリール制御を説明するための図である。
【０２１２】
リプレイＧＲ１（通常リプレイ＋昇格リプレイ１）が当選し、左中右の順番で停止操作がなされた場合には、当選した再遊技役のうち昇格リプレイ１の組み合わせを入賞ラインＬＮに揃えて停止させる制御を行い、左中右以外の順番で停止操作がなされた場合には、通常リプレイの組み合わせを入賞ラインＬＮに揃えて停止させる制御を行う。
【０２１３】
リプレイＧＲ２（通常リプレイ＋昇格リプレイ１＋昇格リプレイ２）が当選し、左右中の順番で停止操作がなされた場合には、当選した再遊技役のうち昇格リプレイ１の組み合わせを入賞ラインＬＮに揃えて停止させる制御を行い、左右中以外の順番で停止操作がなされた場合には、通常リプレイの組み合わせを入賞ラインＬＮに揃えて停止させる制御を行う。
【０２１４】
リプレイＧＲ３（通常リプレイ＋昇格リプレイ１＋下段リプレイ）が当選し、中左右の順番で停止操作がなされた場合には、当選した再遊技役のうち昇格リプレイ１の組み合わせを入賞ラインＬＮに揃えて停止させる制御を行い、中左右以外の順番で停止操作がなされた場合には、通常リプレイの組み合わせを入賞ラインＬＮに揃えて停止させる制御を行う。
【０２１５】
リプレイＧＲ４（通常リプレイ＋昇格リプレイ１＋昇格リプレイ２＋下段リプレイ）が当選し、中右左の順番で停止操作がなされた場合には、当選した再遊技役のうち昇格リプレイ１の組み合わせを入賞ラインＬＮに揃えて停止させる制御を行い、中右左以外の順番で停止操作がなされた場合には、通常リプレイの組み合わせを入賞ラインＬＮに揃えて停止させる制御を行う。
【０２１６】
リプレイＧＲ５（通常リプレイ＋昇格リプレイ２）が当選し、右左中の順番で停止操作がなされた場合には、当選した再遊技役のうち昇格リプレイ２の組み合わせを入賞ラインＬＮに揃えて停止させる制御を行い、右左中以外の順番で停止操作がなされた場合には、通常リプレイの組み合わせを入賞ラインＬＮに揃えて停止させる制御を行う。
【０２１７】
リプレイＧＲ６（通常リプレイ＋昇格リプレイ２＋下段リプレイ）が当選し、右中左の順番で停止操作がなされた場合には、当選した再遊技役のうち昇格リプレイ２の組み合わせを入賞ラインＬＮに揃えて停止させる制御を行い、右中左以外の順番で停止操作がなされた場合には、通常リプレイの組み合わせを入賞ラインＬＮに揃えて停止させる制御を行う。
【０２１８】
図３に示すように、昇格リプレイ１、昇格リプレイ２及び通常リプレイを構成する図柄は、左リール２Ｌ、中リール２Ｃ、右リール２Ｒの全てにおいて５コマ以内に配置されているため、停止操作順に応じて、ストップスイッチ８Ｌ、８Ｃ、８Ｒの停止操作タイミングに関わらず、昇格リプレイ１、昇格リプレイ２または通常リプレイが必ず入賞するようにリール制御が行われる。
【０２１９】
このように、リプレイＧＲ１〜６とで、昇格リプレイ１、２に入賞させるための操作態様として異なる操作態様が設定されている。このため、リプレイＧＲ１〜６が内部抽選の対象となるＲＴ１において、リプレイＧＲ１〜６のいずれかが当選していれば１／６の確率で昇格リプレイが入賞することとなり、ＲＴ０に移行することとなる。
【０２２０】
リプレイＧＲ１１（転落リプレイ＋特殊リプレイ）が当選し、左中右の順番で停止操作がなされた場合には、当選した再遊技役のうち特殊リプレイの組み合わせを入賞ラインＬＮに揃えて停止させる制御を行い、左中右以外の順番で停止操作がなされた場合には、転落リプレイの組み合わせを入賞ラインＬＮに揃えて停止させる制御を行う。
【０２２１】
リプレイＧＲ１２（転落リプレイ＋特殊リプレイ＋通常リプレイ）が当選し、左右中の順番で停止操作がなされた場合には、当選した再遊技役のうち特殊リプレイの組み合わせを入賞ラインＬＮに揃えて停止させる制御を行い、左右中以外の順番で停止操作がなされた場合には、転落リプレイの組み合わせを入賞ラインＬＮに揃えて停止させる制御を行う。
【０２２２】
リプレイＧＲ１３（転落リプレイ＋特殊リプレイ＋下段リプレイ）が当選し、中左右の順番で停止操作がなされた場合には、当選した再遊技役のうち特殊リプレイの組み合わせを入賞ラインＬＮに揃えて停止させる制御を行い、中左右以外の順番で停止操作がなされた場合には、転落リプレイの組み合わせを入賞ラインＬＮに揃えて停止させる制御を行う。
【０２２３】
リプレイＧＲ１４（転落リプレイ＋特殊リプレイ＋通常リプレイ＋下段リプレイ）が当選し、中右左の順番で停止操作がなされた場合には、当選した再遊技役のうち特殊リプレイの組み合わせを入賞ラインＬＮに揃えて停止させる制御を行い、中右左以外の順番で停止操作がなされた場合には、転落リプレイの組み合わせを入賞ラインＬＮに揃えて停止させる制御を行う。
【０２２４】
リプレイＧＲ１５（転落リプレイ＋特殊リプレイ＋昇格リプレイ１）が当選し、右押し、すなわち右リール２Ｒを第１停止させる操作態様で停止操作がなされた場合には、当選した再遊技役のうち特殊リプレイの組み合わせを入賞ラインＬＮに揃えて停止させる制御を行い、左押し、すなわち左リール２Ｌを第１停止させる操作態様または中押し、すなわち中リール２Ｃを第１停止させる操作態様で停止操作がなされた場合には、転落リプレイの組み合わせを入賞ラインＬＮに揃えて停止させる制御を行う。
【０２２５】
図３に示すように、特殊リプレイ及び転落リプレイを構成する図柄は、左リール２Ｌ、中リール２Ｃ、右リール２Ｒの全てにおいて５コマ以内に配置されているため、停止操作順に応じて、ストップスイッチ８Ｌ、８Ｃ、８Ｒの停止操作タイミングに関わらず、特殊リプレイまたは転落リプレイが必ず入賞するようにリール制御が行われる。
【０２２６】
このように、リプレイＧＲ１１〜１５とで、特殊リプレイに入賞させ、かつ転落リプレイを回避するため操作態様として異なる操作態様が設定されている。このため、リプレイＧＲ１１〜１５が内部抽選の対象となるＲＴ０において、リプレイＧＲ１１〜１５のいずれかが当選していれば１／５の確率で特殊リプレイが入賞してＲＴ２に移行することとなる一方で、４／５の確率で転落リプレイが入賞してＲＴ１に移行することとなる。
【０２２７】
次に、複数種類の小役が同時に当選している場合には、図１８に示すように、同時当選した小役の種類及び停止操作順に応じて定められた小役を入賞ライン上に最大４コマの引込範囲で揃えて停止させる制御が行われる。図１８は、複数の小役が同時当選したときのリール制御を説明するための図である。
【０２２８】
左ベル１（右下がりベル＋上段ベル６＋上段ベル７）が当選し、左押しで停止操作を行った場合には、当選した小役のうち右下がりベルの組み合わせを入賞ラインＬＮに揃えて停止させる制御を行い、中押しまたは右押しで停止操作がなされた場合には、上段ベル６、上段ベル７または移行出目のいずれかの組み合わせを入賞ラインＬＮに揃えて停止させる制御を行う。左ベル２（右下がりベル＋上段ベル５＋上段ベル８）が当選し、左押しで停止操作を行った場合には、当選した小役のうち右下がりベルの組み合わせを入賞ラインＬＮに揃えて停止させる制御を行い、中押しまたは右押しで停止操作がなされた場合には、上段ベル５、上段ベル６または移行出目のいずれかの組み合わせを入賞ラインＬＮに揃えて停止させる制御を行う。左ベル３（右下がりベル＋上段ベル２＋上段ベル３）が当選し、左押しで停止操作を行った場合には、当選した小役のうち右下がりベルの組み合わせを入賞ラインＬＮに揃えて停止させる制御を行い、中押しまたは右押しで停止操作がなされた場合には、上段ベル２、上段ベル３または移行出目のいずれかの組み合わせを入賞ラインＬＮに揃えて停止させる制御を行う。左ベル４（右下がりベル＋上段ベル２＋上段ベル４）が当選し、左押しで停止操作を行った場合には、当選した小役のうち右下がりベルの組み合わせを入賞ラインＬＮに揃えて停止させる制御を行い、中押しまたは右押しで停止操作がなされた場合には、上段ベル２、上段ベル４または移行出目のいずれかの組み合わせを入賞ラインＬＮに揃えて停止させる制御を行う。
【０２２９】
図３に示すように、右下がりベルの構成図柄は、全てのリールにおいて５コマ以内に配置されており、左ベル１〜４が当選した場合に、左押しにて停止操作を行った場合には、停止操作のタイミングに関わらず、必ず右下がりベルを入賞ラインＬＮに揃える制御が行われる一方で、上段ベル１〜８を構成する図柄は、全てのリールにおいて５コマ以内に配置されていない箇所があるため、左ベル１〜４が当選した場合でも、中押しまたは右押しにて停止操作を行った場合には、当選した上段ベル１〜８の構成図柄の引込範囲となる適切なタイミングで停止操作を行わなければ、当選した上段ベルを入賞ラインＬＮに揃えることはできず、その場合には、移行出目が入賞ラインＬＮに揃うように制御される。
【０２３０】
中ベル１（中段ベル＋上段ベル２＋上段ベル５）が当選し、中押しで停止操作を行った場合には、当選した小役のうち中段ベルの組み合わせを入賞ラインＬＮに揃えて停止させる制御を行い、左押しまたは右押しで停止操作がなされた場合には、上段ベル２、上段ベル５または移行出目のいずれかの組み合わせを入賞ラインＬＮに揃えて停止させる制御を行う。中ベル２（中段ベル＋上段ベル１＋上段ベル６）が当選し、中押しで停止操作を行った場合には、当選した小役のうち中段ベルの組み合わせを入賞ラインＬＮに揃えて停止させる制御を行い、左押しまたは右押しで停止操作がなされた場合には、上段ベル１、上段ベル６または移行出目のいずれかの組み合わせを入賞ラインＬＮに揃えて停止させる制御を行う。中ベル３（中段ベル＋上段ベル４＋上段ベル７）が当選し、中押しで停止操作を行った場合には、当選した小役のうち中段ベルの組み合わせを入賞ラインＬＮに揃えて停止させる制御を行い、左押しまたは右押しで停止操作がなされた場合には、上段ベル４、上段ベル７または移行出目のいずれかの組み合わせを入賞ラインＬＮに揃えて停止させる制御を行う。中ベル４（中段ベル＋上段ベル３＋上段ベル８）が当選し、中押しで停止操作を行った場合には、当選した小役のうち中段ベルの組み合わせを入賞ラインＬＮに揃えて停止させる制御を行い、左押しまたは右押しで停止操作がなされた場合には、上段ベル３、上段ベル８または移行出目のいずれかの組み合わせを入賞ラインＬＮに揃えて停止させる制御を行う。
【０２３１】
図３に示すように、中段ベルの構成図柄は、全てのリールにおいて５コマ以内に配置されており、中ベル１〜４が当選した場合に、中押しにて停止操作を行った場合には、停止操作のタイミングに関わらず、必ず中段ベルを入賞ラインＬＮに揃える制御が行われる一方で、上段ベル１〜８を構成する図柄は、全てのリールにおいて５コマ以内に配置されていない箇所があるため、中ベル１〜４が当選した場合でも、左押しまたは右押しにて停止操作を行った場合には、当選した上段ベル１〜８の構成図柄の引込範囲となる適切なタイミングで停止操作を行わなければ、当選した上段ベルを入賞ラインＬＮに揃えることはできず、その場合には、移行出目が入賞ラインＬＮに揃うように制御される。
【０２３２】
右ベル１（中段ベル＋上段ベル３＋上段ベル５）が当選し、右押しで停止操作を行った場合には、当選した小役のうち中段ベルの組み合わせを入賞ラインＬＮに揃えて停止させる制御を行い、左押しまたは中押しで停止操作がなされた場合には、上段ベル３、上段ベル５または移行出目のいずれかの組み合わせを入賞ラインＬＮに揃えて停止させる制御を行う。右ベル２（中段ベル＋上段ベル１＋上段ベル７）が当選し、右押しで停止操作を行った場合には、当選した小役のうち中段ベルの組み合わせを入賞ラインＬＮに揃えて停止させる制御を行い、左押しまたは中押しで停止操作がなされた場合には、上段ベル１、上段ベル７または移行出目のいずれかの組み合わせを入賞ラインＬＮに揃えて停止させる制御を行う。右ベル３（中段ベル＋上段ベル４＋上段ベル６）が当選し、右押しで停止操作を行った場合には、当選した小役のうち中段ベルの組み合わせを入賞ラインＬＮに揃えて停止させる制御を行い、左押しまたは中押しで停止操作がなされた場合には、上段ベル４、上段ベル６または移行出目のいずれかの組み合わせを入賞ラインＬＮに揃えて停止させる制御を行う。右ベル４（中段ベル＋上段ベル２＋上段ベル８）が当選し、右押しで停止操作を行った場合には、当選した小役のうち中段ベルの組み合わせを入賞ラインＬＮに揃えて停止させる制御を行い、左押しまたは中押しで停止操作がなされた場合には、上段ベル２、上段ベル８または移行出目のいずれかの組み合わせを入賞ラインＬＮに揃えて停止させる制御を行う。
【０２３３】
図３に示すように、中段ベルの構成図柄は、全てのリールにおいて５コマ以内に配置されており、右ベル１〜４が当選した場合に、右押しにて停止操作を行った場合には、停止操作のタイミングに関わらず、必ず中段ベルを入賞ラインＬＮに揃える制御が行われる一方で、上段ベル１〜８を構成する図柄は、全てのリールにおいて５コマ以内に配置されていない箇所があるため、右ベル１〜４が当選した場合でも、左押しまたは中押しにて停止操作を行った場合には、当選した上段ベル１〜８の構成図柄の引込範囲となる適切なタイミングで停止操作を行わなければ、当選した上段ベルを入賞ラインＬＮに揃えることはできず、その場合には、移行出目が入賞ラインＬＮに揃うように制御される。
【０２３４】
このように本実施例では、左ベル、中ベル、右ベル、すなわち押し順ベルのいずれかが当選した場合には、当選役の種類に応じた特定の操作態様で停止操作を行うことで、右下がりベルまたは中段ベルが必ず入賞する一方で、当選役の種類に応じた特定の操作態様以外の操作態様で停止操作を行うことで、１／４で上段ベルが揃うが、３／４で上段ベルが揃わず移行出目が揃うこともある。このため、押し順ベルの当選時には、当選役の種類に応じた特定の操作態様で操作されたか否かによって払い出されるメダル数の期待値を変えることができる。すなわち押し順ベルのいずれかが当選しても、その種類が分からなければ意図的に特定の操作態様を選択することはできないことから、押し順ベルの当選時に左リールを第１停止とした場合には、１／１１の割合で右下がりベルまたは中段ベルを確実に入賞させることにより確実にメダルを獲得できるものの、１０／１１の割合でさらに１／４でしか上段ベルを入賞させることができず、確実にメダルを獲得することができない。また、押し順ベルの当選時に左リール以外のリールを第１停止とした場合には、５／１１の割合で右下がりベルまたは中段ベルを確実に入賞させることにより確実にメダルを獲得できるものの、６／１１の割合でさらに１／４でしか上段ベルを入賞させることができず、確実にメダルを獲得することができない。また、特にＲＴ０、２、３においては、移行出目が停止することでＲＴ１へ移行することとなる。
【０２３５】
また、特に図示しないが、ベル（中段ベル＋右下がりベル）が当選した場合には、リールの停止順及び操作のタイミングに関わらず、入賞ラインＬＮに「ベル−ベル−ベル」の組み合わせが揃うように制御される。
【０２３６】
本実施例では、図１０及び図１１に示すように、ＲＴ０〜５、ＲＢ、ＢＢ（ＲＢ）のいずれかに制御される。
【０２３７】
ＲＴ０は、ＲＴ１において昇格リプレイが入賞したとき（リプレイＧＲ１〜６のいずれかが当選し、昇格リプレイが入賞する順番で停止操作がなされたとき）、ＲＴ１、ＲＴ２が規定ゲーム数の消化により終了したときに移行する。そして、ＲＴ０は、ＲＴ０に移行してからのゲーム数に関わらず、転落リプレイの入賞または移行出目の停止によりＲＴ１に移行するか、特殊リプレイの入賞によりＲＴ２に移行するか、特別役が当選してＲＴ４またはＲＴ５に移行することで終了する。
【０２３８】
ＲＴ０における特別役の当選確率は通常（約１／２３９）、再遊技役の当選確率は高確率（約１／１．４）、小役の当選確率は通常（約１／３．５、ただし入賞確率は約１／６．１）であり、１ゲームあたりのメダルの払出率は１以上となる。また、ＲＴ０では、特別役と同時に当選する場合を除いて、再遊技役のうちリプレイＧＲ１１〜１５のみが内部抽選の対象となる。
【０２３９】
ＲＴ１は、ＲＴ０、ＲＴ２、ＲＴ３において移行出目が停止するか、ＲＴ０において転落リプレイが入賞したときに移行する。そして、ＲＴ１は、昇格リプレイが入賞することでＲＴ０に移行するか、特別役が当選してＲＴ４またはＲＴ５に移行することで終了する。ＲＴ１における特別役の当選確率はＲＴ０と同じく通常（約１／２３９）、再遊技役の当選確率はＲＴ０よりも低く通常（約１／７．３）、小役の当選確率はＲＴ０と同じく通常（約１／３．５、ただし入賞確率は約１／６．１）であり、１ゲームあたりのメダルの払出率は１未満となる。また、ＲＴ１では、再遊技役のうち通常リプレイ、リプレイＧＲ１〜６のみが内部抽選の対象となる。
【０２４０】
ＲＴ２は、ＲＴ０において特殊リプレイが入賞したときに移行する。そして、ＲＴ２は、移行出目が停止してＲＴ１に移行するか、特別役が当選してＲＴ４またはＲＴ５に移行することで終了する。ＲＴ２における特別役の当選確率はＲＴ０と同じく通常（約１／２３９）、再遊技役の当選確率はＲＴ０とほとんど変わらず高確率（約１／１．４）、小役の当選確率はＲＴ０と同じく通常（約１／３．５、ただし入賞確率は約１／６．１）であり、１ゲームあたりのメダルの払出率は１以上となる。また、ＲＴ２では、特別役と同時に当選する場合を除いて、再遊技役のうち通常リプレイのみが内部抽選の対象となる。
【０２４１】
ＲＴ３は、ＢＢ（ＲＢ）、ＲＢの終了時に移行する。そして、ＲＴ３は、ＲＴ３に移行してからのゲーム数に関わらず、移行出目が停止してＲＴ１に移行するか、特別役が当選してＲＴ４またはＲＴ５に移行することで終了する。ＲＴ３における特別役の当選確率は通常（約１／２３９）、再遊技役の当選確率はＲＴ０よりも低く通常（約１／７．３）、小役の当選確率はＲＴ０と同じく通常（約１／３．５、ただし入賞確率は約１／６．１）であり、１ゲームあたりのメダルの払出率は１未満となる。また、ＲＴ３では、特別役と同時に当選する場合を除いて、再遊技役のうち通常リプレイのみが内部抽選の対象となる。
【０２４２】
ＲＴ４は、ＲＴ０〜３において特別役のうちＢＢ１、ＢＢ３、ＲＢ２が当選したときに移行する。そして、ＲＴ４は、ＲＴ４に移行してからのゲーム数に関わらず、ＲＴ４に移行する契機となった特別役が入賞してＢＢ（ＲＢ）またはＲＢに移行することで終了する。ＲＴ４においては、特別役が内部抽選の対象外となり、再遊技役の当選確率はＲＴ０、ＲＴ２よりは低いが、ＲＴ１、ＲＴ３よりも高く高確率（約１／２．５）、小役の当選確率は通常（約１／３．５、ただし入賞確率は約１／６．１）であり、１ゲームあたりのメダルの払出率は１未満となる。また、ＲＴ４では、再遊技役のうち通常リプレイ及び下段リプレイのみが内部抽選の対象となる。
【０２４３】
ＲＴ５は、ＲＴ０〜３において特別役のうちＢＢ２、ＢＢ４、ＲＢ１が当選したときに移行する。そして、ＲＴ５は、ＲＴ５に移行してからのゲーム数に関わらず、ＲＴ５に移行する契機となった特別役が入賞してＢＢ（ＲＢ）またはＲＢに移行することで終了する。ＲＴ５においては、特別役が内部抽選の対象外となり、再遊技役の当選確率はＲＴ０、ＲＴ２よりは低いが、ＲＴ１、ＲＴ３、ＲＴ４よりも高く高確率（約１／２．０）、小役の当選確率は通常（約１／３．５、ただし入賞確率は約１／６．１）であり、１ゲームあたりのメダルの払出率は１未満となる。また、ＲＴ５では、再遊技役のうち通常リプレイ及び下段リプレイのみが内部抽選の対象となる。
【０２４４】
ＲＢは、ＲＴ５、ＲＴ５においてＲＢ１またはＲＢ２が入賞したときに移行する。そして、ＲＢは、６ゲーム消化するか、６回入賞することで終了する。ＲＢにおいては、特別役及び再遊技役が内部抽選の対象外となり、小役の当選確率は、ＲＴ０〜５よりも高く高確率（約１／１．０１）であり、１ゲームあたりのメダルの払出率は１以上となる。
【０２４５】
ＢＢ（ＲＢ）は、ＲＴ４、５においてＢＢが入賞したときに移行する。そして、ＢＢ（ＲＢ）は、ＢＢ（ＲＢ）に移行してからのゲーム数に関わらず、ＢＢ（ＲＢ）に払い出されたメダルの総数が規定数を超えることで終了する。ＢＢ（ＲＢ）においては、特別役及び再遊技役が内部抽選の対象外となり、小役の当選確率は、ＲＴ０〜５よりも高く高確率（約１／１．００）であり、１ゲームあたりのメダルの払出率は１以上となる。
【０２４６】
ＲＴ４、５、ＲＢ、ＢＢ（ＲＢ）のうち、ＲＢ及びＢＢ（ＲＢ）が１ゲームあたりのメダルの払出率がもっとも高く、最も有利な遊技状態である。また、ＲＴ０〜３のうちＲＴ０、２は、再遊技役の当選確率が高確率となり、１ゲームあたりのメダルの払出率がＲＴ１、３に比較して高い点において、ＲＴ１、３よりも遊技者にとって有利な状態といえる。
【０２４７】
本実施例におけるスロットマシンは、遊技状態がＲＴ０〜３であるときに、サブ制御部９１により、内部抽選結果を報知するナビ演出を実行可能な報知期間となるアシストタイム（以下、ＡＴという）に演出状態を制御可能となっている。
【０２４８】
ここで本実施例の遊技状態の移行状況について説明すると、図１０に示すように、ＲＢまたはＢＢ（ＲＢ）が終了すると、ＲＴ３に移行する。
【０２４９】
ＲＴ３では、移行出目が停止することで、ＲＴ１に移行し、特別役が当選することで、当選した特別役の種類に応じてＲＴ４またはＲＴ５に移行する。ＲＴ３において左ベル１〜４、中ベル１〜４、右ベル１〜４のいずれかが当選し、かつ小役を入賞させることができなかった場合に移行出目が停止することとなるため、ＲＢまたはＢＢ（ＲＢ）の終了後に移行したＲＴ３において左ベル１〜４、中ベル１〜４、右ベル１〜４のいずれかが当選し、かつ小役を入賞させることができなかった場合に、ＲＴ１に移行することとなる。
【０２５０】
ＲＴ１では、昇格リプレイが入賞することでＲＴ０に移行し、特別役が当選することで、当選した特別役の種類に応じてＲＴ４またはＲＴ５に移行する。ＲＴ１においてリプレイＧＲ１〜６が当選し、停止順が正解することで昇格リプレイが入賞することとなるため、ＲＴ１では、リプレイＧＲ１〜６が当選し、停止順に正解することでＲＴ０へ移行することとなる。
【０２５１】
ＲＴ０では、転落リプレイが入賞するか、移行出目が停止することでＲＴ１に移行し、特殊リプレイが入賞することでＲＴ２へ移行し、特別役が当選することで、当選した特別役の種類に応じてＲＴ４またはＲＴ５に移行する。ＲＴ０においてリプレイＧＲ１１〜１５が当選し、停止順が正解することで特殊リプレイが入賞し、不正解であると転落リプレイが入賞する。また、ＲＴ０において左ベル１〜４、中ベル１〜４、右ベル１〜４のいずれかが当選し、かつ小役を入賞させることができなかった場合に移行出目が停止する。このため、ＲＴ０では、リプレイＧＲ１１〜１５が当選し、停止順が正解することでＲＴ２へ移行し、リプレイＧＲ１１〜１５が当選し、停止順が不正解となるか、左ベル１〜４、中ベル１〜４、右ベル１〜４のいずれかが当選し、小役を入賞させることができなかった場合にＲＴ１へ移行することとなる。
【０２５２】
ＲＴ２では、特別役が当選することで、当選した特別役の種類に応じてＲＴ４またはＲＴ５に移行する。ＲＴ２において左ベル１〜４、中ベル１〜４、右ベル１〜４のいずれかが当選し、かつ小役を入賞させることができなかった場合に移行出目が停止する。このため、ＲＴ２では、左ベル１〜４、中ベル１〜４、右ベル１〜４のいずれかが当選し、小役を入賞させることができなかった場合にＲＴ１へ移行することとなる。
【０２５３】
ＲＴ４、５では、当該内部中へ移行する契機となった特別役が入賞することでＲＢまたはＢＢ（ＲＢ）に移行する。
【０２５４】
サブ制御部９１は、後述のＡＴに制御されている場合には、遊技状態に応じたナビ対象役に当選することにより、ナビ演出を実行する。遊技状態に応じたナビ対象役とは、ＲＴ１であるときにはリプレイＧＲ１〜６であり、ＲＴ０であるときにはリプレイＧＲ１１〜１５である。また、ＲＴ０〜２のいずれにおいても、押し順ベルが共通のナビ対象役である。
【０２５５】
本実施例のナビ演出は、液晶表示器５１からのナビ画像の表示と、スピーカ５３、５４からのナビ音声の出力とによって行われる。ナビ画像として、例えば、リプレイＧＲ１や左ベルに当選したときには、「１２３」（リール２Ｌが第１停止、リール２Ｃが第２停止、リール２Ｒが第３停止であることを示す）や「１３２」（リール２Ｌが第１停止、リール２Ｃが第３停止、リール２Ｒが第２停止であることを示す）といったストップスイッチ８Ｌ、８Ｃ、８Ｒの押下順序を示す押下順序画像と、スロットマシン１のモチーフに合わせたキャラクタ画像とを表示する。また、ナビ音声として、例えば、「左中右！」（リール２Ｌが第１停止、リール２Ｃが第２停止、リール２Ｒが第３停止であることを示す）や「左右中！」（リール２Ｌが第１停止、リール２Ｃが第３停止、リール２Ｒが第２停止であることを示す）といったストップスイッチの押下順序を示す音声を出力する。尚、ナビ音声は、遊技者が最初あるいは次に押下すべきストップスイッチのみが出力される。したがって、全リールの回転中であれば、例えば最初に「左！」と出力され、リール２Ｌを停止させると次に「中！」と出力され、リール２Ｌ及びリール２Ｃを停止させると次に「右！」といった音声が出力される。他の対象役に関しても、当選した対象役に応じたナビ画像が液晶表示器５１から表示されるとともにナビ音声がスピーカ５３、５４から出力される。
【０２５６】
リプレイＧＲ１〜６に当選したときのナビ演出としては、当選状況に応じて昇格リプレイを入賞させるための押し順（図１７参照）が報知される。リプレイＧＲ１１〜１５に当選したときのナビ演出としては、当選状況に応じて特殊リプレイを入賞させるための押し順（図１７参照）が報知される。また、押し順ベルのいずれかに当選したときのナビ演出としては、右下がりベルまたは中段ベルを確実に入賞させるための押し順（図１８参照）が報知される。
【０２５７】
以上のように、本実施例におけるナビ演出は、遊技者にとって有利となる操作態様を想起させるメッセージが、ナビ対象役の種類に関わらず同じ態様で報知される。このため、遊技者は、当選したナビ対象役の種類を意識せずに遊技者にとって有利となる操作態様で操作することができる。そして、ナビ演出が実行されることにより、意図的に当選した昇格リプレイ入賞、特殊リプレイ入賞、ベル入賞を入賞させること、転落リプレイの入賞を回避させることができる。
【０２５８】
尚、ナビ演出の態様は、このような態様に限らず、遊技者が当選状況に応じて区別可能な態様であればどのようなものであっても良い。また、ナビ演出は、液晶表示器５１に表示するものに限らず、演出効果ＬＥＤ５２、スピーカ５３、５４、リールＬＥＤ５５等を用いて実行するものであっても良い。
【０２５９】
本実施例においてサブ制御部９１は、ＢＢ（ＲＢ）またはＲＢにおいて対象役（本実施例では、ベル、弱チェリー、強チェリー）が当選した場合にＡＲＴ（ＲＴ２でＡＴに制御される状態）に制御するか否かを決定するナビストック抽選を行う。対象役の当選時のナビストック抽選では、０を含むナビストック数を決定することにより、ナビストック数を付与するか否か及び付与する場合にはその個数が決定される。
【０２６０】
尚、ナビストック数が残っているときに、ナビストック数を新たに獲得したときには、残っているナビストック数に今回獲得したナビストック数を上乗せ加算させる。
【０２６１】
ナビストック数とは、所定ゲーム数（本実施例では初期ゲーム数である５０ゲームと後述する上乗せ抽選にて当選したゲーム数とを合算したゲーム数）にわたりＡＲＴに制御される権利の数を示す。ナビストック数を１消費（減算）することにより、所定ゲーム数の間、ＡＲＴに制御され、その間ナビ演出が実行される。このため、決定されたナビストック数が多い程、遊技者にとって有利度合いが高いといえる。
【０２６２】
次に、サブ制御部９１が行うＡＲＴの制御の流れについて説明する。
【０２６３】
サブ制御部９１は、ナビストック抽選において１以上のナビストックが決定されたときに、ナビストック数をＲＡＭ９１ｃの所定領域に格納する。そして、ＲＡＭ９１ｃのナビストックの有無に基づき、ＡＲＴに制御するか否かを特定する。１以上のナビストックが残っている場合には、ＡＲＴ確定報知を経てＡＲＴの当選が報知された後にＡＴに制御する。このＡＴに制御される期間を準備状態と呼ぶ。
【０２６４】
準備状態の制御を開始すると、対象役が当選した場合にナビ演出を実行する。まず、準備状態に移行後は、ＲＴ１に制御されており、この間は、リプレイＧＲ１〜６の当選時に昇格リプレイを入賞させる停止順をナビ演出により報知する。これにより報知された停止順に従って停止操作を行うことにより昇格リプレイが入賞して、ＲＴ１からＲＴ０に移行させることが可能となる。尚、報知された停止順と異なる停止順にて停止操作を行った結果、昇格リプレイが入賞しなかった場合は、その時点で準備状態の制御も終了する。
【０２６５】
また、準備状態の制御開始後は、ＲＴ０〜２のどの遊技状態であっても押し順ベルの当選時にはベルを入賞させる停止順が報知されるので、報知された停止順に従って停止操作を行うことにより、確実にメダルを獲得することも可能となる。
【０２６６】
ＲＴ１において昇格リプレイが入賞し、ＲＴ０に移行した後は、リプレイＧＲ１１〜１５の当選時に、転落リプレイの入賞を回避し、かつ特殊リプレイを入賞させる停止順をナビ演出により報知する。リプレイＧＲ１１〜１５の当選時に報知された停止順に従って停止操作を行うことにより転落リプレイの入賞を回避してＲＴ０からＲＴ１への移行を回避し、かつ特殊リプレイを入賞させてＲＴ０からＲＴ２へ移行させることが可能となり、特殊リプレイが入賞してＲＴ２へ移行することに伴ってＡＲＴが開始することとなる。尚、報知された停止順と異なる停止順にて停止操作を行った結果、転落リプレイが入賞してＲＴ１へ移行した場合は、その時点で準備状態の制御も終了する。
【０２６７】
ＲＴ０において特殊リプレイが入賞し、ＲＴ２に移行することで、次ゲームのスタート操作を契機に、ナビストックを１消費（減算）し、ＡＲＴの残りゲーム数として初期ゲーム数（本実施例では５０ゲーム）をＲＡＭ９１ｃに設定し、ＡＲＴの制御の開始に伴いＡＲＴの残りゲーム数の計数を開始する。
【０２６８】
ＡＲＴ開始後は、１ゲームの開始毎にＡＲＴの残りゲーム数を１ずつ減算し、さらに１ゲーム毎に、押し順ベルが当選しているか、ナビストック抽選の対象役が当選しているか、メイン制御部４１側でフリーズ状態に制御されるか、を判定し、押し順ベルが当選している場合には、ベルを入賞させる停止順を報知するナビ演出を実行する。
【０２６９】
押し順ベルの当選時に報知された停止順に従って停止操作を行うことによりベルを入賞させることができるとともに、ＲＴ１への移行を回避することが可能となる。尚、報知された停止順と異なる停止順にて停止操作を行った結果、移行出目が停止してＲＴ１へ移行した場合は、その時点でＡＲＴの制御も終了する。
【０２７０】
ナビストック抽選の対象役が当選している場合には、ナビストック抽選を行い、１以上のナビストックが当選した場合にはナビストック数を加算（上乗せ）する。
【０２７１】
また、メイン制御部４１側でフリーズ状態に制御される場合には、継続抽選に当選する毎にＡＲＴのゲーム数を上乗せするか否かを決定する上乗せ抽選を行う。上乗せ抽選では、複数のゲーム数からいずれかのゲーム数を決定し、決定したゲーム数をＲＡＭ９１ｃの残りゲーム数に加算する。
【０２７２】
また、ＡＲＴ開始後の各ゲームでは、１ゲームの開始毎にＡＲＴの残りゲーム数を１ずつ減算するようになっており、減算後の残りゲーム数が０となった場合には、当該ゲームの終了時にＡＲＴの終了が報知されるＡＲＴ終了報知を行う。
【０２７３】
さらにＡＲＴ終了報知の後、ナビストックが残っているか否かを判定し、ナビストックが残っていれば、次ゲームのスタート操作を待って、ＡＲＴの制御を再開する。一方、ナビストックが残っていない場合には、ＡＲＴの制御を終了させる。これに伴い、押し順ベルが当選してもナビ演出が実行されないため、移行出目が停止する可能性が高まり、移行出目が停止することでＲＴ１に移行することとなる。
【０２７４】
また、ＡＲＴ中に特別役が当選した場合には、ＡＲＴは中断し、これに伴いＡＲＴのゲーム数の計数も中断することとなる。その後、当選した特別役の入賞に伴うボーナス終了後にＡＲＴを再開し、ＡＲＴの残りゲーム数の計数も再開する。
【０２７５】
本実施例においてメイン制御部４１は、ＲＴ２中の弱チェリー、強チェリーの当選を契機に、所定期間にわたり遊技の進行を遅延させるフリーズ状態に制御するか否かを決定するフリーズ抽選を行い、当該フリーズ抽選に当選することで、所定期間にわたりストップスイッチ８Ｌ、８Ｃ、８Ｒによるリールの停止操作が有効化されるタイミングを遅延させるフリーズ状態に制御する。また、メイン制御部４１は、フリーズ状態においてリール２Ｌ、２Ｃ、２Ｒを変動させるとともに、ストップスイッチ８Ｌ、８Ｃ、８Ｒの操作により対応するリールを仮停止させる擬似遊技演出を行うようになっている。
【０２７６】
尚、ＡＲＴ中以外でＲＴ２に制御されることはほとんどないため、ＡＲＴに制御されていない状態では、フリーズ状態に制御されることはほとんどなく、原則としてＡＲＴに制御されている状態にのみ、フリーズ状態に制御されることとなる。また、ＡＲＴ中以外でフリーズ状態に制御されることもあるが、この場合には、サブ制御部９１において擬似遊技演出に伴う演出、ＡＲＴのゲーム数の上乗せ等は行われないようになっている。
【０２７７】
以下に、図１９、図２０に基づいてメイン制御部４１が行うフリーズ状態に関する制御、フリーズ状態に伴う擬似遊技演出に関連したサブ制御部９１の制御について説明する。
【０２７８】
図１９に示すように、メイン制御部４１は、ＲＴ２中の弱チェリー、強チェリーの当選時に、フリーズ状態に制御するか否かを決定するとともに、フリーズ状態に制御する場合には当該フリーズ状態の開始ゲーム、さらにフリーズ状態の種別としてハズレ（フリーズなし）、継続率５０％（フリーズあり）、継続率８０％（フリーズあり）のいずれかを決定するフリーズ抽選を行い、フリーズ抽選の結果が特定されるフリーズ抽選結果コマンドをサブ制御部９１に送信する。
【０２７９】
メイン制御部４１は、ハズレが決定された場合には、フリーズ状態には制御せず、継続率５０％、継続率８０％が当選した場合、すなわちフリーズ状態に制御する旨を決定した場合に、同時に決定した開始ゲームまで待機し、フリーズ状態の開始ゲームにおいてフリーズ状態に制御する。
【０２８０】
メイン制御部４１は、フリーズ状態の開始ゲームにおいて、当該ゲームの開始操作（スタートスイッチ７の操作）に伴ってフリーズ状態の開始を示すフリーズ開始コマンドをサブ制御部９１に送信するとともに、フリーズ状態を継続させるか否か（非継続、継続）を決定する継続抽選を行い、継続抽選の結果を特定可能な継続抽選結果コマンドをサブ制御部９１に送信する。
【０２８１】
継続抽選では、当該フリーズ状態の契機となったフリーズ抽選において決定された種別が継続率５０％であれば、５０％の確率で継続を決定し、５０％の確率で非継続を決定する。また、当該フリーズ状態の契機となったフリーズ抽選において決定された種別が継続率８０％であれば、８０％の確率で継続を決定し、２０％の確率で非継続を決定する。
【０２８２】
そして、継続抽選の後、リールの回転を開始させることで擬似遊技演出を開始し、リールが定速回転となることでストップスイッチ８Ｌ、８Ｃ、８Ｒの操作をゲームの進行に関与しない操作として受付可能とする。この際、図２０（ａ）に示すように、停止有効ＬＥＤ２２Ｌ、２２Ｃ、２２Ｒを点灯してストップスイッチ８Ｌ、８Ｃ、８Ｒによるリールの停止操作を促す。
【０２８３】
一方、サブ制御部９１は、継続抽選結果コマンドを受信することで、継続抽選結果コマンドから特定される抽選結果が継続の場合には上乗せ抽選を行い、当選したゲーム数をＡＲＴの残りゲーム数に加算する。尚、この時点では、ゲーム数が上乗せされたことは報知しない。また、継続抽選結果コマンドを受信した場合には、継続抽選に当選したか否かに関わらず、図２０（ａ）に示すように、「７を狙え！」というメッセージを液晶表示器５１に表示させて「黒７」を狙った停止操作を促す停止操作指示演出を実行する。
【０２８４】
この状態でストップスイッチ８Ｌ、８Ｃ、８Ｒが操作されると、図２０（ｂ）〜（ｄ）に示すように、操作されたストップスイッチに対応するリールを継続抽選の結果に応じて仮停止させる制御を行う。詳しくは、継続抽選にて継続が当選していれば、図２０（ｂ）に示すように、全てのリールについて引込範囲内に位置する「黒７」を中段に引き込んで「黒７−黒７−黒７」の組み合わせを仮停止させる制御を行い、継続抽選にて継続が当選していなければ、図２０（ｄ）に示すように、いずれか２つのリールが仮停止するまでは引込範囲内に位置する「黒７」を中段に引き込んで「黒７−黒７−黒７」の組み合わせの一部を停止させる制御を行うが、最後に仮停止するリールについては中段に「黒７」以外の図柄を仮停止させる制御を行う。尚、継続抽選にて継続が当選していても「黒７」を中段に引き込めない場合には、図２０（ｃ）に示すように、中段に「黒７」以外の図柄を仮停止させる制御を行う。
【０２８５】
また、リールの回転を開始し、定速回転となることでストップスイッチ８Ｌ、８Ｃ、８Ｒの操作をゲームの進行に関与しない操作として受付可能となった後、１０秒が経過してもストップスイッチ８Ｌ、８Ｃ、８Ｒが操作されず、いずれかのリールが回転中の場合には、回転中のリールを継続抽選の結果に応じて自動的に仮停止させる制御を行う。
【０２８６】
一方、サブ制御部９１は、前述のように継続抽選にて継続が当選していれば上乗せ抽選を行い、当選したゲーム数をＡＲＴの残りゲーム数に上乗せすることとなるため、擬似遊技演出において「黒７−黒７−黒７」の組み合わせが中段に揃うことで、ＡＲＴのゲーム数の上乗せが報知されるようになっている。尚、擬似遊技演出において「黒７−黒７−黒７」の組み合わせを中段に揃えられなかった場合でも、継続抽選にて継続が当選していればＡＲＴのゲーム数は上乗せされる。
【０２８７】
また、擬似遊技演出においてリールを仮停止させる場合には、ゲームの進行に伴いリールを停止させる場合と異なり、完全にリールを停止させることなく、目標の停止位置を導出させた後、リールを上下に振動させる制御を行うようになっている。詳しくは、メイン制御部４１が、ゲームの進行に伴いリールを停止させる場合には、所定時間（例えば、５００ｍｓ）以上にわたりリールモータ３２Ｌ、３２Ｃ、３２Ｒの励磁状態を変化させないことによりリールを完全に停止させるのに対して、擬似遊技演出に伴いリールを仮停止させる場合には、所定時間が経過する前にリールモータ３２Ｌ、３２Ｃ、３２Ｒの励磁状態を変化させることによりリールを完全に停止させないようになっており、リール停止時に、擬似遊技演出に伴ってリールが仮停止したのか、ゲームの進行に伴いリールが停止したのか、を明確に区別できるようになっている。
【０２８８】
また、メイン制御部４１は、擬似遊技演出においてリールを仮停止させる制御を行う毎に、仮停止リール、該当するリールの停止操作位置の領域番号、該当するリールの停止位置の領域番号を特定可能な仮停止コマンドをサブ制御部９１に対して送信する。
【０２８９】
メイン制御部４１は、擬似遊技演出において全てのリールが仮停止することで１セットの擬似遊技演出を終了し、その後継続抽選にて継続が当選している場合には、スタートスイッチ７の操作をゲームの進行に関与しない操作として受付可能とし、スタートスイッチ７が操作されるまで待機し、この状態でスタートスイッチ７が操作されると、以後、擬似遊技演出に伴う制御（継続抽選、リール回転、停止有効ＬＥＤ２２Ｌ、２２Ｃ、２２Ｒの点灯、ストップスイッチ８Ｌ、８Ｃ、８Ｒの操作に伴う仮停止の制御）を、継続抽選にて非継続が当選するまで繰り返し行うようになっている。
【０２９０】
また、メイン制御部４１は、擬似遊技演出において全てのリールが仮停止した後、継続抽選にて非継続が当選している場合には、フリーズ状態を終了し、これに伴いサブ制御部９１に対してフリーズ状態の終了を示すフリーズ終了コマンドを送信し、その後、リールの回転を開始させ、定速回転となることで、ストップスイッチ８Ｌ、８Ｃ、８Ｒの操作をゲームの進行に関与する操作として受付可能とする。
【０２９１】
また、メイン制御部４１は、フリーズ状態においてＭＡＸＢＥＴスイッチ６の操作をゲームの進行に関与しない操作として受付可能とされており、フリーズ状態においてＭＡＸＢＥＴスイッチ６が操作されたときは、フリーズ状態を中止するようになっている。詳しくは、リールの停止中であればその時点でフリーズ状態を終了し、擬似遊技演出に伴うリールの回転中であれば一度リールを停止してフリーズ状態及び擬似遊技演出を終了し、これに伴いサブ制御部９１に対してフリーズ状態の終了を示すフリーズ終了コマンドを送信し、その後、リールの回転を開始させ、定速回転となることで、ストップスイッチ８Ｌ、８Ｃ、８Ｒの操作をゲームの進行に関与する操作として受付可能とする。すなわちフリーズ状態においてＭＡＸＢＥＴスイッチ６を操作することにより、実行中のフリーズ状態及び擬似遊技演出がキャンセルされることでフリーズ状態の終了を待たずしてゲームを進行させることができるようになっている。
【０２９２】
一方、サブ制御部９１は、全てのリールに対応する仮停止コマンドを受信したとき、すなわち全てのリールが仮停止したときに、その前に受信していた継続抽選結果コマンドから継続抽選にて継続が当選していることが特定されている場合には、図２０（ｂ）（ｃ）に示すように、「やった〜！＋ＸＸ（図中では＋５０）」と液晶表示器５１に表示し、上乗せ抽選にて当選したゲーム数を報知する上乗せ加算報知を行った後、図２０（ｅ）に示すように、「もう１回レバーを叩いて！」というメッセージを液晶表示器５１に表示させてスタートスイッチ７の操作を促す開始操作指示演出を実行する。
【０２９３】
また、サブ制御部９１は、全てのリールに対応する仮停止コマンドを受信したとき、すなわち全てのリールが仮停止したときに、その前に受信していた継続抽選結果コマンドから継続抽選にて非継続が当選していることが特定されている場合には、図２０（ｄ）に示すように、「残念…」というメッセージを液晶表示器５１に表示させ、フリーズ状態が終了する旨を報知する終了報知演出を実行する。その後、フリーズ終了コマンドを受信することで、図２０（ｆ）に示すように、「トータル＋ＸＸＸ（図中では３００）獲得」というメッセージを液晶表示器５１に表示させて、当該フリーズ状態において上乗せされたゲーム数の合計を報知する結果報知演出を実行し、フリーズ状態に伴う一連の制御を終了させる。
【０２９４】
このように本実施例では、ＡＲＴ中に弱チェリー、強チェリーが当選したことを契機としてフリーズ状態に制御された場合に、このフリーズ状態において、リールを変動させるとともに、ストップスイッチ８Ｌ、８Ｃ、８Ｒの停止に伴いリールを仮停止させる擬似遊技演出が行われるようになっており、擬似遊技演出において仮停止したリールの態様に応じてＡＲＴのゲーム数の上乗せが報知されるようになっている。
【０２９５】
また、本実施例では、擬似遊技演出においてストップスイッチ８Ｌ、８Ｃ、８Ｒの操作が受付可能な状態になると、停止有効ＬＥＤ２２Ｌ、２２Ｃ、２２Ｒが点灯し、ストップスイッチ８Ｌ、８Ｃ、８Ｒの操作が有効である旨が報知されるようになっており、擬似遊技演出の実行中にストップスイッチ８Ｌ、８Ｃ、８Ｒの操作が可能であることを遊技者に対して認識させることが可能となり、違和感なく擬似遊技演出に参加させることができる。
【０２９６】
尚、本実施例では、擬似遊技演出において停止有効ＬＥＤ２２Ｌ、２２Ｃ、２２Ｒが点灯すること、すなわちストップスイッチ８Ｌ、８Ｃ、８Ｒの操作が遊技の進行に関与する状態と共通の報知手段を用いてストップスイッチ８Ｌ、８Ｃ、８Ｒの操作が有効である旨が報知される構成であるが、ストップスイッチ８Ｌ、８Ｃ、８Ｒの操作が遊技の進行に関与する状態において用いられる停止有効ＬＥＤ２２Ｌ、２２Ｃ、２２Ｒ以外の報知手段を用いてストップスイッチ８Ｌ、８Ｃ、８Ｒの操作が有効である旨を報知する構成、例えば、サブ制御部９１が制御する液晶表示器５１にストップスイッチ８Ｌ、８Ｃ、８Ｒの操作が有効である旨の画像を表示させたり、ストップスイッチ８Ｌ、８Ｃ、８Ｒ内に停止有効ＬＥＤ２２Ｌ、２２Ｃ、２２Ｒとは別にサブ制御部９１が制御するＬＥＤを内蔵させ、当該ＬＥＤを点灯させることでストップスイッチ８Ｌ、８Ｃ、８Ｒの操作が有効である旨を報知する構成としても良く、このような構成であっても、擬似遊技演出の実行中にストップスイッチ８Ｌ、８Ｃ、８Ｒの操作が可能であることを遊技者に対して認識させることが可能となり、違和感なく擬似遊技演出に参加させることができる。
【０２９７】
また、本実施例では、フリーズ状態の開始後、当初予定されていた所定期間が経過する前に遊技者がＭＡＸＢＥＴスイッチ６の操作、すなわちフリーズ状態のキャンセル操作を行うことにより、フリーズ状態を終了させて遊技を進行させることが可能となるので、フリーズ状態の開始後、所定期間が経過するのを待たずに遊技を進行させることができる。
【０２９８】
尚、本実施例では、フリーズ状態のキャンセル操作としてＭＡＸＢＥＴスイッチ６の操作を適用しているが、フリーズ状態において擬似遊技演出に用いられる操作手段以外の操作手段を用いた操作、フリーズ状態において擬似遊技演出に用いられる操作手段と共通の操作手段であるが、擬似遊技演出に用いられる操作態様とは異なる操作態様（例えば、長押し等）での操作をフリーズ状態のキャンセル操作として適用しても良い。
【０２９９】
また、本実施例では、フリーズ状態においてキャンセル操作がされることでフリーズ状態が終了する構成であるが、複数種類のフリーズ状態のうち一部のフリーズ状態のみキャンセル操作によりフリーズ状態を途中で終了させることを可能とし、残りのフリーズ状態についてキャンセル操作がされてもフリーズ状態を所定期間が経過するまで継続させる構成、すなわち途中でキャンセルできないフリーズ状態を備える構成としても良い。この場合、特に、フリーズ状態が終了するまでに相対的に長い期間を要するフリーズ状態については、キャンセル操作により途中で終了させることを可能とし、フリーズ状態が相対的に短い期間で終了するフリーズ状態ついては、キャンセル操作がされても途中でキャンセルできない構成であれば、長い期間を要するフリーズ状態については遊技者の意志によりフリーズ状態を途中で終了させることが可能となる一方、短い期間で終了するフリーズ状態については当該フリーズ状態に制御されることにより示唆される内容を遊技者に対して確実に認識させることができる。
【０３００】
また、本実施例では、フリーズ状態においてキャンセル操作がされたときに、リールが回転中であっても直ちにリールを停止させ、フリーズ状態を終了させる構成であるが、リールの仮停止中においてはキャンセル操作を受け付け、フリーズ状態を終了させて遊技を進行可能とする一方、リールの回転中においては、キャンセル操作を受け付けず、リールの回転が仮停止するまでフリーズ状態を終了できない構成、すなわちフリーズ状態のうちキャンセル操作を受付可能な期間と受付不能な期間とを設け、受付可能な期間においてキャンセル操作がされたときのみ当該フリーズ状態を終了させる構成としても良い。
【０３０１】
また、本実施例では、メイン制御部４１が、フリーズ開始コマンドを出力することでサブ制御部９１がフリーズ状態の開始を特定可能としており、フリーズ終了コマンドを出力することでサブ制御部９１がフリーズ状態の終了を特定可能としている。このため、サブ制御部９１は、メイン制御部４１がフリーズ状態に制御される期間を、特にはフリーズ状態において行われる擬似遊技演出に制御される期間を特定して当該期間に応じた演出を行うことが可能とされている。また、メイン制御部４１が、継続抽選結果コマンドを出力することで継続抽選の当選の有無、すなわちフリーズ状態が継続するか否かを特定可能としており、フリーズ状態が継続するか否かに応じてＡＲＴのゲーム数の上乗せの有無、すなわち遊技者にとって有利な特典が付与されるか否かを決定するようになっている。
【０３０２】
尚、本実施例では、ゲーム開始時に当該ゲームのリールの停止操作の受付が有効となるタイミングを遅延させるフリーズ状態に制御する構成であるが、１ゲーム中のゲーム開始時以外のタイミング（例えば、第２停止リールの停止操作または第３停止リールの停止操作の受付が有効となるタイミング、ゲーム終了時に次ゲームの賭数設定操作の受付が有効となるタイミング、ゲーム終了時に次ゲームのスタート操作の受付が有効となるタイミング）においてゲームの進行を遅延させるフリーズ状態に制御する構成としても良い。
【０３０３】
また、本実施例では、フリーズ状態において行われる特定演出として、リールを変動させるとともに、ストップスイッチ８Ｌ、８Ｃ、８Ｒの操作により変動中のリールを仮停止させる擬似遊技演出を行う構成であるが、フリーズ状態においてリールを変動させるとともに、ストップスイッチ８Ｌ、８Ｃ、８Ｒ以外の操作手段（ＭＡＸＢＥＴスイッチ６、スタートスイッチ７等）の操作により変動中のリールを仮停止させる擬似遊技演出を特定演出として行う構成としても良い。
【０３０４】
また、フリーズ状態においてリールを変動させるとともに、ストップスイッチ８Ｌ、８Ｃ、８Ｒ以外の操作手段（ＭＡＸＢＥＴスイッチ６、スタートスイッチ７等）の操作により変動中のリールを仮停止させる擬似遊技演出を特定演出として行う構成においては、対応する操作が有効である旨を報知することが好ましい。例えば、ＭＡＸＢＥＴスイッチ６の操作により変動中のリールを仮停止させる場合には、ＢＥＴスイッチ有効ＬＥＤ２１を点灯させたり、サブ制御部９１が制御する演出手段（液晶表示器５１、ＭＡＸＢＥＴスイッチ６が有効である旨を報知するＬＥＤ等）を用いて当該操作が有効である旨を報知すれば良く、スタートスイッチ７の操作により変動中のリールを仮停止させる場合には、スタート有効ＬＥＤ１８を点灯させたり、サブ制御部９１が制御する演出手段（液晶表示器５１、スタートスイッチ７が有効である旨を報知するＬＥＤ等）を用いて当該操作が有効である旨を報知すれば良く、これにより、擬似遊技演出の実行中に対応する操作手段の操作が可能であることを遊技者に対して認識させることが可能となり、違和感なく擬似遊技演出に参加させることができる。
【０３０５】
また、フリーズ状態においてリールを変動させるとともに、ストップスイッチ８Ｌ、８Ｃ、８Ｒ等の操作手段の操作により変動中のリールの変動態様を変化させる（例えば、順回転中のリールを逆回転に変更したり、変動速度を変更する等）擬似遊技演出を特定演出として行う構成としても良いし、さらには、フリーズ状態においてリールを変動させることなく、ストップスイッチ８Ｌ、８Ｃ、８Ｒ等の操作手段の操作により液晶表示器５１等の演出手段による演出態様を変化させる特定演出を行う構成としても良い。また、これらの構成においても、対応する操作が有効である旨を報知することが好ましく、これにより、特定演出の実行中に対応する操作手段の操作が可能であることを遊技者に対して認識させることが可能となり、違和感なく特定演出に参加させることができる。
【０３０６】
また、フリーズ状態においては、操作手段の操作により演出態様が変化する演出が行われる構成である必要はなく、操作手段の操作により演出態様（リールの変動態様や演出手段の演出態様）が変化するフリーズ状態と、操作手段の操作による演出態様の変化のないフリーズ状態と、を備える構成としても良いし、操作手段の操作による演出態様の変化のないフリーズ状態のみを備える構成としても良い。
【０３０７】
本実施例では、図２１に示すように、遊技制御基板４０が、インターフェイス（ＩＦ）基板（メイン）１１００を介して試験装置１３００と接続可能とされており、試験用信号が試験装置１３００から遊技制御基板４０に対して入力されるとともに、遊技の結果に関連して発生する試験信号が遊技制御基板４０から試験装置１３００に対して出力されるようになっており、遊技制御基板４０と試験装置１３００を接続することにより自動的にシミュレーション試験を行うことが可能とされている。
【０３０８】
図２１は、遊技制御基板４０からＩＦ基板（メイン）１１００を介して試験装置１３００に対して出力される試験信号、及び、試験装置１３００からＩＦ基板（メイン）１１００を介して遊技制御基板４０に対して出力される試験用信号を示す図である。
【０３０９】
図２１に示すように、投入要求ランプ信号、スタート可能ランプ信号、ＢＢ中信号、ＲＢゲーム中信号、リプレイゲーム中信号、第１〜３リールストップ可能ランプ信号、第１〜３リールインデックス信号、払出要求信号、払出カウント信号、打止信号、設定値表示用７セグメント表示ａ〜ｇ信号、内部当選フラグ８信号、内部当選フラグ７信号、内部当選フラグ１〜６（ＲＴ種別１〜４）信号、信号遅延中信号、第１リールモータ励磁信号、第２リールモータ励磁信号、第３リールモータ励磁信号が試験信号として遊技制御基板４０から試験装置１３００に対して出力される。
【０３１０】
これら遊技制御基板４０から試験装置１３００に対して出力される試験信号は、メイン制御部４１の制御によって出力されるようになっている。
【０３１１】
投入要求ランプ信号は、投入要求ＬＥＤ１７の駆動信号、すなわち投入要求ＬＥＤ１７が点灯しているか否かを示す信号であり、メダルの投入が要求されている状態か否かを特定可能とされている。
【０３１２】
スタート可能ランプ信号は、スタート有効ＬＥＤ１８の駆動信号、すなわちスタート有効ＬＥＤ１８が点灯しているか否かを示す信号であり、ゲームの開始操作が要求されている状態か否かを特定可能とされている。
【０３１３】
ＢＢ中信号、ＲＢゲーム中信号、リプレイゲーム中信号は、各々遊技状態がＢＢ中、ＲＢ中、リプレイゲーム中を示す信号であり、その時点の遊技状態を特定可能とされている。
【０３１４】
第１〜３リールストップ可能ランプ信号は、左、中、右停止有効ＬＥＤ２２Ｌ、２２Ｃ、２２Ｒの駆動信号、すなわち左、中、右停止有効ＬＥＤ２２Ｌ、２２Ｃ、２２Ｒが点灯しているか否かを示す信号であり、左リール、中リール、右リールの停止操作が可能か否かを特定可能とされている。
【０３１５】
第１〜３リールインデックス信号は、リールセンサ３３Ｌ、３３Ｃ、３３Ｒの検出信号であり、左リール、中リール、右リールの基準位置の通過を特定可能とされている。
【０３１６】
払出要求信号は、ホッパーモータ３４ｂの駆動信号、すなわちホッパーモータ３４ｂが駆動しているか否かを示す信号であり、メダルの払出動作が行われている旨を特定可能とされている。
【０３１７】
払出カウント信号は、入賞に伴うメダルの払出を検出する毎に出力される信号であり、試験装置１３００側でメダルの払出をカウントさせるための信号である。
【０３１８】
打止信号は、打止状態に制御されている旨を示す信号である。
【０３１９】
設定値表示用７セグメント表示ａ〜ｇ信号は、設定値表示器２４の各セグメントを構成するＬＥＤの駆動信号であり、設定値表示器２４に表示されている設定値を特定可能とされている。
【０３２０】
内部当選フラグ８信号は、内部当選フラグ１〜６信号が特別役の当選状況を示している旨を示す信号であり、内部当選フラグ７信号は、内部当選フラグ１〜６信号が特別役の当選状況を示している旨を示す信号である。
【０３２１】
内部当選フラグ１〜６信号は、内部当選フラグ８信号がＯＮ、内部当選フラグ７信号がＯＦＦの場合に特別役の当選状況を示す信号であり、内部当選フラグ８信号がＯＦＦ、内部当選フラグ７信号がＯＮの場合に一般役の当選状況を示す信号である。また、内部当選フラグ１〜４信号は、内部当選フラグ８信号、内部当選フラグ７信号がともにＯＦＦの状態であり、かつゲーム終了後、スタート可能ランプ信号がＯＮに変化してから所定期間（一定時間が経過するまでの期間またはリールスタートスイッチ信号がＯＮとなるまでの期間）において、ＲＴ種別信号として機能し、この間における内部当選フラグ１〜４（ＲＴ種別１〜４信号）は、次ゲームのＲＴの種別（ＲＴ０〜５）を示す信号となる。
【０３２２】
信号遅延中信号は、内部抽選後１回目（特別下位に対応する内部当選フラグ１〜６信号出力中）の内部当選フラグ８信号の出力開始を遅延させている旨を示す信号である。
【０３２３】
第１〜３リールモータ励磁信号は、リールモータ３２Ｌ、３２Ｃ、３２Ｒ、すなわち左リール、中リール、右リールを駆動するリールモータの駆動信号であり、各リールの駆動状況を特定可能とされている。
【０３２４】
図２１に示すように、投入スイッチ信号、リールスタートスイッチ信号、第１〜３リールストップスイッチ信号、払出スイッチ信号、打止解除スイッチ信号、設定キースイッチ信号、設定スイッチ信号が、試験用信号として試験装置１３００から遊技制御基板４０に対して入力される。これら試験用信号は、スロットマシン１が備える各種スイッチやセンサの検出信号と同様に機能する信号であり、これら試験用信号は、遊技制御基板４０が備えるスイッチ検出回路４４により検出され、メイン制御部４１により各試験用信号に対応したスイッチやセンサの検出が判定されるようになっている。
【０３２５】
投入スイッチ信号は、投入メダルセンサ３１に対応する信号であり、リールスタートスイッチ信号は、スタートスイッチ７に対応する信号である。第１〜３リールストップスイッチ信号は、ストップスイッチ８Ｌ、８Ｃ、８Ｒに各々対応する信号である。払出スイッチ信号は、払出センサ３４ｃに対応する信号である。打止解除スイッチ信号は、リセットスイッチ２３に対応する信号である。設定キースイッチ信号は、設定キースイッチ３７に対応する信号である。設定スイッチ信号は、リセット／設定スイッチ３８に対応する信号である。
【０３２６】
また、本実施例において遊技制御基板４０には、ＩＦ基板（メイン）１１００からの配線を接続可能な接続端子が設けられているともに、メイン制御部４１及び各種駆動回路から出力された試験信号を接続端子に伝達するための配線パターン、及び接続端子からスイッチ検出回路４４へ試験用信号を伝達するための配線パターンが形成されており、メイン制御部４１及び各種駆動回路から出力された試験信号がこれら配線パターン及び接続端子を介して出力されるとともに、接続端子及び配線パターンを介して入力された試験用信号がスイッチ検出回路４４に入力されるようになっている。
【０３２７】
また、接続端子は、例えば、ＩＦ基板（メイン）１１００からのプローブを接続可能な信号ピンやＩＦ基板（メイン）１１００からのケーブルを接続可能なコネクタにて構成されているため、これら接続端子を介してＩＦ基板（メイン）１１００からの配線を簡単に接続することが可能となる。
【０３２８】
また、接続端子は、ＩＦ基板（メイン）１１００を接続するために便宜的に設けられたものであり、これらの試験信号及び試験用信号の入出力が行われる接続端子は、遊技店に出荷されるスロットマシンの遊技制御基板４０には必要のないものである。このため、本実施例の遊技制御基板４０には、接続端子が設けられた部分を切断するための複数の切断孔が形成され、これら切断孔に沿って切断できるようになっており、遊技店への出荷時には、接続端子が設けられた部分を切断して不用な信号の入出力ができない状態とすることができる。これにより、例えば、ホール機器にて内部当選フラグ信号を検出し、内部当選フラグ信号から内部当選フラグの当選状況を特定してその旨を報知する等、試験信号が試験以外の目的で容易に利用できてしまうことを防止できる。また、遊技制御基板４０に対して不要な信号が容易に入力されてしまうことを防止できる。
【０３２９】
尚、第３者機関が試験を行うために提供するスロットマシンは通常数台程度であり、その他、遊技店に出荷される量産用のスロットマシンは、これら試験信号や試験用信号の入出力を行う必要性が低いことから、これら量産用のスロットマシンには、配線パターンは形成されているものの前述した接続端子を設けない遊技制御基板４０を搭載するようにしても良く、これにより量産用のスロットマシンの製造コストを軽減することができる。更にこの場合には、遊技制御基板４０に試験信号や試験用信号を伝達するための配線パターンは形成されているため、接続端子を実装するのみでＩＦ基板（メイン）１１００や試験装置１３００を簡単に接続することが可能となる。また、試験用のスロットマシンのみ試験信号や試験用信号を伝達するための配線パターン及びＩＦ基板（メイン）１１００や試験装置１３００と接続するための接続端子を設け、量産用のスロットマシンには、これら配線パターンや接続端子を設けない構成としても良い。すなわちメイン制御部４１が試験信号の出力制御を行うが、実際に試験信号が出力されない構成としても良い。これにより量産用のスロットマシンの製造コストを更に軽減できる。
【０３３０】
次に、図２２に示すタイミングチャートを用いて試験時における遊技制御基板４０と試験装置１３００との試験信号及び試験用信号の入出力状況について説明する。
【０３３１】
図２２に示すように、メダルが投入可能な状態になると、投入要求ＬＥＤ１７を点灯状態とし、投入要求ランプ信号をＯＮとして試験装置１３００に対して投入スイッチ信号の出力要求を行う。これに基づき試験装置１３００から投入スイッチ信号が入力され、遊技状態に応じた規定数分、投入スイッチ信号を検出することでゲームが開始可能な状態となるので、スタート有効ＬＥＤ１８を点灯状態として、スタート可能ランプ信号をＯＮとして試験装置１３００に対してリールスタートスイッチ信号の出力要求を行う。また、試験を行う場合には、クレジットの使用を禁止するため、規定数分の投入スイッチ信号の検出によりメダルの投入が不可能な状態となり、投入要求ＬＥＤ１７を消灯し、投入要求ランプ信号をＯＦＦにする。これに伴い投入スイッチ信号も停止される。
【０３３２】
また、投入要求ランプ信号がＯＮとなる前のタイミングから所定期間にわたり内部当選フラグ信号１〜４の出力状態を、次ゲームのＲＴの種別を示す出力状態に更新し、その後、内部当選フラグ信号１〜６全てを０（ＯＦＦ）に更新する。
【０３３３】
試験装置１３００からのリールスタートスイッチ信号を検出すると、スタート有効ＬＥＤ１８を消灯し、スタート可能ランプ信号をＯＦＦとする。そして、内部抽選を実行し、内部抽選の結果に基づいて内部当選フラグ１〜６信号の出力状態を更新し、内部当選フラグ８信号、内部当選フラグ７信号をそれぞれ交互にＯＮとすることにより内部抽選の結果を出力する。そして内部抽選の結果の出力後、内部当選フラグ１〜６信号、内部当選フラグ７信号、内部当選フラグ８信号全てを０（ＯＦＦ）に更新する。
【０３３４】
尚、１回目の内部当選フラグ８信号の出力が開始可能となったときに、前のゲームにおける内部抽選後１回目の内部当選フラグ８信号の出力開始から所定の規制時間が経過していない場合には、所定の規制時間の経過後、１回目の内部当選フラグ８信号の出力が開始されるとともに、１回目の内部当選フラグ８信号の出力開始が遅延されている旨を示す信号遅延中信号を一定時間ＯＮとする。
【０３３５】
内部当選フラグ１〜６信号、内部当選フラグ８信号、内部当選フラグ７信号による内部抽選の結果の出力後、リールの回転が開始し、定速回転となってストップスイッチ８Ｌ、８Ｃ、８Ｒの操作を有効化した時点で、左、中、右停止有効ＬＥＤ２２Ｌ、２２Ｃ、２２Ｒを点灯状態とし、第１〜３リールストップ可能ランプをＯＮにする。これに基づき試験装置１３００から第１〜３リールストップスイッチ信号のいずれかが入力されるようになっており、第１〜３リールストップスイッチ信号のいずれかを検出すると、左、中、右停止有効ＬＥＤ２２Ｌ、２２Ｃ、２２Ｒのうち対応するＬＥＤを消灯し、対応する第１〜３リールストップ可能ランプをＯＦＦにする。そして、検出した第１〜３リールストップスイッチ信号に対応するリールを停止させる制御を行った後、回転中のリールに対応する停止有効ＬＥＤを再び点灯状態とし、対応するリールストップ可能ランプをＯＮにする。
【０３３６】
これらの処理を繰り返し実施して、全てのリールが停止した際に、入賞図柄の組合せが停止しているか否かを判定し、メダルの払出を伴う図柄の組合せを判定した場合には、ホッパーモータ３４ｂの駆動信号を出力し、払出要求信号をＯＮとし、払出スイッチ信号の出力要求を行う。これに伴い、試験装置１３００から払出スイッチ信号が入力されるようになっており、払出スイッチ信号の検出により、メダルの払出枚数をカウントし、入賞図柄の組合せに応じた枚数分の払出スイッチ信号を検出した際に、ホッパーモータ３４ｂの駆動信号の出力を停止し、払出要求信号をＯＦＦにする。これに伴い払出スイッチ信号の入力も停止される。
【０３３７】
次いで、図柄の組合せに応じて遊技状態が変化する場合には、ホッパーモータ３２の駆動信号の停止後、すなわち払出要求信号をＯＦＦにした後、遊技状態を示す試験信号の出力状態を変化させる。例えば、ＢＢ（１）やＢＢ（２）などの組合せが揃ってＢＢに移行する場合は、ＢＢ中信号をＯＦＦからＯＮに変化させる。その後、再びメダルを投入可能な状態になると、投入要求ＬＥＤ１７を点灯状態とし、投入要求ランプ信号をＯＮにする。
【０３３８】
このような試験用信号、試験信号のやりとりをスロットマシンと試験装置１３００との間で行うことにより、自動的にシミュレーション試験が行われるようになっており、試験装置１３００では、これらの試験結果としてスロットマシンの払出率を出力することが可能とされている。詳しくは、試験対象となる期間に投入スイッチ信号を出力した回数（メダルの消費枚数）に対する、試験対象となる期間に払出カウント信号を検出した回数（メダルの払出枚数）の割合を算出し、その結果（消費枚数／払出枚数）が払出率として出力されることとなる。
【０３３９】
図２３は、内部当選フラグ（ＲＴ種別）信号及び規制時間経過前信号の出力状況を示すタイミングチャートである。
【０３４０】
特別役の当選状況は、内部当選フラグ８信号と内部当選フラグ１〜６信号の出力状況から特定可能とされ、一般役の当選状況は、内部当選フラグ７信号と内部当選フラグ１〜６信号の出力状況から特定可能とされる。
【０３４１】
本実施例では、内部当選フラグ８信号と内部当選フラグ１〜６信号とからなる特別役の当選状況は１回目（特別下位）と２回目（特別上位）に分けて出力され、内部当選フラグ７信号と内部当選フラグ１〜６信号とからなる一般役の当選状況は１回目（一般下位）と２回目（一般上位）に分けて出力されるようになっている。
【０３４２】
詳しくは、図２３に示すように、試験装置１３００からのリールスタートスイッチ信号を検出すると（Ｔ５）、スタート有効ＬＥＤ１８を消灯し、スタート可能ランプ信号をＯＦＦとする。そして、内部抽選を実行し、内部当選フラグ１〜６信号の出力状態を内部抽選の結果に基づいて特別役の当選状況を示す下位６ビットの値に更新すると同時に内部当選フラグ８信号を１（ＯＮ）とし（Ｔ６）、一定時間（本実施例では、２５ｍｓの時間）経過後、内部当選フラグ１〜６信号の出力状態を内部抽選の結果に基づいて一般役の当選状況を示す下位６ビットの値に更新すると同時に内部当選フラグ８信号を０（ＯＦＦ）、内部当選フラグ７信号を１（ＯＮ）とし（Ｔ７）、一定時間（本実施例では、２５ｍｓの時間）経過後、内部当選フラグ１〜６信号の出力状態を内部抽選の結果に基づいて特別役の当選状況を示す上位６ビットの値に更新すると同時に内部当選フラグ８信号を１（ＯＮ）、内部当選フラグ８信号を０（ＯＦＦ）とし（Ｔ８）、一定時間（本実施例では、２５ｍｓの時間）経過後、内部当選フラグ１〜６信号の出力状態を内部抽選の結果に基づいて一般役の当選状況を示す上位６ビットの値に更新すると同時に内部当選フラグ８信号を０（ＯＦＦ）、内部当選フラグ７信号を１（ＯＮ）とし（Ｔ９）、一定時間（本実施例では、２５ｍｓの時間）経過後、内部当選フラグ１〜８信号全てを０（ＯＦＦ）に更新する（Ｔ１０）。
【０３４３】
また、本実施例では、１回目の内部当選フラグ８信号の出力が開始可能となったときに、前述のように前のゲームにおける１回目の内部当選フラグ８信号の出力開始（Ｔ６）から所定の規制時間が経過していない場合には、前のゲームにおける１回目の内部当選フラグ８信号の出力開始（Ｔ６）から所定の規制時間が経過するまで（Ｔ１６）内部抽選後１回目の内部当選フラグ８信号の出力を開始させるタイミングを遅延させることにより、その後行われるリールの回転開始も前のゲームのリール回転開始から所定の規制時間が経過するまで遅延されるようになっている。
【０３４４】
本実施例において内部抽選の結果を示す特別下位、一般下位、特別上位、一般上位の出力時間は、上記のようにそれぞれ２５ｍｓの時間であるが、これらの出力時間は、試験装置１３００側で特別下位、一般下位、特別上位、一般上位の値を検出するのに必要な時間をＸとしたときに、Ｘ〜２Ｘの関係が成立する時間に設定されており、さらに、前述の所定の規制時間をＹとしたときに、Ｙ−４Ｘ＞４Ｘの関係が成立する時間に設定されている。
【０３４５】
図２４に示すように、特別役の当選状況、一般役の当選状況ともに、内部当選フラグ１〜６信号は、１回目の内部当選フラグ１〜６信号が示すデータ（ＯＮ：１、ＯＦＦ：０）は下位６ビットの値（ビット０〜５）を示し、２回目の内部当選フラグ１〜６信号が示すデータ（ＯＮ：１、ＯＦＦ：０）は上位６ビットの値（ビット６〜１１）を示している。
【０３４６】
そして、図２５に示すように、内部当選フラグ８信号が１（ＯＮ）、内部当選フラグ７信号が０（ＯＦＦ）の場合に出力された１回目及び２回目の内部当選フラグ１〜６信号から特定されるビット１１〜８の４ビット、ビット７〜４の４ビット、ビット３〜０の４ビットが示す値が０００Ｈの場合に特別役ハズレを示し、００１Ｈの場合にＢＢ１の当選を示し、００２Ｈの場合にＢＢ２の当選を示し、００３Ｈの場合にＲＢ１の当選を示し、００４Ｈの場合にＲＢ２の当選を示すこととなる。
【０３４７】
また、図２６に示すように、内部当選フラグ８信号が０（ＯＦＦ）、内部当選フラグ７信号が１（ＯＮ）の場合に出力された１回目及び２回目の内部当選フラグ１〜６信号から特定されるビット１１〜８の４ビット、ビット７〜４の４ビット、ビット３〜０の４ビットが示す値が０００Ｈの場合に一般役ハズレを示し、００１Ｈの場合にベル（中段ベル＋右下がりベル）の当選を示し、００２Ｈの場合に左ベル１（右下がりベル＋上段ベル５＋上段ベル８）の当選を示し、００３Ｈの場合に左ベル２（右下がりベル＋上段ベル６＋上段ベル７）の当選を示し、００４Ｈの場合に左ベル３（右下がりベル＋上段ベル２＋上段ベル３）の当選を示し、００５Ｈの場合に左ベル４（右下がりベル＋上段ベル２＋上段ベル４）の当選を示し、００６の場合に中ベル１（中段ベル＋上段ベル２＋上段ベル５）の当選を示し、００７Ｈの場合に中ベル２（中段ベル＋上段ベル１＋上段ベル６）の当選を示し、００８Ｈの場合に中ベル３（中段ベル＋上段ベル４＋上段ベル７）の当選を示し、００９Ｈの場合に中ベル４（中段ベル＋上段ベル３＋上段ベル８）の当選を示し、００ＡＨの場合に右ベル１（中段ベル＋上段ベル３＋上段ベル５）の当選を示し、００ＢＨの場合に右ベル２（中段ベル＋上段ベル１＋上段ベル７）の当選を示し、００ＣＨの場合に右ベル３（中段ベル＋上段ベル４＋上段ベル６）の当選を示し、００ＤＨの場合に右ベル４（中段ベル＋上段ベル２＋上段ベル８）の当選を示し、００ＥＨの場合に弱チェリー（下段チェリー）の当選を示し、００ＦＨの場合に強チェリー（下段チェリー＋１枚役）の当選を示し、０１０Ｈの場合に右上がりベルの当選を示し、０１１Ｈの場合に通常リプレイの当選を示し、０１２Ｈの場合に下段リプレイの当選を示し、０１３Ｈの場合にリプレイＧＲ１（通常リプレイ＋昇格リプレイ１）の当選を示し、０１４Ｈの場合にリプレイＧＲ２（通常リプレイ＋昇格リプレイ１＋昇格リプレイ２）の当選を示し、０１５Ｈの場合にリプレイＧＲ３（通常リプレイ＋昇格リプレイ１＋下段リプレイ）の当選を示し、０１６Ｈの場合にリプレイＧＲ４（通常リプレイ＋昇格リプレイ１＋昇格リプレイ２＋下段リプレイ）の当選を示し、０１７Ｈの場合にリプレイＧＲ５（通常リプレイ＋昇格リプレイ２）の当選を示し、０１８Ｈの場合にリプレイＧＲ６（通常リプレイ＋昇格リプレイ２＋下段リプレイ）の当選を示し、０１９Ｈの場合にリプレイＧＲ１１（転落リプレイ＋特殊リプレイ）の当選を示し、０１ＡＨの場合にリプレイＧＲ１２（転落リプレイ＋特殊リプレイ＋通常リプレイ）の当選を示し、０１ＢＨの場合にリプレイＧＲ１３（転落リプレイ＋特殊リプレイ＋下段リプレイ）の当選を示し、０１ＣＨの場合にリプレイＧＲ１４（転落リプレイ＋特殊リプレイ＋通常リプレイ＋下段リプレイ）の当選を示し、０１ＤＨの場合にリプレイＧＲ１５（転落リプレイ＋特殊リプレイ＋昇格リプレイ１）の当選を示し、０１ＥＨの場合に転落リプレイの当選を示し、０１ＦＨの場合に昇格リプレイ（昇格リプレイ１＋昇格リプレイ２）の当選を示し、０２０Ｈの場合に特殊リプレイの当選を示し、０２１Ｈの場合にリプレイＧＲ２１（７揃いリプレイ＋７不揃いリプレイ＋通常リプレイ）の当選を示し、０２２Ｈの場合にリプレイＧＲ２２（７不揃いリプレイ＋通常リプレイ）の当選を示すこととなる。
【０３４８】
このように特別役の当選状況、一般役の当選状況ともに、２回分の内部当選フラグ１〜６信号からなる１２ビットのデータを４ビットずつ分割した領域に格納された数値からそれぞれの当選状況を特定できるようになっており、特別役の当選状況、一般役の当選状況ともに、それぞれ最大で４０９５（００１Ｈ〜ＦＦＦＨ）種類の抽選役の当選状況を特定できるようになっている。
【０３４９】
次ゲームのＲＴの種別は、内部当選フラグ７信号がともにＯＦＦの状態であり、かつゲーム終了後から、スタート可能ランプ信号がＯＮに変化後所定期間（一定時間（２ｍｓ）が経過するまでの期間またはリールスタートスイッチ信号がＯＮとなるまでの期間）の内部当選フラグ１〜４信号の出力状況から特定可能とされる。
【０３５０】
詳しくは、図２３に示すように、全てが停止してゲームの制御（メダルの払出制御、遊技状態、ＲＴの移行制御等）が終了し、投入要求ランプ信号がＯＮとなる前のタイミング（Ｔ１／Ｔ１２）でＲＴ種別１〜４信号として機能する内部当選フラグ信号１〜４の出力状態を、次ゲームのＲＴ種別（ＲＴ０〜５）を示す出力状態に更新し、その後、スタート可能ランプ信号をＯＮとした後、一定時間（本実施例では２ｍｓ）が経過した時点か（Ｔ２）、一定時間が経過する前にリールスタートスイッチ信号の入力が検出された時点（１５）で内部当選フラグ信号１〜４全てを０（ＯＦＦ）に更新する。
【０３５１】
図２７に示すように、内部当選フラグ７信号がともにＯＦＦの状態であり、かつゲーム終了後、スタート可能ランプ信号がＯＮに変化してから所定期間において内部当選フラグ１〜４信号から特定される４ビットの値が０Ｈの場合にＲＴ０を示し、１Ｈの場合にＲＴ１を示し、２Ｈの場合にＲＴ２を示し、３Ｈの場合にＲＴ３を示し、４Ｈの場合にＲＴ４を示し、５Ｈの場合にＲＴ５を示すこととなる。
【０３５２】
また、メイン制御部４１は、前のゲームにおける内部抽選後１回目の内部当選フラグ８信号の出力開始から所定の規制時間（４．１秒）が経過しておらず、内部抽選後１回目（特別下位に対応する内部当選フラグ１〜６信号出力中）の内部当選フラグ８信号の出力開始が遅延される場合には、その旨を示す信号遅延中信号を出力する。
【０３５３】
詳しくは、図２３に示すように、内部当選フラグ８信号の出力開始が遅延される場合には、内部抽選が終了した時点で信号遅延中信号をＯＮとし、その後一定時間（１回目の内部当選フラグ８信号がＯＮとなるまでの時間よりも長く、かつ１回目の内部当選フラグ８信号がＯＦＦとなるまでの時間よりも短い時間）経過後、信号遅延中信号をＯＦＦとする。
【０３５４】
本実施例のスロットマシンでは、前述のように前のゲームにおける１回目の内部当選フラグ８信号の出力開始時点から所定の規制時間が経過していない場合には、この所定の規制時間が経過するまで当該ゲームの１回目の内部当選フラグ８信号の出力開始を遅延させることにより、内部当選フラグ８信号の出力開始後のリールの回転開始、すなわちゲームの進行も規制することで、１ゲームの最短時間が所定の規制時間以上となるようにゲームの進行を規制するようになっている。
【０３５５】
１ゲームの最短時間が所定の規制時間以上となるようにゲームの進行を規制するのは、ゲームの進行速度が速すぎると、メダルの消費速度も高くなることから、ゲームの進行を規制することにより、ゲームの進行速度を緩やかとして過度に射幸性が高まってしまうことを防止するためであり、試験装置１３００では、1ゲームの最短時間が所定の規制時間以上確保されているか否かについても第３者機関が試験にて確認する必要がある。
【０３５６】
一般的なスロットマシンにおいては、前のゲームにおけるリールの回転開始から所定の規制時間が経過していない場合には、この所定の規制時間が経過するまでゲームの進行を規制する構成であるため、従来の試験では、１ゲーム毎に必ず出力することとなる第１〜３リールモータ励磁信号を利用し、第１〜３リールモータ励磁信号が全てＯＦＦの状態においていずれかがＯＮとなったタイミングから、次ゲームにおいて第１〜３リールモータ励磁信号が全てＯＦＦの状態においていずれかがＯＮとなったタイミングまでの時間を計測し、その時間が所定の規制時間以上か否かを判定することにより、１ゲームの最短時間が所定の規制時間以上確保されているか否かを確認していた。
【０３５７】
しかしながら、本実施例のようにフリーズ状態（ゲームの進行が遅延させている状態）においてリール２Ｌ、２Ｃ、２Ｒを用いた擬似遊技演出を実行する構成、特に、前のゲームのリールの回転開始時点から所定の規制時間が経過していない場合であっても擬似遊技演出を実行する構成においては、上記のように第１〜３リールモータ励磁信号が全てＯＦＦの状態においていずれかがＯＮとなったタイミングから、次ゲームにおいて第１〜３リールモータ励磁信号が全てＯＦＦの状態においていずれかがＯＮとなったタイミングまでの時間を計時し、その時間が所定の規制時間以上か否かを判定するようにした場合、１ゲームの最短時間を正確に計測できなくなってしまうこととなる。
【０３５８】
このため、第１〜３リールモータ励磁信号以外で１ゲーム毎に必ず出力することとなる内部当選フラグ信号を利用して、例えば、図２３に示すように、内部抽選後１回目（特別下位に対応する内部当選フラグ１〜６信号出力中）の内部当選フラグ８信号の出力開始（ＯＦＦからＯＮへの更新）から次ゲームの内部抽選後１回目の内部当選フラグ８信号の出力開始までの時間を計測し、その時間が所定の規制時間以上か否かを判定することにより、１ゲームの最短時間が所定の規制時間以上確保されているか否かを確認することが考えられる。
【０３５９】
しかしながら、従来の構成において内部当選フラグ信号は、ゲームの開始に伴う内部抽選に続いて出力されるものであり、リールの回転開始を待たずに出力されるものであることから、試験装置１３００にて自動的に試験を行う場合に、前のゲームの回転開始から所定の規制時間が経過しておらず、常にリール回転開始前にゲームの進行が規制され、かつメダルの払出等を伴わなければ、内部当選フラグ信号の出力開始から次回内部当選フラグ信号の出力開始までの時間がほぼ所定の規制時間となるが、前のゲームの回転開始から所定の規制時間が経過している場合には、内部当選フラグ信号の出力開始後、ゲームの進行が規制されることがなく、また、前のゲームにおいてメダルの払出等が行われた場合には、内部当選フラグ信号の出力開始後、ゲームの進行が規制される時間がその分短くなることから、当該ゲームの内部当選フラグ信号の出力開始後、所定の規制時間が経過する前に次のゲームの内部当選フラグ信号の出力が開始されることとなるため、上記のように内部当選フラグ信号をそのまま利用して１ゲームの最短時間が所定の規制時間以上確保されているか否かを確認した場合には、１ゲームの最短時間を正確に計測できなくなってしまうこととなる。
【０３６０】
これに対して本実施例では、内部抽選後１回目（特別下位に対応する内部当選フラグ１〜６信号出力中）の内部当選フラグ８信号の出力開始（ＯＦＦからＯＮへの更新）からの時間を計時するとともに、内部抽選後１回目（特別下位に対応する内部当選フラグ１〜６信号出力中）の内部当選フラグ８信号の出力開始が可能となったときに、前のゲームにおける内部抽選後１回目の内部当選フラグ８信号の出力開始から所定の規制時間（４．１秒）が経過していない場合には、所定の規制時間が経過するまで前のゲームにおける１回目の内部当選フラグ８信号の出力開始（Ｔ６）から所定の規制時間が経過するまで（Ｔ１６）内部抽選後１回目の内部当選フラグ８信号の出力を開始させるタイミングを遅延させることにより、その後行われるリールの回転開始も前のゲームのリール回転開始から所定の規制時間が経過するまで遅延されることでゲームの進行が規制されるようになっており、前回のゲームにおいて１回目の内部当選フラグ８信号の出力開始から所定の規制時間が経過せずに今回のゲームにおける１回目の内部当選フラグ８信号の出力開始が可能となっても、必ず１回目の内部当選フラグ８信号の出力が開始されるタイミングの間隔が所定の規制時間以上となるので、１回目の内部当選フラグ８信号の出力が開始されるタイミングの間隔を検査することで、１ゲームに要する最短時間が所定の規制時間以上確保されているか否かを正確に特定することができる。
【０３６１】
また、本実施例では、１回目の内部当選フラグ８信号の出力が開始可能となったときに、前のゲームにおける内部抽選後１回目の内部当選フラグ８信号の出力開始から所定の規制時間が経過していない場合には、１回目の内部当選フラグ８信号の出力開始が遅延されている旨を示す信号遅延中信号が、内部当選フラグ８信号の出力開始を待たずに出力されるので、試験装置１３００からリールスタートスイッチ信号を入力させた後、１回目の内部当選フラグ８信号の出力が検出されない場合でも、信号遅延中信号が出力されることで、試験装置１３００側で内部当選フラグ８信号が出力されないのが異常ではないことを特定することができる。
【０３６２】
また、本実施例では、必ず所定の規制時間以上の間隔を有する内部当選フラグ８信号の出力の後に、リールの回転を開始させることにより、１ゲームの最短時間が所定の規制時間以上となるようにゲームの進行を規制する構成であるため、内部当選フラグ８信号の出力間隔を所定の規制時間以上の間隔とするための計時手段と、１ゲームの最短時間が所定の規制時間以上となるようにゲームの進行を規制するための計時手段と、共通の計時手段にて構成できる。
【０３６３】
尚、リールの回転開始毎にゲーム時間の計時を開始するとともに、次ゲームにおいてリールの回転開始が可能となったときに所定の規制時間が経過していればその時点でリールの回転を開始させる一方、所定の規制時間が経過していない場合にはリールの回転を開始させず所定の規制時間が経過するまで待機し、所定の規制時間が経過することでリール回転を開始させるとともに、リールの回転開始後に内部当選フラグ８信号の出力を開始させる構成とした場合でも、内部当選フラグ８信号の出力間隔を所定の規制時間以上の間隔とするための計時手段と、１ゲームの最短時間が所定の規制時間以上となるようにゲームの進行を規制するための計時手段と、共通の計時手段にて構成できる。
【０３６４】
また、本実施例では、内部当選フラグ８信号の出力間隔を所定の規制時間以上の間隔とするための計時手段と、１ゲームの最短時間が所定の規制時間以上となるようにゲームの進行を規制するための計時手段と、共通の計時手段にて構成しているが、内部当選フラグ８信号の出力間隔を所定の規制時間以上の間隔とするための計時手段と、１ゲームの最短時間が所定の規制時間以上となるようにゲームの進行を規制するための計時手段と、を別個に備える構成としても良い。
【０３６５】
また、本実施例では、特別役の当選状況が、内部当選フラグ８信号と内部当選フラグ１〜６信号の出力状況から特定可能とされ、一般役の当選状況が、内部当選フラグ７信号と内部当選フラグ１〜６信号の出力状況から特定可能とされており、内部当選フラグ８信号と内部当選フラグ１〜６信号とからなる特別役の当選状況は１回目（特別下位）と２回目（特別上位）に分けて出力され、内部当選フラグ７信号と内部当選フラグ１〜６信号とからなる一般役の当選状況は１回目（一般下位）と２回目（一般上位）に分けて出力されるので、特別役の種類及び一般役の種類が多くなっても、これら全ての種類の役についての当選の有無を特定可能とする信号を限られた数の出力ポートから出力させることが可能となる。
【０３６６】
また、内部当選フラグ８信号が出力されるタイミングと同一のタイミングにて内部当選フラグ１〜６信号による特別役の当選状況を示す出力状態への更新が行われ、内部当選フラグ７信号が出力されるタイミングと同一のタイミングにて内部当選フラグ１〜５信号による一般役の当選状況を示す出力状態への更新が行われるので、内部当選フラグ１〜６信号から特定される出力状態が特別役の当選状況を示すものなのか一般役の当選状況を示すものなのかを試験装置１３００側で正確に特定できるとともに、特別下位、一般下位、特別上位、一般下位からなる４種類の信号を間に間隔を空けることなく極力短い期間で出力することができる。
【０３６７】
また、内部抽選の結果を示す特別下位、特別上位、一般下位、一般上位からなる４種類の信号を、特別下位、一般下位、特別上位、一般下位の順番、すなわち内部当選フラグ信号８、内部当選フラグ信号７が交互となる順番で出力されるので、上記のように４種類の信号を連続して出力しても試験装置１３００側で区別して特定することができるので、特別下位、一般下位、特別上位、一般下位からなる４種類の信号を間に間隔を空けることなく極力短い期間で出力することができる。
【０３６８】
また、本実施例では、内部当選フラグ８信号と内部当選フラグ１〜６信号による特別役の当選状況を示す信号（特別下位、特別上位）、及び内部当選フラグ７信号と内部当選フラグ１〜６信号による一般役の当選状況を示す信号（一般下位、一般上位）の出力時間が、試験装置１３００側でこれら信号の値を検出するのに必要な時間をＸとしたときに、Ｘ〜２Ｘの関係が成立する時間に設定されているので、内部抽選の結果を示す信号を試験装置１３００側で確実に検出することができ、かつ内部抽選の結果を示す信号の出力時間が長すぎることで次ゲームの内部抽選の結果を示す信号と干渉してしまうことにより、１ゲームに要する最短時間が所定の規制時間以上確保されているか否かを正確に特定できなくなってしまうことを防止できる。
【０３６９】
さらに、本実施例では、所定の規制時間をＹとしたときに、Ｙ−４Ｘ＞４Ｘの関係が成立する時間、すなわち特別下位の出力開始後、次ゲームの特別下位の出力開始までに、特別下位、一般下位、特別上位、一般下位の全ての信号の出力が完了するように設定されているので、内部抽選の結果を示す信号を試験装置１３００側で確実に検出することができ、かつ内部抽選の結果を示す信号の出力時間が長すぎることで次ゲームの内部抽選の結果を示す信号と干渉してしまうことにより、１ゲームに要する最短時間が所定の規制時間以上確保されているか否かを正確に特定できなくなってしまうことを確実に防止できる。
【０３７０】
また、本実施例では、内部当選フラグ７信号がともにＯＦＦの状態であり、かつゲーム終了後から、スタート可能ランプ信号がＯＮに変化後所定期間（一定時間（２ｍｓ）が経過するまでの期間またはリールスタートスイッチ信号がＯＮとなるまでの期間）の内部当選フラグ１〜４信号の出力状況から特定可能とされている。すなわち、内部抽選の結果を示す信号が出力されていない期間の内部当選フラグ１〜４信号を利用して次ゲームのＲＴ種別を示す信号を出力するので、限られた数の出力ポートから内部抽選の結果を示す信号とＲＴ種別を示す信号の双方を出力することができる。
【０３７１】
尚、本実施例では、内部抽選の結果を示す信号が特別下位、一般下位、特別上位、一般下位から構成され、試験装置１３００では、そのうち内部抽選後最初に出力される特別下位の出力開始タイミングから、次ゲームの特別下位の出力開始タイミングまでの時間を検査することで、１ゲームに要する最短時間が所定の規制時間以上確保されているか否かを特定する構成であるが、上記特別下位、一般下位、特別上位、一般下位のうち特定の信号の出力開始タイミングまたは出力終了タイミングを基準として、次回ゲームの同じタイミングまでの時間を検査することで、１ゲームに要する最短時間が所定の規制時間以上確保されているか否かを特定する構成としても良い。
【０３７２】
また、本実施例では、特別役の当選状況を示す信号を下位（特別下位）、上位（特別上位）に分割して出力し、一般役の当選状況を示す信号を下位（一般下位）、上位（一般上位）に分割して出力する構成であるが、特別役の当選状況を示す信号または一般役の当選状況を示す信号の一方のみ分割し、他方は分割せずに出力する構成としても良い。
【０３７３】
また、特別役の当選状況を示す信号、一般役の当選状況を示す信号をそれぞれ分割せずに出力する構成としても良い。この場合には、試験装置１３００側で特別役の当選状況を示す信号の値を検出するのに必要な時間及び一般役の当選状況を示す信号の値を検出するのに必要な時間をそれぞれＸとし、所定の規制時間をＹとしたときに、Ｙ−２Ｘ＞２Ｘの関係が成立する時間に設定することで、内部抽選の結果を示す信号を試験装置１３００側で確実に検出することができ、かつ内部抽選の結果を示す信号の出力時間が長すぎることで次ゲームの内部抽選の結果を示す信号と干渉してしまうことにより、１ゲームに要する最短時間が所定の規制時間以上確保されているか否かを正確に特定できなくなってしまうことを確実に防止できる。
【０３７４】
また、特別役の当選状況を示す信号と、一般役の当選状況を示す信号と、を区別せずに同一のタイミングで特別役の当選状況及び一般役の当選状況双方を示す信号を出力する構成としても良い。この場合には、試験装置１３００側で特別役及び一般役の当選状況を示す信号の値を検出するのに必要な時間をＸとし、所定の規制時間をＹとしたときに、Ｙ−Ｘ＞Ｘの関係が成立する時間に設定することで、内部抽選の結果を示す信号を試験装置１３００側で確実に検出することができ、かつ内部抽選の結果を示す信号の出力時間が長すぎることで次ゲームの内部抽選の結果を示す信号と干渉してしまうことにより、１ゲームに要する最短時間が所定の規制時間以上確保されているか否かを正確に特定できなくなってしまうことを確実に防止できる。
【０３７５】
本実施例では、図２１に示すように、演出制御基板９０がＩＦ基板（サブ）１２００を介して試験装置１３００と接続可能とされ、演出制御基板９０からメイン制御部４１の制御する現在の遊技状態やサブ制御部９１による演出態様に応じて遊技者が選択し得る操作態様のうち最も推奨される操作態様を示す試験信号の出力が可能とされている。
【０３７６】
図２１は、演出制御基板９０からＩＦ基板（サブ）１２００を介して試験装置１３００に対して出力される試験信号を示す図である。
【０３７７】
図２１に示すように、停止実行位置信号、停止リール指定信号、停止ストローブ信号、信号、遊技中断信号が試験信号として演出制御基板９０から試験装置１３００に対して出力される。
【０３７８】
これら演出制御基板９０から試験装置１３００に対して出力される試験信号は、サブ制御部９１の制御によって出力されるようになっている。
【０３７９】
停止実行位置信号は、後述する停止リール指定信号が示すリールについて現在の遊技状態、演出態様に応じて最も推奨する停止操作位置を示す信号であり、最も推奨する停止操作位置に含まれる該当するリールのリールモータのステップ数（０〜３３６）を特定可能とされている。
【０３８０】
停止リール指定信号は、停止実行位置信号が示す停止操作位置での停止操作を推奨するリールが左リールであるか、中リールであるか、右リールであるか、を指定する信号であり、停止実行位置信号が示す停止操作位置での停止操作を適用するリールを特定可能とされている。
【０３８１】
停止ストローブ信号は、停止実行位置信号及び停止リール指定信号の取得を要求する信号である。
【０３８２】
遊技中断信号は、試験装置１３００による試験の一時中断を要求する信号であり、手動の操作によって演出モードなどの選択を促す際に出力される信号である。
【０３８３】
また、本実施例において演出制御基板９０には、ＩＦ基板（サブ）１２００からの配線を接続可能な接続端子が設けられているともに、サブ制御部９１及び各種駆動回路から出力された試験信号を接続端子に伝達するための配線パターンが形成されており、サブ制御部９１及び各種駆動回路から出力された試験信号がこれら配線パターン及び接続端子を介して出力されるようになっている。
【０３８４】
また、接続端子は、例えば、ＩＦ基板（サブ）１２００からのプローブを接続可能な信号ピンやＩＦ基板（サブ）１２００からのケーブルを接続可能なコネクタにて構成されているため、これら接続端子を介してＩＦ基板（サブ）１２００からの配線を簡単に接続することが可能となる。
【０３８５】
また、接続端子は、ＩＦ基板（サブ）１２００を接続するために便宜的に設けられたものであり、これらの試験信号の出力が行われる接続端子は、遊技店に出荷されるスロットマシンの演出制御基板９０には必要のないものである。このため、本実施例の演出制御基板９０には、接続端子が設けられた部分を切断するための複数の切断孔が形成され、これら切断孔に沿って切断できるようになっており、遊技店への出荷時には、接続端子が設けられた部分を切断して不用な信号の入出力ができない状態とすることができる。これにより、例えば、ホール機器にて推奨操作手順を特定してその旨を報知する等、試験信号が試験以外の目的で容易に利用できてしまうことを防止できる。また、演出制御基板９０に対して不要な信号が容易に入力されてしまうことを防止できる。
【０３８６】
尚、第３者機関が試験を行うために提供するスロットマシンは通常数台程度であり、その他、遊技店に出荷される量産用のスロットマシンは、これら試験信号の出力を行う必要性が低いことから、これら量産用のスロットマシンには、配線パターンは形成されているものの前述した接続端子を設けない演出制御基板９０を搭載するようにしても良く、これにより量産用のスロットマシンの製造コストを軽減することができる。更にこの場合には、演出制御基板９０に試験信号を伝達するための配線パターンは形成されているため、接続端子を実装するのみでＩＦ基板（サブ）１２００や試験装置１３００を簡単に接続することが可能となる。また、試験用のスロットマシンのみ試験信号を伝達するための配線パターン及びＩＦ基板（サブ）１２００や試験装置１３００と接続するための接続端子を設け、量産用のスロットマシンには、これら配線パターンや接続端子を設けない構成としても良い。すなわちサブＣＰＵ９１ａが試験信号の出力制御を行うが、実際に試験信号が出力されない構成としても良い。これにより量産用のスロットマシンの製造コストを更に軽減できる。
【０３８７】
サブ制御部９１は、図２８に示すように、メイン制御部４１側でフリーズ状態に制御される場合（後述のフリーズ中信号を受信している場合）を除いて、リールスタートスイッチ信号をメイン制御部４１が出力した時点（実際には、サブ制御部９１がゲーム開始を示す内部当選コマンドをメイン制御部４１から受信した時点）から最大２秒の間に、現在の遊技状態（前回のゲーム終了時に受信した遊技状態コマンドが示す遊技状態）、演出態様（サブ制御部９１による当該ゲームの演出態様）に応じて、まず停止リール指定信号を第１停止リールとして推奨するリールを示す出力状態に更新するとともに、停止実行位置信号を当該リールに対して推奨する停止操作位置を示す出力状態に更新し、これら停止リール指定信号及び停止実行位置信号の更新完了後、一定時間（５０ｍｓ）にわたり停止ストローブ信号を出力し、推奨する第１停止リール及びその停止操作位置を試験装置１３００に対して通知し、停止ストローブ信号の停止後、一定時間（５０ｍｓ）待機する。次いで、同様の手順で、順次推奨する第２停止リール及びその停止操作位置を試験装置１３００に対して通知し、第３停止リール及びその停止操作位置を試験装置１３００に対して通知する。第３停止リール及びその停止操作位置の通知後、一定時間（５０ｍｓ）経過した時点で停止実行位置信号及び停止リール指定信号をクリアする。
【０３８８】
また、メイン制御部４１側でフリーズ状態に制御される場合（後述のフリーズ中信号を受信している場合）には、リールスタートスイッチ信号をメイン制御部４１が出力した時点ではなく、フリーズ状態が終了した時点（後述のフリーズ中信号のｏｆｆを検出した時点）から最大２秒の間に、現在の遊技状態、演出態様に応じて、推奨する第１停止リール及びその停止操作位置、順次推奨する第２停止リール及びその停止操作位置、第３停止リール及びその停止操作位置を順次試験装置１３００に対して通知する。
【０３８９】
このように推奨する停止順に従って、第１停止リール及びその停止操作位置、第２停止リール及びその停止操作位置、第３停止リール及びその停止操作位置を順次試験装置１３００に対して通知することで、試験装置１３００が推奨する操作手順を特定できるようになっている。
【０３９０】
尚、本実施例では、第１停止リール及びその停止操作位置、第２停止リール及びその停止操作位置、第３停止リール及びその停止操作位置を試験装置１３００に対して最大２秒の間に連続して通知する構成であるが、これらを連続して送信することなく、ゲーム開始時（フリーズ終了時）、リール停止時に順次送信する構成としても良い。
【０３９１】
また、本実施例では、メイン制御部４１側でフリーズ状態に制御される場合（後述のフリーズ中信号を受信している場合）に、フリーズ状態が終了した時点（後述のフリーズ中信号のｏｆｆを検出した時点）から最大２秒の間に、現在の遊技状態、演出態様に応じて、推奨する第１停止リール及びその停止操作位置、順次推奨する第２停止リール及びその停止操作位置、第３停止リール及びその停止操作位置を順次試験装置１３００に対して通知する構成であるが、メイン制御部４１側でフリーズ状態に制御される場合（後述のフリーズ中信号を受信している場合）に、リールスタートスイッチ信号をメイン制御部４１が出力した時点（内部当選コマンドをメイン制御部４１から受信した時点）で、現在の遊技状態、演出態様に応じて、停止リール指定信号を第１停止リールとして推奨するリールを示す出力状態に更新するとともに、停止実行位置信号を当該リールに対して推奨する停止操作位置を示す出力状態に更新し、フリーズ状態が終了した後（後述のフリーズ中信号のｏｆｆを検出した後）に、停止ストローブ信号を出力し、その後、連続してまたは停止操作毎に、順次推奨する第２停止リール及びその停止操作位置、第３停止リール及びその停止操作位置を順次試験装置１３００に対して通知する構成としても良い。
【０３９２】
ＲＯＭ９１ｂには、現在の遊技状態、演出態様に応じて推奨する操作態様が予め登録された推奨操作態様テーブルが格納されており、サブ制御部９１は、現在の遊技状態、演出態様と一致する操作態様を推奨操作手順テーブルから取得し、取得した操作態様に基づいて停止実行位置信号及び停止リール指定信号の出力を行う。尚、予め登録された推奨操作態様テーブルを持たず、その時点の遊技状態、演出態様からサブ制御部９１が推奨操作態様を判断するプログラムを用いて推奨する操作態様を取得するようにしても良い。
【０３９３】
本実施例では、ＲＴ０〜３においてナビ演出が実行されるＡＴ（ＡＲＴ含む）に制御されておらず、かつ一般役の当選を示唆する一般役告知演出及びナビ演出が行われていない状態、ＲＴ４、５において未だ特別役の当選を示す告知演出がなされておらず、ＡＴ（ＡＲＴ含む）に制御されておらず、かつ一般役告知演出及びナビ演出が行われていない状態においては、遊技者は内部抽選の結果を特定することはできず、取りこぼしの生じる小役のうち下段チェリーが最も払出枚数が多く、下段チェリーの入賞による不利益はないことから、左リールについて「ＢＡＲ」の引込範囲となるタイミングで停止操作を行った場合に、他の操作態様よりも払出率が高くなるので、左リールについて「ＢＡＲ」の引込範囲となる停止操作位置を示す停止実行位置信号を出力する。
【０３９４】
ＲＴ４、５において既に特別役の当選を示す告知演出が行われており、一般役告知演出が行われていない状態においては、遊技者は特別役に当選した旨を特定することができ、特別役を入賞させても不利益はなく、外した方が無駄にメダルを消費することから、いずれのリールについても当選した特別役の構成図柄の引込範囲となるタイミングで停止操作を行った場合に、他の操作態様よりも払出率が高くなるので、それぞれのリールについて当選した特別役の構成図柄の引込範囲となる停止操作位置を示す停止実行位置信号を出力する。
【０３９５】
ＲＴ０〜３において一般役告知演出が実行された場合には、遊技者は内部抽選に当選した一般役の種類を特定することができ、一般役を入賞させても不利益はないことから、いずれのリールについても当選した一般役の構成図柄の引込範囲となるタイミングで停止操作を行った場合、他の操作態様よりも払出率が高くなるので、それぞれ当選した小役の構成図柄の引込範囲となる停止操作位置を示す停止実行位置信号を出力する。
【０３９６】
ＲＴ４、５において特別役の当選を示す告知演出が行われておらず、一般役告知演出が実行された場合には、遊技者は内部抽選に当選した一般役の種類を特定することができ、一般役を入賞させても不利益はないことから、いずれのリールについても当選した一般役の構成図柄の引込範囲となるタイミングで停止操作を行った場合、他の操作態様よりも払出率が高くなるので、それぞれ当選した小役の構成図柄の引込範囲となる停止操作位置を示す停止実行位置信号を出力する。
【０３９７】
ＲＴ４、５において特別役の当選を示す告知演出が行われている状態で一般役告知演出が実行された場合には、遊技者は内部抽選に当選した一般役の種類を特定することができ、かつ示唆されている一般役がＲＴ４、５においてゲームを開始させるのに必要となる３枚を超えるメダルの付与を伴う小役であれば、示唆されている一般役を入賞させても不利益はないことから、いずれのリールについても当選した一般役の構成図柄の引込範囲となるタイミングで停止操作を行った場合、他の操作態様よりも払出率が高くなるので、それぞれ当選した小役の構成図柄の引込範囲となる停止操作位置を示す停止実行位置信号を出力する。
【０３９８】
一方、ＲＴ４、５において特別役の当選を示す告知演出が行われている状態で一般役告知演出が実行された場合に、示唆されている一般役がＲＴ４、５においてゲームを開始させるのに必要となる３枚以内のメダルの付与を伴う小役（下段チェリー等）であれば、党外小役を入賞させた方が無駄にメダルを消費することから、いずれのリールについても当選した特別役の構成図柄の引込範囲となるタイミングで停止操作を行った場合に、他の操作態様よりも払出率が高くなるので、それぞれのリールについて当選した特別役の構成図柄の引込範囲となる停止操作位置を示す停止実行位置信号を出力する。
【０３９９】
ＲＴ０〜５においてナビ演出が実行された場合には、ＡＴ（ＡＲＴ含む）中か否かに関わらず、遊技者は最も有利な操作態様を特定することができ、ナビ演出によって報知された操作態様にて停止操作を行った場合、他の操作態様よりも払出率が高くなるので、ナビ演出により報知される停止順となる順番で停止リール指定信号を出力する。
【０４００】
このように本実施例では、現在の遊技状態、演出態様に応じて推奨する操作態様を取得し、取得した操作態様を示す停止実行位置信号及び停止リール指定信号を試験装置１３００に対して出力するので、試験装置１３００側で現在の遊技状態、演出態様に応じて推奨する操作態様にてリールストップスイッチ信号を出力することが可能となり、試験装置１３００による試験によって市場の払出率に近い払出率を得ることができる。
【０４０１】
また、本実施例では、停止実行位置信号として推奨するストップスイッチ信号の出力タイミングに対応するリールモータのステップ数を特定可能な信号が試験装置１３００に対して出力されるので、リールに配置された図柄数や１図柄に割り当てられたステップ数がスロットマシンの機種によって異なる場合であっても、試験装置１３００側で停止実行位置信号に対するストップスイッチ信号の出力制御を共通化することができる。
【０４０２】
また、本実施例では、ゲーム終了後、最初にメダルの投入が検出されたタイミングや、スタート操作が有効となった後、スタート操作が検出されたタイミング、停止操作を行ったタイミング、さらにはタッチパネルなどの演出用操作手段の操作（前述した結果報知演出やサブゲーム）によって、演出態様や演出モードなどが変更できる状況に移行する場合に、サブＣＰＵ９１ａは、遊技中断信号を試験装置１３００に対して出力し、試験の一時中断を要求するようになっている。
【０４０３】
例えば、ゲーム終了後、最初にメダルの投入が検出されたタイミングや、ゲーム終了後、演出用操作手段の操作によって演出態様や演出モードを変更可能な場合には、第３停止リールの停止実行位置信号及び停止リール指定信号の出力完了後に遊技中断信号を出力し、スタート操作が検出されたタイミングで演出態様や演出モードを変更可能な場合には、ゲームの終了後、スタート操作が有効となる前に遊技中断信号を出力し、停止操作を行ったタイミング、またはリールの回転中に演出用操作手段の操作によって演出態様や演出モードを変更可能な場合には、スタート操作が検出された後、リールの停止操作が有効となる前に遊技中断信号を出力する。
【０４０４】
これにより、試験装置１３００にて自動的にシミュレーション試験を行っていても、演出態様や演出モードを手動操作によって変更できる状況となった場合には、遊技中断信号が出力されることに伴い、試験が一時的に中断され、手動操作によって演出態様や演出モードを選択した後、試験を再開させることが可能となるため、例えば、演出態様や演出モードによって小役告知演出や転落役種類報知の実行頻度などが変わる場合や、それに伴い払出率も変化する場合にも、自動的に試験を行う中で偶然に選ばれた演出態様や演出モードにより得られた払出率ではなく、演出態様や演出モードの違いに応じた正確な払出率を得ることができる。
【０４０５】
次いで、ＩＦ基板（メイン）１１００及びＩＦ基板（サブ）１２００における信号回路の構成、及び、動作試験時における遊技制御基板４０から試験装置１３００への信号の出力状況、演出制御基板９０から試験装置１３００への信号の出力状況等について図２９〜図３３に基づいて説明する。
【０４０６】
尚、以下では、遊技制御基板４０から試験装置１３００へ出力される第１〜３リールストップ可能ランプ信号のうち遊技制御基板４０とＩＦ基板（メイン）１１００との間の信号を第１〜３リールストップ可能ランプ信号（メイン→ＩＦ）、ＩＦ基板（メイン）１１００と試験装置１３００との間の信号を第１〜３リールストップ可能ランプ信号（ＩＦ→試）と呼び、演出制御基板９０から試験装置１３００へ出力される停止実行位置信号のうち演出制御基板９０とＩＦ基板（サブ）１２００との間の信号を停止実行位置信号（サブ→ＩＦ）、ＩＦ基板（サブ）１２００と試験装置１３００との間の信号を停止実行位置信号（ＩＦ→試）と呼び、演出制御基板９０から試験装置１３００へ出力される停止リール指定信号のうち演出制御基板９０とＩＦ基板（サブ）１２００との間の信号を停止リール指定信号（サブ→ＩＦ）、ＩＦ基板（サブ）１２００と試験装置１３００との間の信号を停止リール指定信号（ＩＦ→試）と呼び、演出制御基板９０から試験装置１３００へ出力される停止ストローブ信号のうち演出制御基板９０とＩＦ基板（サブ）１２００との間の信号を停止ストローブ信号（サブ→ＩＦ）、ＩＦ基板（サブ）１２００と試験装置１３００との間の信号を停止ストローブ信号（ＩＦ→試）と呼ぶ。
【０４０７】
図２９に示すように、遊技制御基板４０のメイン制御部４１は、第１〜３リールストップ可能ランプ信号（メイン→ＩＦ）に加え、第１〜３リールストップ可能ランプ信号（ＩＦ→試）の出力を規制するための出力規制信号（メイン）をＩＦ基板（メイン）１１００に出力可能とされている。
【０４０８】
ＩＦ基板（メイン）１１００には、ノーマルクローズ型のリレー回路１１０２が搭載されており、遊技制御基板４０から出力される第１〜３リールストップ可能ランプ信号（メイン→ＩＦ）は、リレー回路１１０２を介して第１〜３リールストップ可能ランプ信号（ＩＦ→試）として試験装置１３００に出力される。
【０４０９】
リレー回路１１０２には、遊技制御基板４０から出力される出力規制信号（メイン）が入力されるようになっており、出力規制信号（メイン）がＯＦＦ状態のときには第１〜３リールストップ可能ランプ信号（メイン→ＩＦ）をそのまま第１〜３リールストップ可能ランプ信号（ＩＦ→試）として出力する一方で、出力規制信号（メイン）がＯＮ状態のときには第１〜３リールストップ可能ランプ信号（メイン→ＩＦ）を遮断して第１〜３リールストップ可能ランプ信号（ＩＦ→試）が出力されないようになっている。
【０４１０】
メイン制御部４１は、ゲーム開始後、フリーズ状態に制御されず、リールが定速回転となり、ストップスイッチ８Ｌ、８Ｃ、８Ｒの操作が遊技の進行に関与する状態となることで停止有効ＬＥＤ２２Ｌ、２２Ｃ、２２Ｒを点灯し、第１〜３リールストップ可能ランプ信号（メイン→ＩＦ）を出力するとともに、この場合には、出力規制信号（メイン）を出力しないようになっており、出力規制信号（メイン）がＯＦＦ状態のままとなるので、リレー回路１１０２に入力された第１〜３リールストップ可能ランプ信号（メイン→ＩＦ）が、第１〜３リールストップ可能ランプ信号（ＩＦ→試）として試験装置１３００に出力される。
【０４１１】
また、メイン制御部４１は、フリーズ状態に制御し、擬似遊技演出を行う場合にも、リールが定速回転となり、ストップスイッチ８Ｌ、８Ｃ、８Ｒの操作が遊技の進行に関与しない状態となることで停止有効ＬＥＤ２２Ｌ、２２Ｃ、２２Ｒを点灯し、第１〜３リールストップ可能ランプ信号（メイン→ＩＦ）を出力するが、図３０に示すように、フリーズ状態の開始から終了するまでの期間にわたり出力規制信号（メイン）を出力するようになっており、出力規制信号（メイン）がＯＮ状態となることで、リレー回路１１０２に第１〜３リールストップ可能ランプ信号（メイン→ＩＦ）が入力されても、第１〜３リールストップ可能ランプ信号（ＩＦ→試）が試験装置１３００に出力されないようになっている。
【０４１２】
このようにメイン制御部４１は、ストップスイッチ８Ｌ、８Ｃ、８Ｒの操作が遊技の進行に関与する状態において停止有効ＬＥＤ２２Ｌ、２２Ｃ、２２Ｒを点灯する場合には、出力規制信号（メイン）を出力しないことにより、試験装置１３００において第１〜３リールストップ可能ランプ信号を受信可能に制御し、フリーズ状態に制御し、ストップスイッチ８Ｌ、８Ｃ、８Ｒの操作が遊技の進行に関与しない状態において停止有効ＬＥＤ２２Ｌ、２２Ｃ、２２Ｒを点灯する場合には、出力規制信号（メイン）を出力することにより、試験装置１３００において第１〜３リールストップ可能ランプ信号を受信不能に制御するようになっている。
【０４１３】
図２９に示すように、メイン制御部４１がフリーズ状態においてＩＦ基板（メイン）１１００に対して出力する出力規制信号（メイン）は、遊技制御基板４０上で分岐して演出制御基板９０のサブ制御部９１に対してフリーズ期間中である旨を示すフリーズ中信号として入力される。また、フリーズ中信号は、演出制御基板９０上でさらに分岐し、停止実行位置信号（ＩＦ→試）、停止リール指定信号（ＩＦ→試）、停止ストローブ信号（ＩＦ→試）の出力を規制するための出力規制信号（サブ）としてＩＦ基板（サブ）１２００に出力されるようになっている。
【０４１４】
ＩＦ基板（サブ）１２００には、ノーマルクローズ型のリレー回路１２０２ａ、１２０２ｂ、１２０２ｃが搭載されており、演出制御基板９０から出力される停止実行位置信号（サブ→ＩＦ）、停止リール指定信号（サブ→ＩＦ）、停止ストローブ信号（サブ→ＩＦ）は、リレー回路１２０２ａ、１２０２ｂ、１２０２ｃを介して停止実行位置信号（ＩＦ→試）、停止リール指定信号（ＩＦ→試）、停止ストローブ信号（ＩＦ→試）として試験装置１３００に出力される。
【０４１５】
リレー回路１２０２ａ、１２０２ｂ、１２０２ｃには、演出制御基板９０上でフリーズ中信号として分岐する出力規制信号（サブ）が入力されるようになっており、出力規制信号（サブ）がＯＦＦ状態のときには停止実行位置信号（サブ→ＩＦ）、停止リール指定信号（サブ→ＩＦ）、停止ストローブ信号（サブ→ＩＦ）をそのまま停止実行位置信号（ＩＦ→試）、停止リール指定信号（ＩＦ→試）、停止ストローブ信号（ＩＦ→試）として出力する一方で、出力規制信号（サブ）がＯＮ状態のときには停止実行位置信号（サブ→ＩＦ）、停止リール指定信号（サブ→ＩＦ）、停止ストローブ信号（サブ→ＩＦ）を遮断して停止実行位置信号（ＩＦ→試）、停止リール指定信号（ＩＦ→試）、停止ストローブ信号（ＩＦ→試）が出力されないようになっている。
【０４１６】
サブ制御部９１は、メイン制御部４１においてフリーズ状態に制御されない場合には、ゲーム開始時（内部当選コマンド受信時）に、当該ゲームにおける推奨操作態様を示す停止実行位置信号（サブ→ＩＦ）、停止リール指定信号（サブ→ＩＦ）、停止ストローブ信号（サブ→ＩＦ）を順次出力するとともに、この場合には、メイン制御部４１から出力規制信号（サブ）が出力されないようになっており、出力規制信号（サブ）がＯＦＦ状態のままとなるので、リレー回路１２０２ａ、１２０２ｂ、１２０２ｃに入力された停止実行位置信号（サブ→ＩＦ）、停止リール指定信号（サブ→ＩＦ）、停止ストローブ信号（サブ→ＩＦ）が、停止実行位置信号（ＩＦ→試）、停止リール指定信号（ＩＦ→試）、停止ストローブ信号（ＩＦ→試）として試験装置１３００に出力される。
【０４１７】
また、サブ制御部９１は、メイン制御部４１においてフリーズ状態に制御され、擬似遊技演出が行われる場合にも、ゲーム開始時（フリーズ開始コマンド受信時）に、擬似遊技演出における推奨操作態様（「黒７」を中段に停止可能な操作態様）を示す停止実行位置信号（サブ→ＩＦ）、停止リール指定信号（サブ→ＩＦ）、停止ストローブ信号（サブ→ＩＦ）を順次出力するが、図３１に示すように、フリーズ状態の開始から終了するまでの期間にわたりメイン制御部４１から出力規制信号（サブ）が出力されるようになっており、出力規制信号（サブ）がＯＮ状態となることで、リレー回路１２０２ａ、１２０２ｂ、１２０２ｃに停止実行位置信号（サブ→ＩＦ）、停止リール指定信号（サブ→ＩＦ）、停止ストローブ信号（サブ→ＩＦ）が入力されても、停止実行位置信号（ＩＦ→試）、停止リール指定信号（ＩＦ→試）、停止ストローブ信号（ＩＦ→試）が試験装置１３００に出力されないようになっている。
【０４１８】
また、サブ制御部９１は、メイン制御部４１においてフリーズ状態に制御され、擬似遊技演出が行われる場合には、メイン制御部４１側でフリーズ状態が終了し、メイン制御部４１から出力されるフリーズ中信号がＯＦＦとなることで、フリーズ状態の終了を特定し、当該ゲームにおける推奨操作態様を示す停止実行位置信号（サブ→ＩＦ）、停止リール指定信号（サブ→ＩＦ）、停止ストローブ信号（サブ→ＩＦ）を順次出力し、この場合には、メイン制御部４１から出力規制信号（サブ）が出力されないようになっており、出力規制信号（サブ）がＯＦＦ状態のままとなるので、リレー回路１２０２ａ、１２０２ｂ、１２０２ｃに入力された停止実行位置信号（サブ→ＩＦ）、停止リール指定信号（サブ→ＩＦ）、停止ストローブ信号（サブ→ＩＦ）が、停止実行位置信号（ＩＦ→試）、停止リール指定信号（ＩＦ→試）、停止ストローブ信号（ＩＦ→試）として試験装置１３００に出力される。
【０４１９】
このようにメイン制御部４１側でフリーズ状態に制御されない場合には、メイン制御部４１が出力規制信号（サブ）を出力しないことにより、試験装置１３００において停止実行位置信号、停止リール指定信号、停止ストローブ信号を受信可能に制御し、メイン制御部４１側でフリーズ状態に制御され、擬似遊技演出が行われる場合には、メイン制御部４１が出力規制信号（サブ）を出力することにより、試験装置１３００において停止実行位置信号、停止リール指定信号、停止ストローブ信号を受信不能に制御するようになっている。
【０４２０】
図３２に示すように、演出制御基板９０のサブ制御部９１は、フリーズ状態を途中で中止させ、遊技を進行させるためのフリーズキャンセル信号をＩＦ基板（サブ）１２００に出力可能とされている。
【０４２１】
サブ制御部９１により出力されたフリーズキャンセル信号は、ＩＦ基板（サブ）１２００及びＩＦ基板（メイン）１１００を介してＭＡＸＢＥＴスイッチ６に対応するＭＡＸＢＥＴ信号として遊技制御基板４０に対して入力されるようになっている。
【０４２２】
サブ制御部９１は、メイン制御部４１から送信されたフリーズ開始コマンドに基づいて、メイン制御部４１側でキャンセル可能なフリーズ状態に制御されていることが特定された場合にフリーズキャンセル信号を出力するようになっており、サブ制御部９１がフリーズキャンセル信号を出力することに伴い、ＩＦ基板（サブ）１２００、ＩＦ基板（メイン）１１００を介してＭＡＸＢＥＴ信号が入力されることで、前述のように実行中のフリーズ状態を途中で終了させて遊技を進行させること、すなわち試験を進行させることができるようになっている。
【０４２３】
また、ＩＦ基板（メイン）１１００においては、フリーズキャンセル信号を入力してＭＡＸＢＥＴ信号を出力するまでのライン上に切替スイッチ１１０１が設けられており、切替スイッチ１１０１がＯＮの状態のみサブ制御部９１から出力されたフリーズキャンセル信号がＭＡＸＢＥＴ信号として遊技制御基板４０に対して出力される一方、切替スイッチ１１０１がＯＦＦの状態では、サブ制御部９１からフリーズキャンセル信号が入力されてもＭＡＸＢＥＴ信号が遊技制御基板４０に対して入力されないようになっている。
【０４２４】
本実施例では、ストップスイッチ８Ｌ、８Ｃ、８Ｒの操作が遊技の進行に関与しないフリーズ状態において、リールを変動させるとともに、ストップスイッチ８Ｌ、８Ｃ、８Ｒの操作を遊技の進行に関与しない操作として受け付けることでリールの変動態様を変化させる擬似遊技演出を行うようになっており、この際、停止有効ＬＥＤ２２Ｌ、２２Ｃ、２２Ｒを点灯することで、ストップスイッチ８Ｌ、８Ｃ、８Ｒの操作を遊技者に対して促すようになっている。
【０４２５】
一方、停止有効ＬＥＤ２２Ｌ、２２Ｃ、２２Ｒの駆動信号は、試験装置１３００に対して、左リール、中リール、右リールの停止操作が可能か否かを特定可能な第１〜３リールストップ可能ランプ信号としても用いられており、ストップスイッチ８Ｌ、８Ｃ、８Ｒの操作が遊技の進行に関与しないフリーズ状態において第１〜３リールストップ可能ランプ信号が出力されると、試験装置１３００側で第１〜３リールストップ可能ランプ信号が、遊技を進行させるための操作が可能な状態において出力されたか否か判断できず、正常に動作試験を行えなくなってしまう虞がある。
【０４２６】
このため、本実施例では、メイン制御部４１が、ストップスイッチ８Ｌ、８Ｃ、８Ｒの操作が遊技の進行に関与する状態において停止有効ＬＥＤ２２Ｌ、２２Ｃ、２２Ｒを点灯する場合には、出力規制信号（メイン）を出力しないことにより、試験装置１３００において第１〜３リールストップ可能ランプ信号を受信可能に制御し、フリーズ状態に制御し、ストップスイッチ８Ｌ、８Ｃ、８Ｒの操作が遊技の進行に関与しない状態において停止有効ＬＥＤ２２Ｌ、２２Ｃ、２２Ｒを点灯する場合には、出力規制信号（メイン）を出力することにより、試験装置１３００において第１〜３リールストップ可能ランプ信号を受信不能に制御するようになっており、試験装置１３００側で第１〜３リールストップ可能ランプ信号を受信したときに、遊技を進行させるためのストップスイッチ８Ｌ、８Ｃ、８Ｒの操作が可能な状態か否かを判断する機能を設けずとも、試験装置１３００側で正常に動作試験を行うことが可能となる。
【０４２７】
また、本実施例では、遊技制御基板４０と試験装置１３００とをＩＦ基板（メイン）１１００を介して接続するとともに、フリーズ状態に制御する場合に、メイン制御部４１が出力規制信号（メイン）をＩＦ基板（メイン）１１００に出力する制御を行うことにより、メイン制御部４１がフリーズ状態において第１〜３リールストップ可能ランプ信号を出力してもＩＦ基板（メイン）１１００に搭載されたリレー回路１１０２によりＩＦ基板（メイン）１１００から試験装置１３００に対して第１〜３リールストップ可能ランプ信号が出力されないことで、試験装置１３００において第１〜３リールストップ可能ランプ信号を受信不能となるため、ストップスイッチ８Ｌ、８Ｃ、８Ｒの操作が受け付けられる状態においては、メイン制御部４１が、フリーズ状態中か否かに関わらず第１〜３リールストップ可能ランプ信号を一律に出力することが可能となる。
【０４２８】
特に、本実施例のように停止有効ＬＥＤ２２Ｌ、２２Ｃ、２２Ｒの駆動信号を第１〜３リールストップ可能ランプ信号に用いる構成において、フリーズ状態において停止有効ＬＥＤ２２Ｌ、２２Ｃ、２２Ｒを点灯させても、試験装置１３００において第１〜３リールストップ可能ランプ信号を受信不能に制御することができる。
【０４２９】
尚、本実施例では、フリーズ状態に制御する場合に、メイン制御部４１が出力規制信号（メイン）をＩＦ基板（メイン）１１００に出力する制御を行うことにより、メイン制御部４１がフリーズ状態において第１〜３リールストップ可能ランプ信号を出力してもＩＦ基板（メイン）１１００に搭載されたリレー回路１１０２によりＩＦ基板（メイン）１１００から試験装置１３００に対して第１〜３リールストップ可能ランプ信号が出力されないことで、試験装置１３００において第１〜３リールストップ可能ランプ信号を受信不能となる構成であるが、遊技制御基板４０または試験装置１３００の試験信号の入力部にリレー回路１１０２と同様のリレー回路を搭載し、フリーズ状態に制御する場合に、メイン制御部４１が出力規制信号（メイン）をＩＦ基板（メイン）１１００に出力する制御を行うことにより、メイン制御部４１がフリーズ状態において第１〜３リールストップ可能ランプ信号を出力してもリレー回路から先に第１〜３リールストップ可能ランプ信号が出力されないことで、試験装置１３００において第１〜３リールストップ可能ランプ信号を受信不能となる構成としても良い。
【０４３０】
また、フリーズ状態において停止有効ＬＥＤ２２Ｌ、２２Ｃ、２２Ｒを点灯させない構成、停止有効ＬＥＤ２２Ｌ、２２Ｃ、２２Ｒの駆動信号を第１〜３リールストップ可能ランプ信号として用いない構成であれば、フリーズ状態に制御する場合に、メイン制御部４１が第１〜３リールストップ可能ランプ信号を出力しない制御を行うことにより、試験装置１３００において第１〜３リールストップ可能ランプ信号を受信不能となる構成としても良い。
【０４３１】
また、前述のように遊技制御基板４０または試験装置１３００の試験信号の入力部にリレー回路１１０２と同様のリレー回路を搭載する構成、フリーズ状態に制御する場合に、メイン制御部４１が第１〜３リールストップ可能ランプ信号を出力しない制御を行う構成であれば、遊技制御基板４０と試験装置１３００とをＩＦ基板（メイン）１１００を介さず直接接続する構成としても良い。
【０４３２】
また、本実施例では、ストップスイッチ８Ｌ、８Ｃ、８Ｒの操作が遊技の進行に関与しない操作として受け付けられるフリーズ状態に制御する場合に、試験装置１３００において第１〜３リールストップ可能ランプ信号を受信不能となる構成であるが、ストップスイッチ８Ｌ、８Ｃ、８Ｒ以外の操作手段、例えば、スタートスイッチ７の操作が遊技の進行に関与しない操作として受け付けられるフリーズ状態に制御する場合に、試験装置１３００において当該操作が有効である旨を示す試験信号（スタートスイッチ７の操作であればスタート可能ランプ信号）を受信不能とする構成としても良く、このような構成においても、試験装置１３００側で操作が有効である旨を示す試験信号を受信したときに、遊技を進行させるための操作が可能な状態か否かを判断する機能を設けずとも、試験装置１３００側で正常に動作試験を行うことが可能となる。
【０４３３】
また、上述のように操作手段の操作により演出態様（リールの変動態様や演出手段の演出態様）が変化するフリーズ状態と、操作手段の操作による演出態様の変化のないフリーズ状態と、を備える構成、操作手段の操作による演出態様の変化のないフリーズ状態のみを備える構成において、操作手段の操作による演出態様の変化のないフリーズ状態に制御する場合にも、試験装置１３００において操作が有効である旨を示す試験信号を受信不能に制御する構成（例えば、ストップスイッチ８Ｌ、８Ｃ、８Ｒの操作による演出態様の変化のないフリーズ状態に制御する場合にも、試験装置１３００において第１〜３リールストップ可能ランプ信号を受信不能に制御する構成）としても良く、このような構成においても、試験装置１３００側で操作が有効である旨を示す試験信号を受信したときに、遊技を進行させるための操作が可能な状態か否かを判断する機能を設けずとも、試験装置１３００側で正常に動作試験を行うことが可能となり、さらに操作手段の操作による演出態様の変化のないフリーズ状態に制御する場合にも試験装置１３００側で操作が有効である旨を示す試験信号を受信不能となるため、フリーズ状態において試験装置１３００側で操作が有効である旨を示す試験信号を受信してしまうことを確実に防止できる。また、操作手段の操作により演出態様（リールの変動態様や演出手段の演出態様）が変化するフリーズ状態と、操作手段の操作による演出態様の変化のないフリーズ状態と、を備える構成においては、フリーズ状態において、フリーズ状態の種類に関わらず、一律に試験装置１３００において操作が有効である旨を示す試験信号を受信不能とする制御を行うことが可能となる。
【０４３４】
また、操作手段の操作により演出態様（リールの変動態様や演出手段の演出態様）が変化するフリーズ状態と、操作手段の操作による演出態様の変化のないフリーズ状態と、を備える構成においては、操作手段の操作により演出態様が変化するフリーズ状態に制御する場合に、試験装置１３００において操作が有効である旨を示す試験信号を受信不能とする制御を行う一方で、操作手段の操作による演出態様の変化のないフリーズ状態においては、試験装置１３００において操作が有効である旨を示す試験信号を受信可能に制御する構成（例えば、ストップスイッチ８Ｌ、８Ｃ、８Ｒの操作により演出態様が変化するフリーズ状態においては、試験装置１３００において第１〜３リールストップ可能ランプ信号を受信不能に制御する一方で、ストップスイッチ８Ｌ、８Ｃ、８Ｒの操作による演出態様の変化のないフリーズ状態においては、試験装置１３００において第１〜３リールストップ可能ランプ信号を受信可能に制御する構成）としても良く、このような構成とすることで、試験装置１３００側で操作が有効である旨を示す試験信号を受信したときに、遊技を進行させるための操作が可能な状態か否かを判断する機能を設けずとも、試験装置１３００側で正常に動作試験を行うことが可能となり、さらに操作手段の操作による演出態様の変化のないフリーズ状態、すなわち操作が有効である旨を示す試験信号が出力されない状態では、試験装置１３００において操作が有効である旨を示す試験信号を受信不能とする制御を省くことができる。
【０４３５】
また、本実施例では、ストップスイッチ８Ｌ、８Ｃ、８Ｒの操作が遊技の進行に関与しないフリーズ状態における擬似遊技演出においても、当該擬似遊技演出における推奨操作態様を示す停止実行位置信号、停止リール指定信号、停止ストローブ信号を出力する構成であり、試験装置１３００側で停止実行位置信号、停止リール指定信号、停止ストローブ信号が、遊技を進行させるための操作の推奨操作態様として出力されたか否か判断できず、正常に動作試験を行えなくなってしまう虞がある。また、メイン制御部４１側でフリーズ状態に制御される場合（後述のフリーズ中信号を受信している場合）に、リールスタートスイッチ信号をメイン制御部４１が出力した時点（内部当選コマンドをメイン制御部４１から受信した時点）で、現在の遊技状態、演出態様に応じて、停止リール指定信号を第１停止リールとして推奨するリールを示す出力状態に更新するとともに、停止実行位置信号を当該リールに対して推奨する停止操作位置を示す出力状態に更新し、フリーズ状態が終了した後（後述のフリーズ中信号のｏｆｆを検出した後）に、停止ストローブ信号を出力する構成においても、試験装置１３００側で停止実行位置信号、停止リール指定信号が、遊技を進行させるための操作の推奨操作態様として出力されたか否か判断できず、正常に動作試験を行えなくなってしまう虞がある。
【０４３６】
このため、本実施例では、メイン制御部４１側でフリーズ状態に制御されない場合には、メイン制御部４１から出力規制信号（サブ）が出力されないことにより、試験装置１３００において停止実行位置信号、停止リール指定信号、停止ストローブ信号を受信可能に制御し、メイン制御部４１側でフリーズ状態に制御され、擬似遊技演出が行われる場合には、メイン制御部４１から出力規制信号（サブ）が出力されることにより、試験装置１３００において停止実行位置信号、停止リール指定信号、停止ストローブ信号を受信不能に制御するようになっており、試験装置１３００側で停止実行位置信号、停止リール指定信号、停止ストローブ信号を受信したときに、遊技を進行させるための操作の推奨操作態様として出力されたか否かを判断する機能を設けずとも、試験装置１３００側で正常に動作試験を行うことが可能となる。
【０４３７】
また、本実施例では、演出制御基板９０と試験装置１３００とをＩＦ基板（サブ）１２００を介して接続するとともに、フリーズ状態に制御する場合に、メイン制御部４１が出力規制信号（サブ）を演出制御基板９０を介してＩＦ基板（サブ）１２００に出力する制御を行うことにより、サブ制御部９１がフリーズ状態において停止実行位置信号、停止リール指定信号、停止ストローブ信号を出力してもＩＦ基板（サブ）１２００に搭載されたリレー回路１２０２ａ、１２０２ｂ、１２０２ｃによってＩＦ基板（サブ）１２００から試験装置１３００に対して停止実行位置信号、停止リール指定信号、停止ストローブ信号が出力されないことで、試験装置１３００において停止実行位置信号、停止リール指定信号、停止ストローブ信号を受信不能となるため、ストップスイッチ８Ｌ、８Ｃ、８Ｒの操作が受け付けられる状態においては、メイン制御部４１が、フリーズ状態中であっても、フリーズ状態に応じた推奨操作態様を示す停止実行位置信号、停止リール指定信号、停止ストローブ信号を出力することが可能となる。
【０４３８】
尚、本実施例では、フリーズ状態に制御する場合に、メイン制御部４１が演出制御基板９０を介して出力規制信号（サブ）をＩＦ基板（サブ）１２００に出力する制御を行うことにより、サブ制御部９１がフリーズ状態において停止実行位置信号、停止リール指定信号、停止ストローブ信号を出力してもＩＦ基板（サブ）１２００に搭載されたリレー回路１２０２ａ、１２０２ｂ、１２０２ｃによりＩＦ基板（サブ）１２００から試験装置１３００に対して停止実行位置信号、停止リール指定信号、停止ストローブ信号が出力されないことで、試験装置１３００において停止実行位置信号、停止リール指定信号、停止ストローブ信号を受信不能となる構成であるが、演出制御基板９０または試験装置１３００の試験信号の入力部にリレー回路１２０２ａ、１２０２ｂ、１２０２ｃと同様のリレー回路を搭載し、フリーズ状態に制御する場合に、メイン制御部４１が演出制御基板９０を介して出力規制信号（サブ）をＩＦ基板（サブ）１２００に出力する制御を行うことにより、サブ制御部９１がフリーズ状態において停止実行位置信号、停止リール指定信号、停止ストローブ信号を出力してもリレー回路から先に停止実行位置信号、停止リール指定信号、停止ストローブ信号が出力されないことで、試験装置１３００において停止実行位置信号、停止リール指定信号、停止ストローブ信号を受信不能となる構成としても良い。
【０４３９】
また、本実施例では、フリーズ状態に制御する場合に、メイン制御部４１が演出制御基板９０を介して出力規制信号（サブ）をＩＦ基板（サブ）１２００に出力する制御を行う構成であるが、サブ制御部９１が、メイン制御部４１から受信したフリーズ開始コマンド、フリーズ終了コマンドに基づいて、またはフリーズ中信号に基づいてフリーズ状態の開始及び終了を特定し、メイン制御部４１側でフリーズ状態に制御される場合に、フリーズ状態に制御される期間にわたり出力規制信号（サブ）を出力する制御を行う構成としても良い。
【０４４０】
また、サブ制御部９１が、メイン制御部４１から受信したフリーズ開始コマンド、フリーズ終了コマンドに基づいて、またはフリーズ中信号に基づいてフリーズ状態の開始及び終了を特定し、メイン制御部４１側でフリーズ状態に制御される場合に、フリーズ状態が終了するまで停止実行位置信号、停止リール指定信号、停止ストローブ信号を出力しない制御を行うことにより、試験装置１３００において停止実行位置信号、停止リール指定信号、停止ストローブ信号を受信不能となる構成としても良い。
【０４４１】
また、前述のように演出制御基板９０または試験装置１３００の試験信号の入力部にリレー回路１２０２ａ、１２０２ｂ、１２０２ｃと同様のリレー回路を搭載する構成、フリーズ状態に制御される場合に、サブ制御部９１が停止実行位置信号、停止リール指定信号、停止ストローブ信号を出力しない制御を行う構成であれば、演出制御基板９０と試験装置１３００とをＩＦ基板（サブ）１２００を介さず直接接続する構成としても良い。
【０４４２】
また、ストップスイッチ８Ｌ、８Ｃ、８Ｒの操作により演出態様（リールの変動態様や演出手段の演出態様）が変化するフリーズ状態と、ストップスイッチ８Ｌ、８Ｃ、８Ｒの操作による演出態様の変化のないフリーズ状態と、を備える構成、ストップスイッチ８Ｌ、８Ｃ、８Ｒの操作による演出態様の変化のないフリーズ状態のみを備える構成において、ストップスイッチ８Ｌ、８Ｃ、８Ｒの操作による演出態様の変化のないフリーズ状態に制御する場合にも、試験装置１３００において停止実行位置信号、停止リール指定信号、停止ストローブ信号を受信不能に制御する構成としても良く、このような構成においても、試験装置１３００側で停止実行位置信号、停止リール指定信号、停止ストローブ信号を受信したときに、遊技を進行させるための操作の推奨操作態様として出力されたか否かを判断する機能を設けずとも、試験装置１３００側で正常に動作試験を行うことが可能となり、さらにストップスイッチ８Ｌ、８Ｃ、８Ｒの操作による演出態様の変化のないフリーズ状態に制御する場合にも試験装置１３００側で停止実行位置信号、停止リール指定信号、停止ストローブ信号を受信不能となるため、フリーズ状態において試験装置１３００側で停止実行位置信号、停止リール指定信号、停止ストローブ信号を受信してしまうことを確実に防止できる。また、ストップスイッチ８Ｌ、８Ｃ、８Ｒの操作により演出態様（リールの変動態様や演出手段の演出態様）が変化するフリーズ状態と、ストップスイッチ８Ｌ、８Ｃ、８Ｒの操作による演出態様の変化のないフリーズ状態と、を備える構成においては、フリーズ状態において、フリーズ状態の種類に関わらず、一律に試験装置１３００において停止実行位置信号、停止リール指定信号、停止ストローブ信号を受信不能とする制御を行うことが可能となる。
【０４４３】
また、ストップスイッチ８Ｌ、８Ｃ、８Ｒの操作により演出態様（リールの変動態様や演出手段の演出態様）が変化するフリーズ状態と、ストップスイッチ８Ｌ、８Ｃ、８Ｒの操作による演出態様の変化のないフリーズ状態と、を備える構成においては、ストップスイッチ８Ｌ、８Ｃ、８Ｒの操作により演出態様が変化するフリーズ状態に制御する場合に、試験装置１３００において停止実行位置信号、停止リール指定信号、停止ストローブ信号を受信不能とする制御を行う一方で、ストップスイッチ８Ｌ、８Ｃ、８Ｒの操作による演出態様の変化のないフリーズ状態においては、試験装置１３００において停止実行位置信号、停止リール指定信号、停止ストローブ信号を受信可能に制御する構成としても良く、このような構成とすることで、試験装置１３００側で停止実行位置信号、停止リール指定信号、停止ストローブ信号を受信したときに、遊技を進行させるための操作が可能な状態か否かを判断する機能を設けずとも、試験装置１３００側で正常に動作試験を行うことが可能となり、さらにストップスイッチ８Ｌ、８Ｃ、８Ｒの操作による演出態様の変化のないフリーズ状態、すなわち停止実行位置信号、停止リール指定信号、停止ストローブ信号が出力されない状態では、試験装置１３００において停止実行位置信号、停止リール指定信号、停止ストローブ信号を受信不能とする制御を省くことができる。
【０４４４】
また、本実施例では、サブ制御部９１が、メイン制御部４１から送信されたフリーズ開始コマンドに基づいて、メイン制御部４１側でキャンセル可能なフリーズ状態に制御されていることが特定された場合にフリーズキャンセル信号を出力するようになっており、サブ制御部９１がフリーズキャンセル信号を出力することに伴い、ＩＦ基板（サブ）１２００、ＩＦ基板（メイン）１１００を介してＭＡＸＢＥＴ信号が入力されることで、実行中のフリーズ状態を途中で終了させて遊技を進行させることができるようになっており、試験装置１３００による動作試験の時間を短縮することができる。
【０４４５】
尚、本実施例では、サブ制御部９１が、メイン制御部４１から送信されたフリーズ開始コマンドに基づいてフリーズ状態の開始を特定した場合にフリーズキャンセル信号を出力する構成であるが、キャンセル操作によりキャンセル可能なフリーズ状態とキャンセル不可能なフリーズ状態とを備える場合に、キャンセル可能なフリーズ状態の開始を特定した場合のみフリーズキャンセル信号を出力する構成としても良い。また、フリーズ状態においてキャンセル操作によりキャンセル可能な期間とキャンセル不可能な期間とを備える場合に、キャンセル可能な期間においてのみフリーズキャンセル信号を出力する構成としても良い。
【０４４６】
また、本実施例では、サブ制御部９１が、メイン制御部４１から送信されたフリーズ開始コマンドに基づいてフリーズ状態の開始を特定した場合にフリーズキャンセル信号を出力する構成であるが、メイン制御部４１から出力されるフリーズ中信号を受信することでフリーズキャンセル信号を出力する構成としても良いし、フリーズ状態に制御されている期間において出力される出力規制信号（サブ）をＩＦ基板（サブ）１２００上で分岐させてフリーズキャンセル信号としてＩＦ基板（メイン）１１００に出力し、ＭＡＸＢＥＴ信号として遊技制御基板４０に出力する構成としても良い。
【０４４７】
また、メイン制御部４１が、フリーズ状態においてＩＦ基板（メイン）１１００に対してフリーズキャンセル信号を出力し、ＭＡＸＢＥＴ信号として遊技制御基板４０に出力する構成としても良いし、出力規制信号（メイン）をＩＦ基板（メイン）１１００上で分岐させてフリーズキャンセル信号とし、ＭＡＸＢＥＴ信号として遊技制御基板４０に出力する構成としても良い。
【０４４８】
また、メイン制御部４１が、フリーズ状態においてＩＦ基板（メイン）１１００に対してフリーズキャンセル信号を出力する構成においては、キャンセル操作によりキャンセル可能なフリーズ状態とキャンセル不可能なフリーズ状態とを備える場合に、キャンセル可能なフリーズ状態のみフリーズキャンセル信号を出力する構成としても良い。また、フリーズ状態においてキャンセル操作によりキャンセル可能な期間とキャンセル不可能な期間とを備える場合に、キャンセル可能な期間においてのみフリーズキャンセル信号を出力する構成としても良い。
【０４４９】
また、フリーズキャンセル信号をＩＦ基板（メイン）１１００またはＩＦ基板（サブ）１２００を介して試験装置１３００に入力し、フリーズキャンセル信号が入力されることに伴って試験装置１３００がフリーズキャンセル信号（ＭＡＸＢＥＴ信号）を遊技制御基板４０に対して出力する構成としても良い。
【０４５０】
また、本実施例では、サブ制御部９１から出力されたフリーズキャンセル信号をＩＦ基板（サブ）１２００、ＩＦ基板（メイン）１１００を介してＭＡＸＢＥＴ信号として出力することでフリーズ状態を途中で終了させてゲームを進行させる構成であるが、図３３に示すように、ＩＦ基板（サブ）１２００にＩＦ制御部１２０３を設けるとともに、サブ制御部９１からＩＦ制御部１２０３に対して、フリーズの種類を指定するフリーズ指定信号を送信し、ＩＦ制御部１２０３がフリーズ指定信号に基づいてフリーズ中の擬似遊技演出を進行させるための操作信号（リールスタートスイッチ信号、第１〜３リールストップスイッチ信号、ＭＡＸＢＥＴ信号等）をＩＦ基板（メイン）１１００を介して遊技制御基板４０に対して出力する構成としても良いし、また、ＩＦ基板（メイン）１１００にＩＦ制御部（図示略）を設けるとともに、メイン制御部４１からＩＦ制御部に対して、フリーズの種類を指定するフリーズ指定信号を送信し、ＩＦ制御部がフリーズ指定信号に基づいてフリーズ中の擬似遊技演出を進行させるための操作信号（リールスタートスイッチ信号、第１〜３リールストップスイッチ信号、ＭＡＸＢＥＴ信号等）を遊技制御基板４０に対して出力する構成としても良く、これらの構成を備えることにより、擬似遊技演出等、遊技者の操作により演出を進行させるフリーズ状態に制御されても、フリーズ状態における演出を進行させてフリーズ状態を終了させることができるので、フリーズ状態をキャンセルさせて動作試験を行うのと同様に、試験装置１３００が行う動作試験の時間を短縮することが可能となる。
【０４５１】
また、フリーズ指定信号をサブ制御部９１が出力する場合には、停止実行位置信号、停止リール指定信号等の空きビットを利用することで、サブ制御部９１に新たな信号線を設けることなく、フリーズ指定信号をＩＦ基板（サブ）１２００に出力することができる。
【０４５２】
また、操作手段の操作により演出を進行させるフリーズ状態において、停止実行位置信号、停止リール指定信号を出力する信号線を利用して、フリーズ状態において推奨する操作態様をＩＦ制御部に対して出力することで、サブ制御部９１に新たな信号線を設けることなく、フリーズ状態において推奨する操作態様を通知することができる。
【０４５３】
また、操作手段の操作により演出を進行させるフリーズ状態において、停止実行位置信号、停止リール指定信号を出力する信号する信号線を利用せず、フリーズ指定信号を出力する信号線、フリーズ状態において推奨する操作態様を示す信号を出力する信号線を、停止実行位置信号、停止リール指定信号を出力する信号線とは別個の専用信号線として設け、これら専用信号線を用いてフリーズ指定信号、フリーズ状態において推奨する操作態様を示す信号を出力する構成としても良く、このような構成とすることで、操作手段の操作により演出を進行させるフリーズ状態において停止実行位置信号、停止リール指定信号の信号線から信号が出力されることがなく、試験装置１３００側で停止実行位置信号、停止リール指定信号を受信したときに、遊技を進行させるための操作が可能な状態か否かを判断する機能を設けずとも、試験装置１３００側で正常に動作試験を行うことが可能となる。
【０４５４】
また、本実施例では、メイン制御部４１がフリーズ開始コマンド、継続抽選結果コマンド、フリーズ終了コマンド等、フリーズ状態に制御される期間を特定可能なコマンドをサブ制御部９１に対して出力し、サブ制御部９１は、これらのコマンドに基づいて、擬似遊技演出に応じた演出、ＡＲＴのゲーム数の上乗せの有無等、フリーズ状態に応じた制御を行うようになっており、フリーズ状態に応じた適切な制御、多様な制御を行うことができるとともに、フリーズ状態においては、試験装置１３００においてゲーム開始後にストップスイッチ可能ランプ信号や停止実行位置信号、停止リール指定信号、停止ストローブ信号がしばらく検出されないことから、試験装置１３００が、動作試験中のスロットマシン１のメイン制御部４１においてフリーズ状態に制御されていること、サブ制御部９１においてＡＲＴのゲーム数の上乗せ等、フリーズ状態に応じた制御が行われていることを特定することが可能となる。
【０４５５】
また、本実施例では、メイン制御部４１がフリーズ状態の期間中にＩＦ基板（メイン）１１００に対して出力する出力規制信号（メイン）とは異なるコマンド（フリーズ開始コマンド、継続抽選結果コマンド、フリーズ終了コマンド）をサブ制御部９１に対して送信し、当該コマンドに基づいてサブ制御部９１がフリーズ状態に制御される期間を特定し、フリーズ状態に応じた制御を行うようになっており、出力規制信号（メイン）のように１ビットのデータしか特定できない信号よりも詳細な情報を出力することが可能となるため、フリーズ状態に制御されることに伴うサブ制御部９１の制御内容をこれらコマンドから特定される内容に応じて多様化させることができる。
【０４５６】
尚、本実施例では、メイン制御部４１がフリーズ状態の期間中にＩＦ基板（メイン）１１００に対して出力する出力規制信号（メイン）とは異なるコマンドをサブ制御部９１に対して送信し、当該コマンドに基づいてサブ制御部９１がフリーズ状態に制御される期間を特定し、フリーズ状態に応じた制御を行う構成であるが、メイン制御部４１がフリーズ状態の期間中にＩＦ基板（メイン）１１００に対して出力する出力規制信号（メイン）と同じ信号（例えば、遊技制御基板４０で分岐して演出制御基板９０に出力されるフリーズ中信号）に基づいてサブ制御部９１がフリーズ状態に制御される期間を特定し、フリーズ状態に応じた制御を行う構成としても良く、このような構成とすることで、メイン制御部４１が出力規制信号（メイン）とは別にフリーズ状態に関する信号の出力制御を行う必要がなくなるうえに、メイン制御部４１がフリーズ状態において試験装置１３００側（ＩＦ基板（メイン）１１００側）に向けて信号を出力していることを同一の信号でサブ制御部９１側でも特定できるため、動作試験中において試験装置１３００側（ＩＦ基板（メイン）１１００側）で特定されるフリーズ状態の期間と、サブ制御部９１側で特定されるフリーズ状態の期間と、を一致させることができる。
【０４５７】
以上、本発明の実施例を図面により説明してきたが、本発明はこの実施例に限定されるものではなく、本発明の主旨を逸脱しない範囲における変更や追加があっても本発明に含まれることは言うまでもない。
【０４５８】
前記実施例では、本発明を遊技用価値としてメダル並びにクレジットを用いて賭数が設定されるスロットマシンに適用した例ついて説明したが、遊技用価値として遊技球を用いて賭数を設定するスロットマシンや、遊技用価値としてクレジットのみを使用して賭数を設定する完全クレジット式のスロットマシンに適用しても良い。遊技球を遊技用価値として用いる場合は、例えば、メダル１枚分を遊技球５個分に対応させることができ、前記実施例で賭数として３を設定する場合は、１５個の遊技球を用いて賭数を設定するものに相当する。
【０４５９】
さらに、メダル及び遊技球等の複数種類の遊技用価値のうちいずれか１種類のみを用いるものに限定されるものではなく、例えば、メダル及び遊技球等の複数種類の遊技用価値を併用できるものであっても良い。すなわち、メダル及び遊技球等の複数種類の遊技用価値のいずれを用いても賭数を設定してゲームを行うことが可能であり、かつ入賞の発生によってメダル及び遊技球等の複数種類の遊技用価値のいずれをも払い出し得るスロットマシンを適用しても良い。
【符号の説明】
【０４６０】
１  スロットマシン
２Ｌ、２Ｃ、２Ｒ  リール
６  ＭＡＸＢＥＴスイッチ
７  スタートスイッチ
８Ｌ、８Ｃ、８Ｒ  ストップスイッチ
４１  メイン制御部
９１  サブ制御部
１１００  インターフェイス基板（メイン）
１２００  インターフェイス基板（サブ）
１３００  試験装置
【図１】
2015150098.tif 000003
【図２】
2015150098.tif 000004
【図３】
2015150098.tif 000005
【図４】
2015150098.tif 000006
【図５】
2015150098.tif 000007
【図６】
2015150098.tif 000008
【図７】
2015150098.tif 000009
【図８】
2015150098.tif 000010
【図９】
2015150098.tif 000011
【図１０】
2015150098.tif 000012
【図１１】
2015150098.tif 000013
【図１２】
2015150098.tif 000014
【図１３】
2015150098.tif 000015
【図１４】
2015150098.tif 000016
【図１５】
2015150098.tif 000017
【図１６】
2015150098.tif 000018
【図１７】
2015150098.tif 000019
【図１８】
2015150098.tif 000020
【図１９】
2015150098.tif 000021
【図２０】
2015150098.tif 000022
【図２１】
2015150098.tif 000023
【図２２】
2015150098.tif 000024
【図２３】
2015150098.tif 000025
【図２４】
2015150098.tif 000026
【図２５】
2015150098.tif 000027
【図２６】
2015150098.tif 000028
【図２７】
2015150098.tif 000029
【図２８】
2015150098.tif 000030
【図２９】
2015150098.tif 000031
【図３０】
2015150098.tif 000032
【図３１】
2015150098.tif 000033
【図３２】
2015150098.tif 000034
【図３３】
2015150098.tif 000035